(57)【特許請求の範囲】
【請求項１】
放送信号を送信する方法であって、
映像を含む基本層ストリームを生成するステップと、
関心領域（ＲＯＩ）情報を含む向上層ストリームを生成するステップと、
前記基本層ストリームと前記向上層ストリームとを一つの放送ストリームに多重化するステップと、
前記多重化された放送ストリームを含む放送信号を生成するステップと、
前記生成された放送信号を伝送するステップと、
を含み、
前記ＲＯＩ情報は、ユーザに高解像度（ＨＤ）サービスを順序通りに提供するためのＲＯＩの優先順位を示すＲＯＩビデオ優先順位情報、及びユーザに高ダイナミックレンジサービスを提供するための前記ＲＯＩのダイナミックレンジを示すＲＯＩダイナミックレンジ情報を含む、放送信号送信方法。
【請求項２】
前記ＲＯＩ情報は、前記向上層ストリームが前記基本層ストリームとマージするときに必要なフィルタリング過程に対するＲＯＩフィルタリング情報をさらに含み、該ＲＯＩフィルタリング情報は、該フィルタリング過程が適用される部分の１番目のピクセル座標を示すＲＯＩフィルタリング座標情報、及び該フィルタリング過程が適用される部分の幅と高さを示すＲＯＩフィルタリングサイズ情報を含み、
前記放送ストリームはシグナリング情報を含み、該シグナリング情報は、現在視聴中の放送サービスに対応するパノラマ放送サービスに対する情報を示すイベント連結情報を含み、パノラマ映像に関するシグナリング情報は、前記パノラマ映像の構成を示すパノラマ構成情報を含む、請求項１に記載の放送信号送信方法。
【請求項３】
前記ＲＯＩ情報は、ユーザに広いカラーガマットサービスを提供するための前記ＲＯＩのカラーガマットを示すＲＯＩカラーガマット情報、前記ＲＯＩの幅と高さを示すＲＯＩサイズ情報、及び該ＲＯＩサイズ情報を持つＲＯＩを識別するための前記映像の平面内の開始座標値を示すＲＯＩ開始座標情報をさらに含む、請求項１に記載の放送信号送信方法。
【請求項４】
前記パノラマ構成情報は、分割された映像に関する情報を含む、請求項２に記載の放送信号送信方法。
【請求項５】
前記パノラマ構成情報は、分割された映像の区画化現象を除去するためのフィルタリング情報を含む、請求項２に記載の放送信号送信方法。
【請求項６】
前記パノラマ構成情報は、前記パノラマ映像を一つ以上の映像にクロップするための情報を含む、請求項２に記載の放送信号送信方法。
【請求項７】
放送信号を受信する方法であって、
映像を伝送する基本層ストリーム及び関心領域（ＲＯＩ）情報を伝送する向上層ストリームを含む放送ストリームを受信するステップと、
前記受信した放送ストリームから前記基本層ストリーム及び前記向上層ストリームを抽出するステップと、
前記向上層ストリームから前記ＲＯＩ情報をパースするステップと、
前記基本層ストリームに前記ＲＯＩ情報を結合させるステップと、
前記パースされたＲＯＩ情報を用いて前記基本層ストリームをデコードするステップと、
を含み、
前記ＲＯＩ情報は、ユーザに高解像度（ＨＤ）サービスを順序通りに提供するためのＲＯＩの優先順位を示すＲＯＩビデオ優先順位情報、及びユーザに高ダイナミックレンジサービスを提供するための前記ＲＯＩのダイナミックレンジを示すＲＯＩダイナミックレンジ情報を含む、放送信号受信方法。
【請求項８】
前記ＲＯＩ情報は、前記向上層ストリームが前記基本層ストリームとマージするときに必要なフィルタリング過程に対するＲＯＩフィルタリング情報をさらに含み、該ＲＯＩフィルタリング情報は、該フィルタリング過程が適用される部分の１番目のピクセル座標を示すＲＯＩフィルタリング座標情報、及び該フィルタリング過程が適用される部分の幅と高さを示すＲＯＩフィルタリングサイズ情報を含み、
前記放送ストリームはシグナリング情報を含み、該シグナリング情報は、現在視聴中の放送サービスに対応するパノラマ放送サービスに対する情報を示すイベント連結情報を含み、パノラマ映像に関するシグナリング情報は、前記パノラマ映像の構成を示すパノラマ構成情報を含む、請求項７に記載の放送信号受信方法。
【請求項９】
前記ＲＯＩ情報は、ユーザに広いカラーガマットサービスを提供するための前記ＲＯＩのカラーガマットを示すＲＯＩカラーガマット情報、前記ＲＯＩの幅と高さを示すＲＯＩサイズ情報、及び該ＲＯＩサイズ情報を持つＲＯＩを識別するための前記映像の平面内の開始座標値を示すＲＯＩ開始座標情報をさらに含む、請求項７に記載の放送信号受信方法。
【請求項１０】
前記パノラマ構成情報は、分割された映像に関する情報を含む、請求項８に記載の放送信号受信方法。
【請求項１１】
前記パノラマ構成情報は、分割された映像の区画化現象を除去するためのフィルタリング情報を含む、請求項８に記載の放送信号受信方法。
【請求項１２】
前記パノラマ構成情報は、前記パノラマ映像を一つ以上の映像にクロップするための情報を含む、請求項８に記載の放送信号受信方法。
【請求項１３】
前記映像をディスプレイするステップをさらに含み、
前記ディスプレイするステップは、ユーザからスクローリング要求を受信する場合、前記スクローリング要求によって移動した領域をディスプレイするステップを含む、請求項７に記載の放送信号受信方法。
【請求項１４】
放送信号を送信する装置であって、
基本層ストリームを生成するために映像をエンコードするエンコーダであって、該エンコーダは、向上層ストリームを生成するために関心領域（ＲＯＩ）情報をさらにエンコードする、エンコーダと、
前記基本層ストリーム及び前記向上層ストリームを一つの放送ストリームに多重化する多重化部と、
前記多重化された放送ストリームを含む放送信号を生成する放送信号生成部と、
前記生成された放送信号を伝送する伝送部と、
を含み、
前記ＲＯＩ情報は、ユーザに高解像度（ＨＤ）サービスを順序通りに提供するためのＲＯＩの優先順位を示すＲＯＩビデオ優先順位情報、及びユーザに高ダイナミックレンジサービスを提供するための前記ＲＯＩのダイナミックレンジを示すＲＯＩダイナミックレンジ情報を含む、放送信号送信装置。
【請求項１５】
放送信号を受信する装置であって、
映像を伝送する基本層ストリーム及び関心領域（ＲＯＩ）情報を伝送する向上層ストリームを含む放送ストリームを受信する受信部と、
前記受信した放送ストリームから前記基本層ストリーム及び前記向上層ストリームを抽出する逆多重化部と、
前記向上層ストリームから前記ＲＯＩ情報をパースし、前記基本層ストリームに前記ＲＯＩ情報を結合させ、前記パースされたＲＯＩ情報を用いて前記基本層ストリームをデコードするデコーダと、
を含み、
前記ＲＯＩ情報は、ユーザに高解像度（ＨＤ）サービスを順序通りに提供するためのＲＯＩの優先順位を示すＲＯＩビデオ優先順位情報、及びユーザに高ダイナミックレンジサービスを提供するための前記ＲＯＩのダイナミックレンジを示すＲＯＩダイナミックレンジ情報を含む、放送信号受信装置。
【発明の詳細な説明】
【技術分野】
【０００１】
本発明は、放送信号の送受信に関し、より詳細には、パノラマサービスのための放送信号の送受信方法及び／又は装置に関する。
【背景技術】
【０００２】
デジタル技術及び通信技術の発展に伴い、放送、映画のみならず、インターネット及び個人メディアなどの多様な領域でオーディオ／ビデオ中心のマルチメディアコンテンツの普及及び需要が急速に拡大されている。さらに、放送及び映画を介して立体感を提供する３ＤＴＶ／３Ｄ映画の普遍化と共に、事実感と現場感を提供する実感メディアに対する消費者の要求が増加している。また、ディスプレイ技術の発展と共に、家庭でのＴＶ画面が大型化されるにつれて、ＨＤ級以上の高画質で実感のあるコンテンツを楽しもうとする消費が増加している。これによって、ＰｏｓｔＨＤＴＶ市場に備えて、３ＤＴＶと共にＵＨＤＴＶ（Ｕｌｔｒａ  Ｈｉｇｈ  Ｄｅｆｉｎｉｔｉｏｎ  ＴＶ）などの実感放送が次世代の放送サービスとして関心を受けており、特に、ＵＨＤ（Ｕｌｔｒａ  Ｈｉｇｈ  Ｄｅｆｉｎｉｔｉｏｎ）放送サービスに対する論議が増加している趨勢である。
【０００３】
一方、最近、３Ｄ、ＵＨＤコンテンツの出現以来、パノラマ映像に対する需要が展示館、ニュースルーム、屋外構造物を通じて漸次増加している趨勢である。３Ｄコンテンツの立体感の提供、ＵＨＤコンテンツの事実感の提供と共に、高品質のパノラマサービスは、既存のＨＤ映像メディアに比べて広い画角を提供することによって、ユーザに極大化された現場感を提供する。しかし、このような最近の趨勢にもかかわらず、パノラマ映像の取得、生成及び再生と関連する標準は存在しておらず、少数の国内外の研究機関でのみ技術開発を進めている状況である。
【０００４】
現在、ＤＴＶ受信機でパノラマ映像を見ようとすれば、リサイズされた小さい映像でのみ視聴が可能であるという問題が存在する。よって、原本状態の映像をそのまま見せるためには、任意のサイズのパノラマ映像を既存のＤＴＶで歪曲無しでディスプレイできるようにする該当分野の研究が必要である。
【発明の概要】
【発明が解決しようとする課題】
【０００５】
本発明が達成しようとする技術的課題は、上述した問題を解決するためのものであって、視聴者に製作当時の原本状態のパノラマ映像を提供することにある。
【０００６】
さらに、本発明が達成しようとする技術的課題は、全体のパノラマ映像を一つ以上の映像に分割して伝送する方法を提供することにある。
【０００７】
さらに、本発明が達成しようとする技術的課題は、全体のパノラマ映像を受信機内で分離してディスプレイする方法を提供することにある。
【０００８】
さらに、本発明が達成しようとする技術的課題は、パノラマサービスを提供するための効率的なシグナリング方法を提供することにある。
【課題を解決するための手段】
【０００９】
本発明の一実施例に係る放送信号送信方法は、映像をエンコードするステップ、前記エンコードされた映像及び前記映像に関するシグナリング情報を一つの放送ストリームに多重化するステップ、ここで、前記シグナリング情報は、パノラマ映像に関するシグナリング情報を含む、前記多重化された放送ストリームを含む放送信号を生成するステップ、及び前記生成された放送信号を伝送するステップを含むことができる。
【００１０】
好ましくは、前記映像に関するシグナリング情報は、現在視聴中の放送サービスに対応するパノラマ放送サービスに対する情報を示すイベント連結情報を含み、前記パノラマ映像に関するシグナリング情報は、前記パノラマ映像の構成を示すパノラマ構成情報を含むことができる。
【００１１】
好ましくは、前記エンコードするステップは、前記映像を一つ以上の映像に分割し、前記分割された映像をそれぞれエンコードすることができる。
【００１２】
好ましくは、前記エンコードするステップは、前記映像のうちユーザの関心領域（Ｒｅｇｉｏｎ  ｏｆ  Ｉｎｔｅｒｅｓｔ、ＲＯＩ）に対する高画質映像を提供するためのＲＯＩ（Ｒｅｇｉｏｎ  ｏｆ  Ｉｎｔｅｒｅｓｔ）追加情報をエンコードし、前記多重化するステップは、前記エンコードされた映像、前記映像に関するシグナリング情報及び前記エンコードされたＲＯＩ追加情報を一つの放送ストリームに多重化することができる。
【００１３】
好ましくは、前記パノラマ構成情報は、前記分割された映像に対する情報を含むことができる。
【００１４】
好ましくは、前記パノラマ構成情報は、前記分割された映像の区画化現象（ｂｌｏｃｋｉｎｇ  ａｒｔｉｆａｃｔ）を除去するためのフィルタリング情報を含むことができる。
【００１５】
好ましくは、前記パノラマ構成情報は、前記パノラマ映像を一つ以上の映像にクロップ（ｃｒｏｐｐｉｎｇ）するための情報を含むことができる。
【００１６】
好ましくは、前記パノラマ構成情報は、前記関心領域の映像に対する情報を含むことができる。
【００１７】
本発明の他の一実施例に係る放送信号受信方法は、映像に対するストリーム及び前記映像に関するシグナリング情報を含む放送ストリームを受信するステップ、ここで、前記シグナリング情報は、パノラマ映像に関するシグナリング情報を含む、前記受信した放送ストリームから前記映像に対するストリーム及び前記映像に関するシグナリング情報を抽出するステップ、及び前記抽出されたシグナリング情報を用いて前記抽出された映像に対するストリームをデコードするステップを含むことができる。
【００１８】
好ましくは、前記映像に関するシグナリング情報は、現在視聴中の放送サービスに対応するパノラマ放送サービスに対する情報を示すイベント連結情報を含み、前記パノラマ映像に関するシグナリング情報は、前記パノラマ映像の構成を示すパノラマ構成情報を含むことができる。
【００１９】
好ましくは、前記映像は一つ以上の映像に分割され、前記映像に対するストリームは、一つ以上の前記分割された映像に対するストリームを含み、前記デコードするステップは、前記抽出されたシグナリング情報を用いて前記分割された映像に対するストリームのそれぞれをデコードすることができる。
【００２０】
好ましくは、前記放送ストリームは、前記映像のうちユーザの関心領域（Ｒｅｇｉｏｎ  ｏｆ  Ｉｎｔｅｒｅｓｔ、ＲＯＩ）に対する高画質映像を提供するためのＲＯＩ（Ｒｅｇｉｏｎ  ｏｆ  Ｉｎｔｅｒｅｓｔ）追加情報に対するストリームを含み、前記抽出するステップは、前記受信した放送ストリームから前記映像に対するストリーム、前記ＲＯＩ追加情報に対するストリーム及び前記映像に関するシグナリング情報を抽出し、前記デコードするステップは、前記抽出されたシグナリング情報を用いて前記抽出された映像に対するストリーム及び前記抽出されたＲＯＩ追加情報に対するストリームをデコードすることができる。
【００２１】
好ましくは、前記パノラマ構成情報は、前記分割された映像に対する情報を含むことができる。
【００２２】
好ましくは、前記パノラマ構成情報は、前記分割された映像の区画化現象を除去するためのフィルタリング情報を含むことができる。
【００２３】
好ましくは、前記パノラマ構成情報は、前記パノラマ映像を一つ以上の映像にクロップするための情報を含むことができる。
【００２４】
好ましくは、前記パノラマ構成情報は、前記関心領域の映像に対する情報を含むことができる。
【００２５】
好ましくは、前記放送信号受信方法は、前記デコードされた映像に対するストリームをディスプレイするステップを含み、前記ディスプレイするステップは、ユーザからスクローリング（ｓｃｒｏｌｌｉｎｇ）要求を受信する場合、前記スクローリング要求によって移動した領域をディスプレイすることができる。
【００２６】
本発明の更に他の一実施例に係る放送信号送信装置は、映像をエンコードするエンコーダ、前記エンコードされた映像及び前記映像に関するシグナリング情報を一つの放送ストリームに多重化する多重化部、ここで、前記シグナリング情報は、パノラマ映像に関するシグナリング情報を含み、前記多重化された放送ストリームを含む放送信号を生成する放送信号生成部、及び前記生成された放送信号を伝送する伝送部を含むことができる。
【００２７】
本発明の更に他の一実施例に係る放送信号受信装置は、映像に対するストリーム及び前記映像に関するシグナリング情報を含む放送ストリームを受信する受信部、ここで、前記シグナリング情報は、パノラマ映像に関するシグナリング情報を含み、前記受信した放送ストリームから前記映像に対するストリーム及び前記映像に関するシグナリング情報を抽出する逆多重化部、及び前記抽出されたシグナリング情報を用いて前記抽出された映像に対するストリームをデコードするデコーダを含むことができる。
【発明の効果】
【００２８】
本発明によれば、製作当時の原本状態のパノラマ映像を視聴者に提供できるという効果がある。
【００２９】
本発明によれば、全体のパノラマ映像を一つ以上の映像に分割して伝送する方法を提供できるという効果がある。
【００３０】
本発明によれば、全体のパノラマ映像を受信機内で分離してディスプレイする方法を提供できるという効果がある。
【００３１】
本発明によれば、パノラマサービスを提供するための効率的なシグナリング方法を提供できるという効果がある。
【図面の簡単な説明】
【００３２】
【図１】本発明の一実施例に係る放送信号送信方法を示した図である。
【図２】本発明の一実施例に係るシナリオ１の構成を示した図である。
【図３】本発明の一実施例に係るシナリオ２の構成を示した図である。
【図４】本発明の一実施例に係るシナリオ３の構成を示した図である。
【図５】本発明の一実施例に係るシナリオ４の構成を示した図である。
【図６】本発明の一実施例に係るパノラマ映像を分割する方法を示した図である。
【図７】本発明の一実施例に係るシナリオ１のパノラマサービス構成を示した図である。
【図８】本発明の一実施例に係るシナリオ２のパノラマサービス構成を示した図である。
【図９】本発明の一実施例に係るシナリオ１ベースの分割されたパノラマ映像をエンコードしたストリームを多数の受信機がデコードする場合、スクローリングによる受信機の動作を示した図である。
【図１０】本発明の一実施例に係るシナリオ１ベースの分割されたパノラマ映像をエンコードしたストリームを一つの受信機がデコードする場合、スクローリングによる受信機の動作を示した図である。
【図１１】本発明の一実施例に係るパノラマ映像を多数のディスプレイサイズが同じ受信機でディスプレイする場合、スクローリング要求によるパノラマ映像の配置を示した図である。
【図１２】本発明の一実施例に係るパノラマ映像を多数のディスプレイサイズが異なる受信機でディスプレイする場合、スケーリング（ｓｃａｌｉｎｇ）を用いたスクローリング要求によるパノラマ映像の配置を示した図である。
【図１３】本発明の一実施例に係るパノラマ映像を多数のディスプレイサイズが異なる受信機でディスプレイする場合、クロッピング（ｃｒｏｐｐｉｎｇ）を用いたスクローリング要求によるパノラマ映像の配置を示した図である。
【図１４】本発明の一実施例に係るパノラマ映像を二つの受信機でディスプレイする場合、両受信機の動作を示した図である。
【図１５】本発明の一実施例に係るシナリオ２ベースの一つのストリームにエンコードされた全体のパノラマ映像を受信機が受信する場合、スクローリングによる受信機の動作を示した図である。
【図１６】本発明の一実施例に係るシナリオ４ベースのパノラマサービス構成を示した図である。
【図１７】本発明の一実施例に係るｐａｎｏｒａｍａ＿ｃｏｍｐｏｓｉｔｉｏｎ＿ｉｎｆｏの構成を示した図である。
【図１８】本発明の一実施例に係るｐａｎｏｒａｍａ＿ｓｅｒｖｉｃｅ＿ｔｙｐｅの構成を示した図である。
【図１９】本発明の一実施例に係るｐａｎｏｒａｍａ＿ｃｏｍｐｏｓｉｔｉｏｎ＿ｍｅｔａｄａｔａ（）の構成を示した図である。
【図２０】本発明の一実施例に係るｓｕｂ＿ｖｉｄｅｏ＿ａｆｄ＿ｂａｒ（）の構成を示した図である。
【図２１】本発明の一実施例に係る全体のパノラマ映像を構成する部分映像のうちｐａｎｏｒａｍａ＿ｖｉｅｗ＿ｐｒｉｏｒｉｔｙが高い映像をディスプレイする方法を示した図である。
【図２２】本発明の一実施例に係るｐａｎｏｒａｍａ＿ｆｉｌｔｅｒｉｎｇ＿ｍｅｔａｄａｔａ（）の構成を示した図である。
【図２３】本発明の一実施例に係るｅｘｔｒａｃｔｉｏｎ＿ｉｎｆｏ＿ｍｅｔａｄａｔａ（）の構成を示した図である。
【図２４】本発明の一実施例に係るシナリオ２をベースにしたビデオストリームの構成を示した図である。
【図２５】本発明の一実施例に係るＲＯＩ＿ｉｎｆｏ＿ｍｅｔａｄａｔａ（）の構成を示した図である。
【図２６】本発明の一実施例に係るＳＤＴ（ｓｅｒｖｉｃｅ  ｄｅｓｃｒｉｐｔｉｏｎ  ｔａｂｌｅ）の構成を示した図である。
【図２７】本発明の一実施例に係るＥＩＴ（Ｅｖｅｎｔ  Ｉｎｆｏｒｍａｔｉｏｎ  Ｔａｂｌｅ）の構成を示した図である。
【図２８】本発明の一実施例に係るＥＩＴに含まれたｌｉｎｋａｇｅ＿ｄｅｓｃｒｉｐｔｏｒ（）の構成を示した図である。
【図２９】本発明の一実施例に係るｌｉｎｋａｇｅ＿ｔｙｐｅが０ｘ０Ｅである場合、ｌｉｎｋ＿ｔｙｐｅによるターゲットサービスのタイプを示した図である。
【図３０】本発明の一実施例に係るａｄｖａｎｃｅｄ＿ｅｖｅｎｔ＿ｌｉｎｋａｇｅ＿ｉｎｆｏ（）の構成を示した図である。
【図３１】本発明の一実施例に係るＰＭＴ（ｐｒｏｇｒａｍ  ｍａｐ  ｔａｂｌｅ）の構成及びＰＭＴに含まれるｐａｎｏｒａｍａ＿ｃｏｍｐｏｓｉｔｉｏｎ＿ｉｎｆｏ（）の位置を示した図である。
【図３２】本発明の一実施例に係るＴＶＣＴ（ｔｅｒｒｅｓｔｒｉａｌ  ｖｉｒｔｕａｌ  ｃｈａｎｎｅｌ  ｔａｂｌｅ）の構成を示した図である。
【図３３】本発明の一実施例に係るＣＶＣＴ（ｃａｂｌｅ  ｖｉｒｔｕａｌ  ｃｈａｎｎｅｌ  ｔａｂｌｅ）の構成を示した図である。
【図３４】本発明の一実施例に係るパノラマサービスのためのｓｅｒｖｉｃｅ＿ｔｙｐｅの構成を示した図である。
【図３５】本発明の一実施例に係るｃｏｍｐｏｎｅｎｔ＿ｌｉｓｔ＿ｄｅｓｃｒｉｐｔｏｒ（）の構成を示した図である。
【図３６】本発明の一実施例に係るｓｔｒｅａｍ＿ｔｙｐｅがベースストリームを示す場合、ｓｔｒｅａｍ＿ｉｎｆｏ＿ｄｅｔａｉｌｓ（）の構成を示した図である。
【図３７】本発明の一実施例に係るｓｔｒｅａｍ＿ｔｙｐｅがベースストリームでないストリームを示す場合、ｓｔｒｅａｍ＿ｉｎｆｏ＿ｄｅｔａｉｌｓ（）の構成を示した図である。
【図３８】本発明の一実施例に係るシナリオ１において、メイン受信機で全てのストリームをデコードし、サブ受信機にデコードされたストリームを伝達する場合の受信機の動作を示した図である。
【図３９】本発明の一実施例に係るシナリオ１において、各受信機で分離されて割り当てられた各ストリームをデコードする場合の受信機の動作を示した図である。
【図４０】本発明の一実施例に係るシナリオ２をベースにした受信機の動作を示した図である。
【図４１】本発明の一実施例に係るシナリオ４において、メイン受信機で全てのストリームをデコードし、サブ受信機にデコードされたストリームを伝達する場合の受信機の動作を示した図である。
【図４２】本発明の一実施例に係る放送信号受信方法を示した図である。
【図４３】本発明の一実施例に係る放送信号送信装置の構成を示した図である。
【図４４】本発明の一実施例に係る放送信号受信装置の構成を示した図である。
【発明を実施するための形態】
【００３３】
以下、添付の図面及び添付の図面に記載した内容を参照して本発明の実施例を詳細に説明するが、本発明が各実施例によって制限又は限定されることはない。
【００３４】
本明細書で使用される用語としては、本発明での機能を考慮しながら、可能な限り現在広く使用される一般的な用語を選択したが、これは、当分野に携わる技術者の意図、慣例又は新たな技術の出現などによって変わり得る。また、特定の場合は、出願人が任意に選定した用語もあり、この場合、該当する発明の説明部分でその意味を記載する。したがって、本明細書で使用される用語は、単純な用語の名称ではなく、その用語が有する実質的な意味と本明細書の全般にわたった内容に基づいて解釈すべきであることを明らかにしておく。
【００３５】
図１は、本発明の一実施例に係る放送信号送信方法を示した図である。
【００３６】
本発明の一実施例に係る放送信号送信方法は、次のような過程で処理することができる。
【００３７】
まず、本発明の一実施例に係るエンコーダは映像をエンコードすることができる（Ｓ１０１０）。本発明の一実施例に係る多重化部は、エンコードされた映像及び／又は映像に関するシグナリング情報を一つの放送ストリームに多重化することができる（Ｓ１０２０）。このとき、シグナリング情報は、パノラマ映像に関するシグナリング情報を含むことができる。本発明の一実施例に係る放送信号生成部は、多重化された放送ストリームを含む放送信号を生成することができる（Ｓ１０３０）。本発明の一実施例に係る伝送部は、生成された放送信号を伝送することができる（Ｓ１０４０）。このとき、伝送部は、地上波放送網、インターネット網及び／又はケーブル網を介して放送信号を伝送することができる。
【００３８】
本発明の他の一実施例によれば、映像に関するシグナリング情報は、現在視聴中の放送サービスに対応するパノラマ放送サービスに対する情報を示すイベント連結情報を含み、パノラマ映像に関するシグナリング情報は、パノラマ映像の構成を示すパノラマ構成情報を含むことができる。ここで、イベント連結情報はａｄｖａｎｃｅｄ＿ｅｖｅｎｔ＿ｌｉｎｋａｇｅ＿ｉｎｆｏを意味し得る。パノラマ構成情報はｐａｎｏｒａｍａ＿ｃｏｍｐｏｓｉｔｉｏｎ＿ｉｎｆｏを意味し得る。これに対しては、図１７及び図３０の説明部分で詳細に説明する。
【００３９】
本発明の他の一実施例によれば、エンコーダは、映像を一つ以上の映像に分割し、分割された映像をそれぞれエンコードすることができる。このとき、映像はパノラマ映像を含むことができる。これに対しては、図２、図６及び図７の説明部分で詳細に説明する。
【００４０】
本発明の他の一実施例によれば、エンコーダは、映像のうち、ユーザの関心領域（Ｒｅｇｉｏｎ  ｏｆ  Ｉｎｔｅｒｅｓｔ、ＲＯＩ）に対する高画質映像を提供するためのＲＯＩ（Ｒｅｇｉｏｎ  ｏｆ  Ｉｎｔｅｒｅｓｔ）追加情報をエンコードすることができ、多重化部は、エンコードされた映像、映像に関するシグナリング情報及び／又はエンコードされたＲＯＩ追加情報を一つの放送ストリームに多重化することができる。ここで、ＲＯＩ追加情報はＲＯＩエンハンスメントデータを意味し得る。これに対しては、図５、図１６及び図４１の説明部分で詳細に説明する。
【００４１】
本発明の他の一実施例によれば、パノラマ構成情報は、分割された映像に対する情報を含むことができる。ここで、分割された映像に対する情報はｐａｎｏｒａｍａ＿ｃｏｍｐｏｓｉｔｉｏｎ＿ｍｅｔａｄａｔａを意味し得る。これに対しては、図１７、図１９及び図２０の説明部分で詳細に説明する。
【００４２】
本発明の他の一実施例によれば、パノラマ構成情報は、分割された映像の区画化現象を除去するためのフィルタリング情報を含むことができる。ここで、区画化現象を除去するためのフィルタリング情報はｐａｎｏｒａｍａ＿ｆｉｌｔｅｒｉｎｇ＿ｍｅｔａｄａｔａを意味し得る。これに対しては、図１７及び図２２の説明部分で詳細に説明する。
【００４３】
本発明の他の一実施例によれば、パノラマ構成情報は、パノラマ映像を一つ以上の映像にクロップするための情報を含むことができる。ここで、クロップするための情報はｅｘｔｒａｃｔｉｏｎ＿ｉｎｆｏ＿ｍｅｔａｄａｔａを意味し得る。これに対しては、図３、図８、図１７、図２３及び図３８の説明部分で詳細に説明する。
【００４４】
本発明の他の一実施例によれば、パノラマ構成情報は、関心領域の映像に対する情報を含むことができる。ここで、関心領域の映像に対する情報はＲＯＩ＿ｉｎｆｏ＿ｍｅｔａｄａｔａを意味し得る。これに対しては、図１７、図２５及び図４１の説明部分で詳細に説明する。
【００４５】
本発明の一実施例は、パノラマ映像の長所を極大化するための効率的なディスプレイのための方法を提供することができる。例えば、本発明の一実施例は、ＲＯＩ（ｒｅｇｉｏｎ  ｏｆ  ｉｎｔｅｒｅｓｔ）領域のみを既存の受信機で受信する方法、多数の既存の受信機を用いて任意のサイズを有するパノラマビデオを効率的にディスプレイする方法、受信機でディスプレイできる領域以外にも、ユーザがスクローリングを通じて余剰領域を見ることができるようにする方法を提供することができる。
【００４６】
本発明の一実施例は、全体のパノラマ映像を一定サイズに分割してそれぞれエンコードし、これを各受信機に伝達し、多数の受信機で該当領域のパノラマ映像を出力できるようにすることができる。また、本発明の一実施例は、全体のパノラマ映像のうち一部領域の優先順位（ｐｒｉｏｒｉｔｙ）をシグナル（ｓｉｇｎａｌｉｎｇ）することによって、１台の既存のＤＴＶ受信機もパノラマ映像のうち一部領域をディスプレイできるようにすることができる（シナリオ１）。すなわち、シナリオ１は、分割されたパノラマ映像を一つのストリームで構成することができる。
【００４７】
本発明の他の一実施例は、全体のパノラマ映像とこれを分割できる座標値をシグナルし、一つのメイン（ｍａｉｎ）受信機で多数のサブ（ｓｕｂ）ＤＴＶ受信機にクロップ（ｃｒｏｐｐｉｎｇ）された映像を伝達させることができる。また、本発明の一実施例は、全ての受信機でパノラマ映像全体をデコードし、各受信機に合う該当領域のパノラマ映像を出力できるようにすることができる。また、本発明の一実施例は、１台の既存のＤＴＶ受信機でもクロップされた映像を視聴できるようにすることができる（シナリオ２）。すなわち、シナリオ２は、全体のパノラマ映像を一つのストリームで構成することができる。
【００４８】
本発明の他の一実施例は、ユーザのスクローリング要求を受ければ、デフォルト（ｄｅｆａｕｌｔ）領域をディスプレイしてから、スクローリング要求の分だけシフトされた映像をディスプレイさせることができる。多数の既存の１６：９ＤＴＶでパノラマ映像を分割して出力している場合、これによって、残りの他のＤＴＶでもスクローリングを連続的に自動的に行うことができる（シナリオ３）。シナリオ３によるサービスは、シナリオ１及び／又はシナリオ２をベースにして提供することができる。
【００４９】
本発明の他の一実施例は、ＲＯＩ領域に対する高画質のサービスを提供するためにＳＨＶＣ（ｓｃａｌａｂｌｅ  ＨＥＶＣ）を用いて向上層（ｅｎｈａｎｃｅｍｅｎｔ  ｌａｙｅｒ）で一部領域のエンハンスメントデータを提供することができ、これに対するシグナリング情報を提供することができる（シナリオ４）。
【００５０】
本発明の他の一実施例は、視聴者が一般の放送イベントを視聴している場合、視聴中のイベントに対応するパノラマサービスがあるとき、リンケージディスクリプタ（ｌｉｎｋａｇｅ  ｄｅｓｃｒｉｐｔｏｒ）を用いてパノラマサービスを提供することができる（シナリオ５）。
【００５１】
本発明の一実施例によれば、受信機は、既存の１６：９画面比を有するＤＴＶでも、パノラマの全体映像をリサイズすることなくディスプレイすることができる。本発明の一実施例は、パノラマ映像が含む一部のＲＯＩ（ｒｅｇｉｏｎ  ｏｆ  ｉｎｔｅｒｅｓｔ）領域を一つのディスプレイ装置が出力できるようにすることができ、多数の既存のＤＴＶがパノラマ映像を分割してディスプレイできるようにすることができる。
【００５２】
本発明の一実施例によれば、パノラマ映像がシナリオ１又は２の方法を用いて各受信機でディスプレイされるとき、ユーザのスクローリング要求が入力されれば映像をシフトさせ、選択的に映像をディスプレイすることができる。
【００５３】
本発明の一実施例によれば、ＲＯＩ領域に対する追加データ（エンハンスメントデータ）を伝送する方法を通じて大きいデータの伝送無しで高画質の映像サービスを提供することができる。
【００５４】
本発明の一実施例によれば、パノラマ映像サービスと１６：９画面比の映像サービスとを連結することができる。ここで、１６：９画面比の映像サービスは、パノラマ映像で分割されたものであってもよく、既存の１６：９画面比の映像サービスであってもよい。
【００５５】
図２は、本発明の一実施例に係るシナリオ１の構成を示した図である。
【００５６】
本発明の一実施例に係るシナリオ１は、任意のサイズの全体のパノラマ映像を任意のサイズに分割してエンコードし、これを各受信機に伝達し、多数の受信機で該当領域のパノラマ映像を出力できるようにすることができる。また、シナリオ１は、全体のパノラマ映像のうち一部領域のナンバリング（ｎｕｍｂｅｒｉｎｇ）を通じて（又は一部領域をベースビュー（ｂａｓｅ  ｖｉｅｗ）と指定）既存のパノラマ映像全体をリサイズ無しでは出力できない受信機も、所望の領域をディスプレイできるようにすることができる。
【００５７】
本発明の一実施例によれば、この図面において実線で表示されたように、分割されてエンコードされたストリームは、いずれもメイン受信機に伝送することができる。メイン受信機は、伝送されたストリームをデコードした後、デコードされた各映像をサブ受信機に伝達することができる。
【００５８】
本発明の他の一実施例によれば、この図面において点線で表示されたように、分割されたそれぞれの映像に対してエンコードされた各ストリームをそれぞれサブ受信機及びメイン受信機に伝送することができる。サブ受信機及びメイン受信機は、伝送された各映像に対するストリームをデコードした後でディスプレイすることができる。
【００５９】
図３は、本発明の一実施例に係るシナリオ２の構成を示した図である。
【００６０】
本発明の一実施例に係るシナリオ２は、全体のパノラマ映像とこれをクロップできる座標値をシグナルすることができる。これによって、シナリオ２は、多数のＤＴＶ受信機が該当領域のパノラマ映像を分割して出力できるようにすることができる。シナリオ２は、既存のＤＴＶのみを有している受信者にも一部のパノラマ映像をクロップして提供することができる。また、シナリオ２は、セカンドデバイス（ｓｅｃｏｎｄ  ｄｅｖｉｃｅ）がクロップされた領域をディスプレイさせることができる。
【００６１】
本発明の一実施例によれば、この図面において実線３０１０で表示されたように、全体のパノラマ映像に対してエンコードされた一つのストリームはメイン受信機に伝送することができる。メイン受信機は、伝送されたストリームをデコードすることができ、クロップ（ｃｒｏｐ）座標を用いて全体のパノラマ映像のうち一部を抽出することができる。そして、メイン受信機は、抽出された一部の映像をサブ受信機に伝達することができる。
【００６２】
本発明の他の一実施例によれば、この図面において点線３０２０で表示されたように、全体のパノラマ映像に対してエンコードされたストリームは、全てのサブ受信機及びメイン受信機に伝送することができる。各受信機は、伝送されたストリームをデコードし、クロップ座標を用いてクロップし、各受信機で必要な映像をディスプレイすることができる。
【００６３】
本発明の他の一実施例によれば、この図面において他の点線３０３０で表示されたように、全体のパノラマ映像に対してエンコードされたストリームは、既存の受信機及び／又はセカンドデバイスに伝送することができる。既存の受信機及び／又はセカンドデバイスは、伝送されたストリームをデコードすることができ、クロップ座標を用いてクロップすることができ、クロップされた映像をディスプレイすることができる。
【００６４】
図４は、本発明の一実施例に係るシナリオ３の構成を示した図である。
【００６５】
本発明の一実施例に係るシナリオ３は、受信機がパノラマ映像のうち一部の領域をデフォルト領域に出力させ、ユーザのスクローリング要求がある場合、該当のスクローリング情報の分だけ座標値を移動し、該当領域をディスプレイさせることができる。
【００６６】
本発明の一実施例に係るスクローリング方法は、パノラマ映像をディスプレイするディスプレイの個数によって変わることもあり、エンコードされたストリームの個数によって変わることもある。
【００６７】
図５は、本発明の一実施例に係るシナリオ４の構成を示した図である。
【００６８】
本発明の一実施例に係るシナリオ４は、ＲＯＩ領域に対する高画質のズームイン（ｚｏｏｍｉｎ）及びズームアウト（ｚｏｏｍｏｕｔ）機能を提供することができる。このために、シナリオ４は、ＳＨＶＣの向上層を用いてパノラマ映像が含む一部領域に対するエンハンスメントデータを提供することができ、これに対するシグナリングを提供することができる。
【００６９】
この図面を見れば、パノラマ映像は、基本層（ｂａｓｅ  ｌａｙｅｒ）又は他の向上層のストリームにエンコード（ＨＥＶＣ  Ｅｎｃｏｄｅｒ）して伝送することができる。受信端は、エンコードされたストリームをデコード（ＨＥＶＣ  Ｄｅｃｏｄｅｒ）してディスプレイすることができる。一方、ＲＯＩに対するエンハンスメントデータは、向上層のストリームにエンコード（ＳＨＶＣ  Ｅｎｃｏｄｅｒ）して伝送することができる。受信端は、エンコードされたストリームをデコード（ＳＨＶＣ  Ｄｅｃｏｄｅｒ）してディスプレイすることができる。このとき、受信機は、ＲＯＩ領域に対する情報（ＲＯＩ＿ｓｔａｒｔ＿ｘ、ＲＯＩ＿ｓｔａｒｔ＿ｙ、ＲＯＩ＿ｗｉｄｔｈ及び／又はＲＯＩ＿ｈｅｉｇｈｔ）を用いて受信したパノラマ映像のＲＯＩ領域をクロップすることができ、受信したエンハンスメントデータを用いてＲＯＩ領域に対して高画質の映像を提供することができる。ここで、ＳＨＶＣはｓｃａｌａｂｌｅ  ＨＥＶＣの略称であって、ＨＥＶＣをベースにするスケーラブル（ｓｃａｌａｂｌｅ）コーデックに該当し得る。よって、ＳＨＶＣはＨＥＶＣを含み、さらに、向上層ストリームをエンコード及び／又はデコードし、スケーラビリティ（ｓｃａｌａｂｉｌｉｔｙ）機能を提供することができる。ここで、向上層は、基本層のＨＥＶＣストリームに含まれた情報を除いた付加情報（ｒｅｓｉｄｕａｌ  ｄａｔａ）を有するストリームを含む層に該当し得る。
【００７０】
本発明の他の一実施例に係るシナリオ５は、視聴者が一般の放送イベントを視聴している場合、これと関連して対応するパノラマサービスがあれば、リンケージディスクリプタを用いてパノラマサービスを提供することができる。ここで、イベントは放送プログラムを意味し得る。
【００７１】
図６は、本発明の一実施例に係るパノラマ映像を分割する方法を示した図である。
【００７２】
本発明の一実施例によれば、パノラマ映像は、左側（ｌｅｆｔ）、中央（ｃｅｎｔｅｒ）及び右側（ｒｉｇｈｔ）の形態に分割することができ、この図面に示したように、モザイク形態の多数の映像に分割することができる。
【００７３】
本発明の一実施例によれば、この図面に示したように、分割された各映像を一次元の形態にシグナルすることができ（６０１０）、二次元の座標値の形態にシグナルすることができる。このとき、番号を割り当てる順序は変わってもよい。
【００７４】
図７は、本発明の一実施例に係るシナリオ１のパノラマサービス構成を示した図である。
【００７５】
本発明の一実施例は、１６：９画面比のフォーマットと互換できるサービス（ｓｅｒｖｉｃｅ１）を中心にして、任意のサイズを有するパノラマ映像を一定領域に分割することができる。分割された映像は、それぞれエンコードして多数の受信機に伝送することができる。各受信機は、該当領域の映像をディスプレイすることができる。
【００７６】
パノラマ映像全体を多数の受信機にディスプレイするために、本発明の一実施例は、サービス１（ｓｅｒｖｉｃｅ  １）に該当する映像７０１０、サービス２（ｓｅｒｖｉｃｅ  ２）に該当する映像７０２０、サービス３（ｓｅｒｖｉｃｅ  ３）に該当する映像７０３０及び／又はパノラマ構成情報（ｐａｎｏｒａｍａ  ｃｏｍｐｏｓｉｔｉｏｎ  ｉｎｆｏｒｍａｔｉｏｎ）を用いて各受信機に各サービス及び／又はパノラマサービスを提供することができる。
【００７７】
本発明の一実施例によれば、パノラマ映像のディスプレイが可能なビデオウォール（ｖｉｄｅｏ  ｗａｌｌ）及び／又はサイネージ（ｓｉｇｎａｇｅ）は、パノラマ構成情報を用いて原本状態のパノラマ映像を構成してディスプレイすることができる。ここで、ビデオウォールは、多数のビデオ画面を積んだ大型画面を意味し得る。サイネージは、ディスプレイ広告掲示板などの大型ディスプレイを意味し得る。
【００７８】
本発明の他の一実施例によれば、受信機は、既存の１６：９画面比のＤＴＶでパノラマ映像をリサイズすることなくディスプレイすることができ、この場合、分割された映像７０１０、７０２０、７０３０のうちユーザによって選択された映像のみをディスプレイすることができる。また、本発明の一実施例は、デフォルトに指定されたサービス１（ｓｅｒｖｉｃｅ  １）を提供することができる。
【００７９】
図８は、本発明の一実施例に係るシナリオ２のパノラマサービス構成を示した図である。
【００８０】
本発明の一実施例は、任意のサイズを有するパノラマ映像を分割できるクロップ座標値をパノラマ映像と共に一つ以上の受信機に伝送することができる。各受信機は、全体のパノラマ映像を受信してデコードした後、クロップ座標値を用いて全体のパノラマ映像をクロップすることができる。
【００８１】
本発明の一実施例によれば、１６：９画面比の受信機でパノラマ映像をリサイズすることなくディスプレイする場合、受信機は、クロップ座標値を含む抽出情報メタデータ（ｅｘｔｒａｃｔｉｏｎ  ｉｎｆｏ  ｍｅｔａｄａｔａ）を用いてユーザが望む画面を選択し、これをディスプレイすることができる。このとき、受信機は、抽出情報メタデータに含まれた多数のクロップ座標のうちデフォルトに指定されたクロップ座標を用いて１６：９サービスを提供することができる。ここで、受信機はＤＴＶを意味し得る。
【００８２】
本発明の他の一実施例によれば、パノラマ映像全体を多数の受信機でディスプレイする場合、各受信機は、抽出情報メタデータを用いて全体のパノラマ映像を分割し、各受信機に該当する分割された映像をディスプレイすることができる。ここで、受信機はＤＴＶを意味し得る。
【００８３】
本発明の他の一実施例によれば、パノラマ映像のディスプレイが可能なビデオウォール及び／又はサイネージは、抽出情報メタデータを無視し、パノラマ映像をディスプレイすることができる。
【００８４】
図９は、本発明の一実施例に係るシナリオ１ベースの分割されたパノラマ映像をエンコードしたストリームを多数の受信機がデコードする場合、スクローリングによる受信機の動作を示した図である。
【００８５】
本発明の一実施例によれば、シナリオ１又はシナリオ２を通じて構成されたパノラマ映像において、ｘ軸に＋Ｘだけ、ｙ軸に＋Ｙだけのスクローリング要求がある場合、受信機は、全体のパノラマ映像で右側にＸの上方にＹだけシフトされた映像をディスプレイすることができる。このとき、本発明の一実施例に係るシナリオ３（スクローリングによる受信機の動作）は、分割されたパノラマ映像を一つのストリームで構成するシナリオ１をベースにする場合と、全体のパノラマ映像を一つのストリームで構成するシナリオ２をベースにする場合において異なる方法によってサービスを提供することができる。
【００８６】
本発明の一実施例に係るシナリオ３は、シナリオ１をベースにするとしても、分割されたパノラマ映像をエンコードしたストリームを多数の受信機がデコードする場合と、分割されたパノラマ映像をエンコードしたストリームを一つの受信機がデコードする場合において異なる方法によってサービスを提供することができる。
【００８７】
この図面は、シナリオ１ベースの分割されたパノラマ映像をエンコードしたストリームを多数の受信機がデコードする場合、シナリオ３による受信機の動作を示した図である。
【００８８】
本発明の一実施例によって全体のパノラマ映像がいくつかの映像に分割され、各分割されたパノラマ映像がそれぞれのストリームに送信される場合（シナリオ１）、各受信機は、出力しなければならない各ストリームをデコードしてディスプレイすることができる。このとき、ユーザからスクローリング要求を受けた場合、各受信機は、デコードした映像のうちユーザがスクローリングを要求した部分だけの映像を分割して他の受信機に伝達したり、他の受信機から必要な映像を受け取ることができる。そして、この場合、ユーザがスクローリングを要求した部分だけの映像、すなわち、必要な映像は、ＩＰ（ｉｎｔｅｒｎｅｔ  ｐｒｏｔｏｃｏｌ）、ＵＰｎＰ（ｕｎｉｖｅｒｓａｌ  ｐｌｕｇ  ａｎｄ  ｐｌａｙ）、ＨＤＭＩ（ｈｉｇｈ  ｄｅｆｉｎｉｔｉｏｎ  ｍｕｌｔｉｍｅｄｉａ  ｉｎｔｅｒｆａｃｅ）などの方法を用いて伝達することができる。
【００８９】
本発明の一実施例によれば、この図面に示したように、全体のパノラマ映像は６個の映像に分割することができる。このとき、本発明の一実施例は、説明の便宜上、左側上端の映像から右側下端の映像まで１から６までの番号を付けることができる。各分割された映像は多数の受信機にそれぞれ伝達することができる。例えば、分割された１番及び２番の映像はそれぞれエンコードすることができ、エンコードされた各ストリームは受信機１に伝達することができる。同様に、分割された３番及び４番の映像は受信機２に伝達することができ、分割された５番及び６番の映像は受信機３に伝達することができる。このとき、ユーザのスクローリング要求がある場合、スクローリング要求を受けた受信機はメイン受信機になり、メイン受信機は、他のサブ受信機にスクローリング要求を伝達し、これに対するシグナリング情報を伝達することができる。例えば、左側から右側に移動するユーザのスクローリング要求がある場合、この図面において、受信機１は受信機１で元のディスプレイされていた映像のスクローリングによって移動した分だけの左側部分にバーデータ（ｂａｒ  ｄａｔａ）を挿入することができ、スクローリングによって移動した分だけの右側部分（Ａ領域）は受信機１でデコードするが、デコーディング後に受信機２の左側部分（Ａ'領域）に移動して受信機２から出力することができる。受信機２は、受信機１からデコードされたＡ領域の映像を受け取ってディスプレイすることができ、受信機２で元のディスプレイされていた映像のスクローリングによって移動した分だけの右側部分（Ｂ領域）は受信機２でデコードするが、デコーディング後に受信機３の左側部分（Ｂ'領域）に移動して受信機３から出力することができる。受信機３は、受信機２からデコードされたＢ領域の映像を受け取ってディスプレイすることができ、受信機３で元のディスプレイされていた映像のスクローリングによって移動した分だけの右側部分はディスプレイされない場合がある。本発明の一実施例によれば、この図面において、受信機１は、受信機２にデコードされたＡ領域の映像及び／又はＡ領域に対する座標情報（幅及び／又は高さ）を伝達することができる。同様に、受信機２は、受信機３にデコードされたＢ領域の映像及び／又はＢ領域に対する座標情報を伝達することができる。
【００９０】
この図面は、シナリオ１ベースの分割されたパノラマ映像をエンコードしたストリームを多数の受信機がデコードする場合、シナリオ３（スクローリング）による受信機の動作を示した図である。
【００９１】
本発明の一実施例によって全体のパノラマ映像が多数の映像に分割され、各分割されたパノラマ映像がそれぞれのストリームに送信される場合（シナリオ１）、メイン受信機は全てのストリームを受信及びデコードすることができ、デコードされた全ての分割された映像をサブ受信機に伝達することができる。すなわち、本発明の一実施例は、メイン受信機で全ての映像をデコードして全体のパノラマ映像を構成し、各サブ受信機でディスプレイしなければならない映像を伝達する方法を示すので、結局、シナリオ２（クロッピング）のメイン受信機で全体のパノラマ映像をデコードして複数台の受信機に伝達する方法と同一であり得る。
【００９２】
各サブ受信機は、出力しなければならない映像をメイン受信機から受け取り、伝達された映像をディスプレイすることができる。このとき、ユーザからスクローリング要求を受ける場合、メイン受信機は、デコードした全体のパノラマ映像のうちユーザがスクローリングを要求した分だけ映像を移動させ、他のサブ受信機で出力するデコードされた映像をＩＰ（ｉｎｔｅｒｎｅｔ  ｐｒｏｔｏｃｏｌ）、ＵＰｎＰ（ｕｎｉｖｅｒｓａｌ  ｐｌｕｇ  ａｎｄ  ｐｌａｙ）、ＨＤＭＩ（ｈｉｇｈ  ｄｅｆｉｎｉｔｉｏｎ  ｍｕｌｔｉｍｅｄｉａ  ｉｎｔｅｒｆａｃｅ）などの方法を用いてサブ受信機に伝達することができる。
【００９３】
本発明の一実施例によれば、この図面に示したように、全体のパノラマ映像は６個の映像に分割することができる。このとき、本発明の一実施例は、説明の便宜上、左側上端の映像から右側下端の映像まで１から６までの番号を付けることができる。各分割された映像はそれぞれエンコードすることができ、エンコードされた各ストリームは一つの受信機に伝達することができる。例えば、分割された１番〜６番の映像はそれぞれエンコードすることができ、エンコードされた各ストリームは全て受信機２に伝達することができる。このとき、ユーザのスクローリング要求がある場合、スクローリング要求を受けた受信機はメイン受信機になり、メイン受信機は、他のサブ受信機にスクローリング要求を伝達し、これに対するシグナリング情報を伝達することができる。例えば、左側から右側に移動するユーザのスクローリング要求がある場合、全体のパノラマ映像のうち各受信機でディスプレイされる映像は変更することができ、メイン受信機は全体のパノラマ映像をデコードし、各受信機でディスプレイされる各映像を再分割して各サブ受信機に伝達することができる。このとき、受信機１は、受信機１で元のディスプレイされていた映像のスクローリングによって移動した分だけの左側部分にバーデータを挿入することができ、受信機３で元のディスプレイされていた映像のスクローリングによって移動した分だけの右側部分はディスプレイされない場合がある。
【００９４】
図１１は、本発明の一実施例に係るパノラマ映像を多数のディスプレイサイズが同じ受信機でディスプレイする場合、スクローリング要求によるパノラマ映像の配置を示した図である。
【００９５】
本発明の一実施例に係るメイン受信機（ｍａｉｎ  ｄｉｓｐｌａｙ）は、メイン受信機に伝送されたストリームをスクローリング要求と関係なくデコードすることができる。その後、ｘ軸に＋Ｘだけ、ｙ軸に＋Ｙだけスクロールする要求が入ってくれば、メイン受信機は、（０，０）地点でｘ軸に＋Ｘだけ、ｙ軸に＋Ｙだけ移動した地点からメイン受信機のディスプレイと同一の幅と高さを有する映像を出力することができる。例えば、この図面では、ｘ軸に７００だけ（左側方向）、ｙ軸に０だけスクロールする場合に対するパノラマ映像の配置を示した。
【００９６】
本発明の一実施例によれば、サブ受信機（ｓｕｂｄｉｓｐｌａｙ  １、ｓｕｂｄｉｓｐｌａｙ２）でデコードされたが、メイン受信機又は他のサブ受信機でディスプレイされなければならない映像がある場合、映像をデコードしたサブ受信機は、デコードされた映像をディスプレイするメイン受信機又は他のサブ受信機に伝達することができる。同様に、メイン受信機でデコードされたが、他のサブ受信機でディスプレイされなければならない映像がある場合、映像をデコードしたメイン受信機は、デコードされた映像をディスプレイするサブ受信機に伝達することができる。
【００９７】
本発明の一実施例に係るサブ受信機（ｓｕｂｄｉｓｐｌａｙ  １、ｓｕｂｄｉｓｐｌａｙ  ２）は、メイン受信機からユーザのスクローリング要求を受け取ることができる。サブ受信機は、受信したストリームをスクローリング要求と関係なくデコードすることができる。その後、ｘ軸に＋Ｘだけ、ｙ軸に＋Ｙだけスクロールする要求が入ってくれば、メイン受信機は、（０，０）地点でｘ軸に＋Ｘだけ、ｙ軸に＋Ｙだけ移動した地点からメイン受信機のディスプレイと同一の幅と高さを有する映像を出力することができる。サブ受信機は、スクローリングによってサブ受信機のディスプレイに空き領域が生じる場合、サブ受信機の出力解像度及びスクローリング情報（ｓｃｒｏｌｌｉｎｇ  ｉｎｆｏ）をベースにしてバーデータを挿入することができる。ここで、バーデータとしてレターボックス（ｌｅｔｔｅｒ  ｂｏｘ）及び／又はピラーボックス（ｐｉｌｌａｒｂｏｘ）を挿入することができ、レターボックス及びピラーボックスを結合して挿入することができる。
【００９８】
本発明の一実施例に係るサブ受信機において、デコードしてはいないが、ディスプレイしなければならない映像がある場合、メイン受信機又は他のサブ受信機からデコードされた映像を受け取ることができる。
【００９９】
図１２は、本発明の一実施例に係るパノラマ映像を多数のディスプレイサイズが異なる受信機でディスプレイする場合、スケーリングを用いたスクローリング要求によるパノラマ映像の配置を示した図である。
【０１００】
上述した多数のディスプレイサイズが同じ受信機でディスプレイする場合と異なり、本発明の他の一実施例は、各受信機のディスプレイサイズが異なるので、スケーリングダウン（ｓｃａｌｉｎｇ  ｄｏｗｎ）及び／又はスケーリングアップ（ｓｃａｌｉｎｇ  ｕｐ）段階を再度経ることができる。本発明の一実施例は、多数の受信機を使用するために、多重モニターを使用するときと同様にメイン受信機とサブ受信機との間でスクリーンサイズ及び／又は出力解像度に関する情報をやり取りし、多数の受信機が連結される位置を設定することができる。
【０１０１】
本発明の一実施例に係るメイン受信機及びサブ受信機は、互いのスクリーンサイズ及び／又は出力解像度に関する情報をやり取りすることができる。このような情報交換は、最初の実行時にのみ行うことができる。本発明の一実施例によれば、ユーザがスクローリングを要求した受信機がメイン受信機になり、メイン受信機は、スクローリング関連情報を他の全てのサブ受信機に伝達することができる。
【０１０２】
本発明の一実施例に係るメイン受信機（ｍａｉｎ  ｄｉｓｐｌａｙ）は、メイン受信機に伝送されたストリームをスクローリング要求と関係なくデコードすることができる。その後、ｘ軸に＋Ｘだけ、ｙ軸に＋Ｙだけスクロールする要求が入ってくると、メイン受信機は、（０，０）地点でｘ軸に＋Ｘだけ、ｙ軸に＋Ｙだけ移動した地点からメイン受信機のディスプレイと同一の幅と高さを有する映像を出力することができる。例えば、この図面では、ｘ軸に７００だけ（左側方向）、ｙ軸に０だけスクロールする場合に対するパノラマ映像の配置を示した。
【０１０３】
本発明の一実施例に係るメイン受信機のディスプレイサイズが他のサブ受信機のディスプレイサイズより大きい場合、メイン受信機から他のサブ受信機に送る映像は、サブ受信機の出力解像度及び／又はスクリーンサイズに基づいてスケールダウン（ｓｃａｌｅｄｏｗｎ）して各サブ受信機に伝達することができる（１２０１０）。その一方で、サブ受信機からメイン受信機に送る映像は、メイン受信機の出力解像度及び／又はスクリーンサイズに基づいてスケールアップ（ｓｃａｌｅｕｐ）してメイン受信機に伝達することができる（１２０２０）。
【０１０４】
本発明の一実施例に係るサブ受信機（ｓｕｂｄｉｓｐｌａｙ  １、ｓｕｂｄｉｓｐｌａｙ  ２）は、メイン受信機からユーザのスクローリング要求を受け取ることができる。サブ受信機は、受信したストリームをスクローリング要求と関係なくデコードすることができる。その後、ｘ軸に＋Ｘだけ、ｙ軸に＋Ｙだけスクロールする要求が入ってくると、メイン受信機は、（０，０）地点でｘ軸に＋Ｘだけ、ｙ軸に＋Ｙだけ移動した地点からメイン受信機のディスプレイと同一の幅と高さを有する映像を出力することができる。サブ受信機は、スクローリングによってサブ受信機のディスプレイに空き領域が生じる場合、サブ受信機の出力解像度及びスクローリング情報をベースにしてバーデータを挿入することができる。ここで、バーデータとしてレターボックス及び／又はピラーボックスを挿入することができ、レバーボックス及びピラーボックスを結合して挿入することができる。
【０１０５】
図１３は、本発明の一実施例に係るパノラマ映像を多数のディスプレイサイズが異なる受信機でディスプレイする場合、クロッピングを用いたスクローリング要求によるパノラマ映像の配置を示した図である。
【０１０６】
上述したスケーリングを用いたスクローリング要求によるパノラマ映像の配置と異なり、本発明の他の一実施例は、デコードされた映像をスケーリング過程無しでディスプレイサイズに合わせてクロップして各受信機に配置することができる。
【０１０７】
本発明の一実施例に係るサブ受信機（ｓｕｂｄｉｓｐｌａｙ  １、ｓｕｂｄｉｓｐｌａｙ  ２）は、分割されたストリームを受信し、各受信機の出力解像度、多数の受信機が連結される座標値、多数の受信機のディスプレイサイズ及び／又はスクローリング情報を用いて、受信された分割されたストリームをデコードした後、サブ受信機のディスプレイサイズに合わせて映像をクロップすることができる。
【０１０８】
ユーザのスクローリング要求がある場合、本発明の一実施例は、各受信機の出力解像度、多数の受信機が連結される座標値、多数の受信機のディスプレイサイズ及び／又はスクローリング情報を用いてメイン受信機から出力していた１番の映像１３０１０をクロップして捨てることができる。サブ受信機でサブ受信機のディスプレイサイズに合わせるために捨てられた２番の映像１３０２０は、デコーディング後に捨てなく、３番の映像１３０３０と共にメイン受信機に伝達することができる。例えば、この図面では、ｘ軸に７００だけ（左側方向）、ｙ軸に０だけスクロールする場合に対するパノラマ映像の配置を示した。
【０１０９】
図１４は、本発明の一実施例に係るパノラマ映像を二つの受信機でディスプレイする場合の両受信機の動作を示した図である。
【０１１０】
本発明の一実施例によれば、ユーザからスクローリング要求を受け取った受信機はメイン受信機であってもよく、残りの他の受信機はサブ受信機であってもよい。
【０１１１】
本発明の一実施例によれば、メイン受信機とサブ受信機は、相互間でターゲットディスプレイサイズ（ｔａｒｇｅｔ  ｄｉｓｐｌａｙ  ｓｉｚｅ）及び／又は出力解像度情報を交換することができる。ここで、ターゲットディスプレイサイズは、メイン受信機及び／又はサブ受信機のディスプレイサイズを示すことができる。メイン受信機とサブ受信機は、分割されたパノラマ映像に対するストリームをそれぞれ受信することができ、受信された各ストリームをデコードすることができる。その後、ｘ軸に＋Ｘだけ、ｙ軸に＋Ｙだけ移動（（ｘ，ｙ）＞（ｘ'，ｙ'））するようにスクローリング要求がある場合、メイン受信機はスクローリング要求を受信し、スクローリング情報をサブ受信機に伝達することができる。メイン受信機は、スクローリング情報及び／又はターゲットディスプレイ情報を用いてメイン受信機でデコードしたストリームに対する映像を分離した後、これをサブ受信機に伝達することができる。同様に、サブ受信機は、スクローリング情報及び／又はターゲットディスプレイ情報を用いてサブ受信機でデコードしたストリームに対する映像を分離した後、これをメイン受信機に伝達することができる。ここで、ターゲットディスプレイ情報は、ターゲットディスプレイサイズ及び／又は出力解像度情報を含むことができる。デコードしたストリームに対する映像を分離する方法は、上述したスケーリング及び／又はクロッピング方法を含むことができる。
【０１１２】
図１５は、本発明の一実施例に係るシナリオ２ベースの一つのストリームにエンコードされた全体のパノラマ映像を受信機が受信する場合、スクローリングによる受信機の動作を示した図である。
【０１１３】
本発明の一実施例に係るシナリオ２は、全体のパノラマ映像が一つのストリームで構成され、クロップ座標を用いて全体のパノラマ映像が多数の映像に分割される場合を示すことができる。
【０１１４】
シナリオ２によれば、一つの受信機が全体のパノラマ映像に対するストリームを全てデコードした後、クロップ座標を用いて全体のパノラマ映像を分割し、他の受信機に分割された映像を伝達することができる（シナリオ２１）。そして、全ての受信機が全体のパノラマ映像に対するストリームを全てデコードした後、クロップ座標を用いて各受信機でディスプレイする領域のみを出力することができる（シナリオ２２）。
【０１１５】
上述したシナリオ２１の場合、ユーザのスクローリング要求があれば、本発明の一実施例は、ユーザのスクローリング要求によってクロップ座標値を移動させることができる（（ｘ，ｙ）＞（ｘ'，ｙ'））。本発明の一実施例は、クロップ座標値によって全体のパノラマ映像をクロップすることができる。メイン受信機は、クロップされて分割された映像をサブ受信機に伝達することができる。そして、サブ受信機は、伝達された分割された映像をディスプレイすることができる。
【０１１６】
上述したシナリオ２２の場合、ユーザのスクローリング要求があれば、スクローリング要求を受け取ったメイン受信機が他のサブ受信機にスクローリング情報を伝達することができる。全ての受信機は、全体のパノラマ映像をデコードすることができる。各受信機は、ユーザのスクローリング要求によってクロップ座標値を移動させ、クロップ座標値によって全体のパノラマ映像をクロップすることができる。そして、クロップされて分割された映像をディスプレイすることができる。
【０１１７】
図１６は、本発明の一実施例に係るシナリオ４ベースのパノラマサービス構成を示した図である。
【０１１８】
本発明の一実施例に係るシナリオ４は、ＲＯＩ領域に対する高画質のサービスを提供するためにＳＨＶＣ（ｓｃａｌａｂｌｅ  ＨＥＶＣ）を用いて向上層で一部の領域のエンハンスメントデータを提供することができ、これに対するシグナリング情報を提供することができる。
【０１１９】
本発明の一実施例は、パノラマ映像のうちＲＯＩ領域を指定することができ、ＲＯＩ領域に対して既存の基本層信号に追加されるエンハンスメントデータを向上層にエンコードして伝送することができる。パノラマ映像が低画質である場合、ＲＯＩ領域の映像に対して高画質のサービスを提供するためにエンハンスメントデータを用いることができる。これによって、本発明の一実施例は、高画質のＲＯＩ領域を含むパノラマサービスを提供することができる。
【０１２０】
この図面に示した、ＲＯＩのための付加データ（ｒｅｓｉｄｕａｌ  ｄａｔａ  ｆｏｒ  ＲＯＩ）は、エンハンスメントデータと同一の意味を示すことができ、ＲＯＩ領域の幅、高さ、及び開始点座標（ｘ，ｙ）を含むことができる。
【０１２１】
図１７は、本発明の一実施例に係るｐａｎｏｒａｍａ＿ｃｏｍｐｏｓｉｔｉｏｎ＿ｉｎｆｏの構成を示した図である。
【０１２２】
本発明の一実施例に係るｐａｎｏｒａｍａ＿ｃｏｍｐｏｓｉｔｉｏｎ＿ｉｎｆｏは、ＳＥＩ（ｓｕｐｐｌｅｍｅｎｔａｌ  ｅｎｈａｎｃｅｍｅｎｔ  ｉｎｆｏｒｍａｔｉｏｎ）メッセージに含ませて伝送することができる。ｐａｎｏｒａｍａ＿ｃｏｍｐｏｓｉｔｉｏｎ＿ｉｎｆｏは、ｐａｎｏｒａｍａ＿ｃｏｍｐｏｓｉｔｉｏｎ＿ｉｎｆｏｒｍａｔｉｏｎと命名することができる。
【０１２３】
本発明の一実施例に係るｐａｎｏｒａｍａ＿ｃｏｍｐｏｓｉｔｉｏｎ＿ｉｎｆｏは、ｐａｎｏｒａｍａ＿ｓｅｒｖｉｃｅ＿ｔｙｐｅフィールド、ｐａｎｏｒａｍａ＿ｃｏｍｐｏｓｉｔｉｏｎ＿ｉｎｆｏ＿ｖｅｒフィールド、ｐａｎｏｒａｍａ＿ｗｉｄｔｈ＿ｄｉｖ３２フィールド、ｐａｎｏｒａｍａ＿ｈｅｉｇｈｔ＿ｄｉｖ３２フィールド、ｐａｎｏｒａｍａ＿ｐｒｏｆｉｌｅフィールド、ｐａｎｏｒａｍａ＿ｌｅｖｅｌフィールド、ｐａｎｏｒａｍａ＿ｔｉｅｒフィールド、ｐａｎｏｒａｍａ＿ｓｔｒｅａｍ＿ｎｕｍフィールド、ｐａｎｏｒａｍａ＿ｖｉｅｗ＿ｎｕｍフィールド、ｐａｎｏｒａｍａ＿ｖｉｅｗ＿ｐｒｉｏｒｉｔｙフィールド、ｉｎｃｌｕｄｅｄ＿ｓｔｒｅａｍ＿ｉｄフィールド、ｐａｎｏｒａｍａ＿ｃｏｍｐｏｓｉｔｉｏｎ＿ｍｅｔａｄａｔａ（）フィールド、ｐａｎｏｒａｍａ＿ｆｉｌｔｅｒｉｎｇ＿ｍｅｔａｄａｔａ（）フィールド、ｃｒｏｐｐｉｎｇ＿ｒｅｇｉｏｎ＿ｎｕｍフィールド、ｅｘｔｒａｃｔｉｏｎ＿ｉｎｆｏ＿ｍｅｔａｄａｔａ（）フィールド、ＲＯＩ＿ｎｕｍフィールド、ＲＯＩ＿ｃｏｄｅｃ＿ｔｙｐｅフィールド及び／又はＲＯＩ＿ｉｎｆｏ＿ｍｅｔａｄａｔａ（）フィールドを含むことができる。
【０１２４】
ｐａｎｏｒａｍａ＿ｓｅｒｖｉｃｅ＿ｔｙｐｅフィールドは、該当プログラムが如何なる比率で構成されたパノラマ映像サービスであるのかを示すことができる。これに対しては後で詳細に説明する。
【０１２５】
ｐａｎｏｒａｍａ＿ｃｏｍｐｏｓｉｔｉｏｎ＿ｉｎｆｏ＿ｖｅｒフィールドは、ｐａｎｏｒａｍａ＿ｃｏｍｐｏｓｉｔｉｏｎ＿ｉｎｆｏのバージョン番号を示すことができる。本発明の一実施例は、ｐａｎｏｒａｍａ＿ｃｏｍｐｏｓｉｔｉｏｎ＿ｉｎｆｏのデータの一部が変更される場合、バージョン番号を「１」ずつ増加させ、アップデートバージョン（ｕｐｄａｔｅ  ｖｅｒｓｉｏｎ）であることを示すことができる。
【０１２６】
ｐａｎｏｒａｍａ＿ｗｉｄｔｈ＿ｄｉｖ３２フィールドは、原本のパノラマ映像の解像度をシグナルするための幅を示すことができる。実際の幅値は、このフィールド値に３２を掛けた値であり得る。この図面に示していないが、ｐａｎｏｒａｍａ＿ｃｏｍｐｏｓｉｔｉｏｎ＿ｉｎｆｏは、画面比（ａｓｐｅｃｔ  ｒａｔｉｏ）情報を含むｐａｎｏｒａｍａ＿ａｓｐｅｃｔ＿ｒａｔｉｏフィールドを含むことができる。
【０１２７】
ｐａｎｏｒａｍａ＿ｈｅｉｇｈｔ＿ｄｉｖ３２フィールドは、原本のパノラマ映像の解像度をシグナルするための高さを示すことができる。実際の高さ値は、このフィールド値に３２を掛けた値であり得る。
【０１２８】
ｐａｎｏｒａｍａ＿ｐｒｏｆｉｌｅフィールドは、全体のパノラマ映像に対するプロファイル情報を示すことができる。
【０１２９】
ｐａｎｏｒａｍａ＿ｌｅｖｅｌフィールドは、全体のパノラマ映像に対するレベル情報を示すことができる。
【０１３０】
ｐａｎｏｒａｍａ＿ｔｉｅｒフィールドは、全体のパノラマ映像に対するティア情報を示すことができる。ここで、使用されるコーデック（ｃｏｄｅｃ）の種類によってティアの概念は使用されない場合がある。ティアを使用しない場合はメインティア（ｍａｉｎ  ｔｉｅｒ）と同一にシグナルすることができる。
【０１３１】
ｐａｎｏｒａｍａ＿ｓｔｒｅａｍ＿ｎｕｍフィールドは、ｐａｎｏｒａｍａ＿ｓｅｒｖｉｃｅ＿ｔｙｐｅが１である場合、全体のパノラマ映像が分離されたストリームの個数を示すことができる。
【０１３２】
ｐａｎｏｒａｍａ＿ｖｉｅｗ＿ｎｕｍフィールドは、ｐａｎｏｒａｍａ＿ｓｅｒｖｉｃｅ＿ｔｙｐｅが１である場合、全体のパノラマ映像がいくつの受信機に分離されて伝達されるのかを示すことができる。
【０１３３】
ｐａｎｏｒａｍａ＿ｖｉｅｗ＿ｐｒｉｏｒｉｔｙフィールドは、ｐａｎｏｒａｍａ＿ｓｅｒｖｉｃｅ＿ｔｙｐｅが１である場合、分離された多数の映像の優先順位を示すことができる。例えば、１台の受信機のみを有している場合、優先順位が最も高いビュー（映像）を出力することができる。
【０１３４】
ｉｎｃｌｕｄｅｄ＿ｓｔｒｅａｍ＿ｉｄフィールドは、ｐａｎｏｒａｍａ＿ｓｅｒｖｉｃｅ＿ｔｙｐｅが１である場合、分離されたパノラマ映像のｉｄを示すことができる。このフィールドは、受信機でディスプレイされる映像がいずれの映像であるのかを識別することができる。本発明の一実施例は、分離されたストリームの個数によってマスクビットを割り当てることができる。例えば、ｐａｎｏｒａｍａ＿ｖｉｅｗ＿ｎｕｍフィールドが示す値が１０である場合、すなわち、全体のパノラマ映像が１０個のストリームに分離された映像である場合、このフィールドには１０ビットを割り当てることができる。
【０１３５】
ｐａｎｏｒａｍａ＿ｃｏｍｐｏｓｉｔｉｏｎ＿ｍｅｔａｄａｔａ（）フィールドに対しては後で詳細に説明する。
【０１３６】
ｐａｎｏｒａｍａ＿ｆｉｌｔｅｒｉｎｇ＿ｍｅｔａｄａｔａ（）フィールドに対しては後で詳細に説明する。
【０１３７】
ｃｒｏｐｐｉｎｇ＿ｒｅｇｉｏｎ＿ｎｕｍフィールドは、ｐａｎｏｒａｍａ＿ｓｅｒｖｉｃｅ＿ｔｙｐｅが２である場合、全体のパノラマ映像を分離できるクロップ座標値の個数を示すことができる。ｐａｎｏｒａｍａ＿ｃｏｍｐｏｓｉｔｉｏｎ＿ｉｎｆｏは、該当ストリームがパノラマ映像を多数の領域にクロップできるように構成されたストリームであるか否かを示すことができるｃｒｏｐｐｉｎｇ＿ｆｌａｇフィールドを含むことができる。
【０１３８】
ｅｘｔｒａｃｔｉｏｎ＿ｉｎｆｏ＿ｍｅｔａｄａｔａ（）フィールドに対しては後で詳細に説明する。
【０１３９】
ＲＯＩ＿ｎｕｍフィールドは、ｐａｎｏｒａｍａ＿ｓｅｒｖｉｃｅ＿ｔｙｐｅが４である場合、ＲＯＩ領域の個数を示すことができる。
【０１４０】
ＲＯＩ＿ｃｏｄｅｃ＿ｔｙｐｅフィールドは、使用されるコーデックの種類を示すことができる。本発明の一実施例によれば、高画質のＲＯＩ領域のサービスを提供するためにハイダイナミックレンジ（ｈｉｇｈ  ｄｙｎａｍｉｃ  ｒａｎｇｅ）サービスやカラーガマット（ｃｏｌｏｒ  ｇａｍｕｔ）関連サービスを提供するためにはスケーラブルコーデック（ｓｃａｌａｂｌｅ  ｃｏｄｅｃ）であるＳ（Ｈ）ＶＣを用いることができる。そして、既存のサービスは６０ｐであるが、１２０ｐの時間スケーラビリティ（ｔｅｍｐｏｒａｌ  ｓｃａｌａｂｉｌｉｔｙ）サービスを提供する場合は、ＨＥＶＣ（ＡＶＣ）コーデックでサービスを提供することができる。よって、使用されるコーデックの種類を示すフィールドが必要である。
【０１４１】
ＲＯＩ＿ｉｎｆｏ＿ｍｅｔａｄａｔａ（）フィールドに対しては後で詳細に説明する。
【０１４２】
図１８は、本発明の一実施例に係るｐａｎｏｒａｍａ＿ｓｅｒｖｉｃｅ＿ｔｙｐｅの構成を示した図である。
【０１４３】
この図面を見ると、ｐａｎｏｒａｍａ＿ｓｅｒｖｉｃｅ＿ｔｙｐｅが００１である場合、これは、本発明の一実施例に係るシナリオ１のサービスが提供されることを示すことができる。シナリオ１は、パノラマ映像を既存の受信機で互換可能な形態に分離したサービスを示すことができる。ｐａｎｏｒａｍａ＿ｓｅｒｖｉｃｅ＿ｔｙｐｅが０１０である場合、これは、本発明の一実施例に係るシナリオ２のサービスが提供されることを示すことができる。シナリオ２は、全体のパノラマ映像及び抽出情報（ｅｘｔｒａｃｔｉｏｎ  ｉｎｆｏｒｍａｔｉｏｎ）を含むサービスを示すことができる。ｐａｎｏｒａｍａ＿ｓｅｒｖｉｃｅ＿ｔｙｐｅが０１１である場合、これは、本発明の一実施例に係るシナリオ４のサービスが提供されることを示すことができる。シナリオ４は、ＲＯＩ領域に対する高画質の映像を提供できるサービスを示すことができる。
【０１４４】
図１９は、本発明の一実施例に係るｐａｎｏｒａｍａ＿ｃｏｍｐｏｓｉｔｉｏｎ＿ｍｅｔａｄａｔａ（）の構成を示した図である。
【０１４５】
本発明の一実施例に係るｐａｎｏｒａｍａ＿ｃｏｍｐｏｓｉｔｉｏｎ＿ｍｅｔａｄａｔａ（）は、ｓｕｂ＿ｖｉｄｅｏ＿ｐｒｏｆｉｌｅフィールド、ｓｕｂ＿ｖｉｄｅｏ＿ｌｅｖｅｌフィールド、ｓｕｂ＿ｖｉｄｅｏ＿ｔｉｅｒフィールド、ｓｕｂ＿ｖｉｄｅｏ＿ａｓｐｅｃｔ＿ｒａｔｉｏフィールド、ｓｕｂ＿ｖｉｄｅｏ＿ｗｉｄｔｈ＿ｄｉｖ８フィールド、ｓｕｂ＿ｖｉｄｅｏ＿ｈｅｉｇｈｔ＿ｄｉｖ８フィールド、ｓｕｂ＿ｖｉｄｅｏ＿ｓｔｒｅａｍ＿ｉｄフィールド及び／又はｓｕｂ＿ｖｉｄｅｏ＿ａｆｄ＿ｂａｒ（）フィールドを含むことができる。
【０１４６】
ｓｕｂ＿ｖｉｄｅｏ＿ｐｒｏｆｉｌｅフィールドは、領域別に分離されたビデオストリームのプロファイル情報を示すことができる。分離されたビデオストリームのプロファイル情報が全体のパノラマ映像のストリームと同一であれば、別途にシグナルする必要なく、全体のパノラマ映像のストリームと同一であるというシグナリングに取り替えることができる。
【０１４７】
ｓｕｂ＿ｖｉｄｅｏ＿ｌｅｖｅｌフィールドは、領域別に分離されたビデオストリームのレベル情報を示すことができる。分離されたビデオストリームのレベル情報が全体のパノラマ映像のストリームと同一であれば、別途にシグナルする必要なく、全体のパノラマ映像のストリームと同一であるというシグナリングに取り替えることができる。
【０１４８】
ｓｕｂ＿ｖｉｄｅｏ＿ｔｉｅｒフィールドは、領域別に分離されたビデオストリームのティア情報を示すことができる。分離されたビデオストリームのティア情報が全体のパノラマ映像のストリームと同一であれば、別途にシグナルする必要なく、全体のパノラマ映像のストリームと同一であるというシグナリングに取り替えることができる。
【０１４９】
ｓｕｂ＿ｖｉｄｅｏ＿ａｓｐｅｃｔ＿ｒａｔｉｏフィールド、ｓｕｂ＿ｖｉｄｅｏ＿ｗｉｄｔｈ＿ｄｉｖ８フィールド、ｓｕｂ＿ｖｉｄｅｏ＿ｈｅｉｇｈｔ＿ｄｉｖ８フィールドは、領域別に分離されたビデオストリームの解像度（ｒｅｓｏｌｕｔｉｏｎ）情報である画面比、幅及び高さ情報を示すことができる。本発明の一実施例によれば、画面比情報は解像度情報を通じて類推できるので、ｓｕｂ＿ｖｉｄｅｏ＿ａｓｐｅｃｔ＿ｒａｔｉｏフィールドはｐａｎｏｒａｍａ＿ｃｏｍｐｏｓｉｔｉｏｎ＿ｍｅｔａｄａｔａ（）に含まれない場合がある。
【０１５０】
ｓｕｂ＿ｖｉｄｅｏ＿ｓｔｒｅａｍ＿ｉｄフィールドは、領域別に分離されたビデオストリームを識別することができる。映像分割方法と関連して上述したように、当該フィールド値は２次元又は１次元座標値を示すことができる。２次元座標値に割り当てられる場合、割り当てられた２次元座標値を１次元座標値にマップすることができる。２次元座標値に割り当てられる場合、本発明の一実施例は、領域別に分離されたビデオストリームをｓｕｂ＿ｖｉｄｅｏ＿ｓｔｒｅａｍ＿ｉｄ＿ｘ、ｓｕｂ＿ｖｉｄｅｏ＿ｓｔｒｅａｍ＿ｉｄ＿ｙに区分してシグナルすることができる。本発明の一実施例によれば、ｐａｎｏｒａｍａ＿ｃｏｍｐｏｓｉｔｉｏｎ＿ｍｅｔａｄａｔａ（）は、ｓｕｂ＿ｖｉｄｅｏ＿ｖｉｅｗ＿ｄｉｒｅｃｔｉｏｎフィールドを含むことができる。ｓｕｂ＿ｖｉｄｅｏ＿ｖｉｅｗ＿ｄｉｒｅｃｔｉｏｎフィールドは、ｓｕｂ＿ｖｉｄｅｏ＿ｓｔｒｅａｍ＿ｉｄフィールドと共にシグナルすることができる。ｓｕｂ＿ｖｉｄｅｏ＿ｖｉｅｗ＿ｄｉｒｅｃｔｉｏｎフィールドに含まれた方向（ｄｉｒｅｃｔｉｏｎ）情報を通じて、本発明の一実施例は、全体のパノラマ映像の分離された各映像のうち左側、中央、右側の映像を区分し、いずれの方向の何番目の映像であるのかをシグナルすることができる。
【０１５１】
ｓｕｂ＿ｖｉｄｅｏ＿ａｆｄ＿ｂａｒ（）フィールドに対しては後で詳細に説明する。
【０１５２】
図２０は、本発明の一実施例に係るｓｕｂ＿ｖｉｄｅｏ＿ａｆｄ＿ｂａｒ（）の構成を示した図である。
【０１５３】
本発明の一実施例に係るｓｕｂ＿ｖｉｄｅｏ＿ａｆｄ＿ｂａｒ（）は、ｓｕｂ＿ｖｉｄｅｏ＿ａｆｄ＿ｓｔａｒｔ＿ｘ＿ｄｉｖ４フィールド、ｓｕｂ＿ｖｉｄｅｏ＿ａｆｄ＿ｓｔａｒｔ＿ｙ＿ｄｉｖ４フィールド、ｓｕｂ＿ｖｉｄｅｏ＿ａｆｄ＿ｗｉｄｔｈ＿ｄｉｖ４フィールド及び／又はｓｕｂ＿ｖｉｄｅｏ＿ａｆｄ＿ｈｅｉｇｈｔ＿ｄｉｖ４フィールドを含むことができる。
【０１５４】
ｓｕｂ＿ｖｉｄｅｏ＿ａｆｄ＿ｓｔａｒｔ＿ｘ＿ｄｉｖ４フィールド、ｓｕｂ＿ｖｉｄｅｏ＿ａｆｄ＿ｓｔａｒｔ＿ｙ＿ｄｉｖ４フィールドは、ｓｕｂ＿ｖｉｄｅｏ＿ｓｔｒｅａｍ＿ｉｄに該当するアクティブフォーマット（ａｃｔｉｖｅ  ｆｏｒｍａｔ）の開始座標（ｘ，ｙ）値を示すことができる。
【０１５５】
ｓｕｂ＿ｖｉｄｅｏ＿ａｆｄ＿ｗｉｄｔｈ＿ｄｉｖ４フィールド、ｓｕｂ＿ｖｉｄｅｏ＿ａｆｄ＿ｈｅｉｇｈｔ＿ｄｉｖ４フィールドは、ｓｕｂ＿ｖｉｄｅｏ＿ａｆｄ＿ｓｔａｒｔ＿ｘ＿ｄｉｖ４フィールド及びｓｕｂ＿ｖｉｄｅｏ＿ａｆｄ＿ｓｔａｒｔ＿ｙ＿ｄｉｖ４フィールドが示す座標値から始まるアクティブフォーマットの幅及び高さ値を示すことができる。実際の幅及び高さ値は、各フィールドが示す値を４倍した値であり得る。
【０１５６】
図２１は、本発明の一実施例に係る全体のパノラマ映像を構成する部分映像のうちｐａｎｏｒａｍａ＿ｖｉｅｗ＿ｐｒｉｏｒｉｔｙが高い映像をディスプレイする方法を示した図である。
【０１５７】
本発明の一実施例によれば、上述したｐａｎｏｒａｍａ＿ｖｉｅｗ＿ｐｒｉｏｒｉｔｙフィールドが含む情報及びｉｎｃｌｕｄｅｄ＿ｓｔｒｅａｍ＿ｉｄフィールドが含む情報を用いて受信機でディスプレイされる映像を決定することができる。本発明の一実施例によれば、上述したｓｕｂ＿ｖｉｄｅｏ＿ａｆｔ＿ｂａｒ（）フィールドに含まれた情報を用いてディスプレイされる映像のいずれの部分がディスプレイされるのかを決定することができる。
【０１５８】
図２２は、本発明の一実施例に係るｐａｎｏｒａｍａ＿ｆｉｌｔｅｒｉｎｇ＿ｍｅｔａｄａｔａ（）の構成を示した図である。
【０１５９】
本発明の一実施例によれば、分離されたパノラマストリームをスティッチ（ｓｔｉｃｈ）するとき、フィルタリング（ｆｉｌｔｅｒｉｎｇ）過程をさらに含ませることができる。本発明の一実施例に係るｐａｎｏｒａｍａ＿ｆｉｌｔｅｒｉｎｇ＿ｍｅｔａｄａｔａ（）は、上述したフィルタリング過程に必要な情報を含むことができる。本発明の一実施例によれば、パノラマ映像を分離してエンコードした後でデコードする場合、映像の境界面に区画化現象が存在するのでフィルタリングを適用する必要がある。
【０１６０】
本発明の一実施例に係るｐａｎｏｒａｍａ＿ｆｉｌｔｅｒｉｎｇ＿ｍｅｔａｄａｔａ（）は、ｐａｎｏｒａｍａ＿ｆｉｌｔｅｒｉｎｇ＿ｎｕｍフィールド、ｐａｎｏｒａｍａ＿ｆｉｌｔｅｒｉｎｇ＿ｃｏｒｄｉｎａｔｅ＿ｘ＿ｄｉｖ４フィールド、ｐａｎｏｒａｍａ＿ｆｉｌｔｅｒｉｎｇ＿ｃｏｒｄｉｎａｔｅ＿ｙ＿ｄｉｖ４フィールド、ｐａｎｏｒａｍａ＿ｆｉｌｔｅｒｉｎｇ＿ｗｉｄｔｈ＿ｄｉｖ４フィールド、ｐａｎｏｒａｍａ＿ｆｉｌｔｅｒｉｎｇ＿ｈｅｉｇｈｔ＿ｄｉｖ４フィールド及び／又はｓｍｏｏｔｈｉｎｇ＿ｆｉｌｔｅｒ＿ｃｏｅｆｆ（）フィールドを含むことができる。
【０１６１】
ｐａｎｏｒａｍａ＿ｆｉｌｔｅｒｉｎｇ＿ｎｕｍフィールドは、フィルタリングの適用有無及び／又はフィルタリング個数を示すことができる。
【０１６２】
ｐａｎｏｒａｍａ＿ｆｉｌｔｅｒｉｎｇ＿ｃｏｒｄｉｎａｔｅ＿ｘ＿ｄｉｖ４フィールド、ｐａｎｏｒａｍａ＿ｆｉｌｔｅｒｉｎｇ＿ｃｏｒｄｉｎａｔｅ＿ｙ＿ｄｉｖ４フィールドは、フィルタリングを適用する部分の１番目のピクセル座標を示すことができる。実際の座標は、このフィールドが示す値に４を掛けた値であり得る。ここで、実際の座標は、復元された全体のパノラマ映像を基準にすることができる。
【０１６３】
ｐａｎｏｒａｍａ＿ｆｉｌｔｅｒｉｎｇ＿ｗｉｄｔｈ＿ｄｉｖ４フィールド、ｐａｎｏｒａｍａ＿ｆｉｌｔｅｒｉｎｇ＿ｈｅｉｇｈｔ＿ｄｉｖ４フィールドは、フィルタリングを適用しなければならない領域のサイズ（幅及び／又は高さ）を示すことができる。実際のサイズは、このフィールドが示す値に４を掛けた値であり得る。
【０１６４】
ｓｍｏｏｔｈｉｎｇ＿ｆｉｌｔｅｒ＿ｃｏｅｆｆ（）フィールドは、コンテンツ別に最も適した平滑化フィルタ係数（ｓｍｏｏｔｈｉｎｇ  ｆｉｌｔｅｒ  ｃｏｅｆｆｉｃｉｅｎｔ）値を示すことができる。
【０１６５】
図２３は、本発明の一実施例に係るｅｘｔｒａｃｔｉｏｎ＿ｉｎｆｏ＿ｍｅｔａｄａｔａ（）の構成を示した図である。
【０１６６】
本発明の一実施例に係るｅｘｔｒａｃｔｉｏｎ＿ｉｎｆｏ＿ｍｅｔａｄａｔａ（）は、ｓｕｂ＿ｖｉｄｅｏ＿ｗｉｄｔｈ＿ｄｉｖ８フィールド、ｓｕｂ＿ｖｉｄｅｏ＿ｈｅｉｇｈｔ＿ｄｉｖ８フィールド、ｓｕｂ＿ｖｉｄｅｏ＿ａｓｐｅｃｔ＿ｒａｔｉｏフィールド、ｓｕｂ＿ｖｉｄｅｏ＿ｖｉｅｗ＿ｉｄフィールド、ｓｕｂ＿ｖｉｄｅｏ＿ｐｒｉｏｒｉｔｙフィールド、ｓｕｂ＿ｖｉｄｅｏ＿ｃｒｏｐｐｉｎｇ＿ｓｔａｒｔ＿ｘ＿ｄｉｖ８フィールド、ｓｕｂ＿ｖｉｄｅｏ＿ｃｒｏｐｐｉｎｇ＿ｓｔａｒｔ＿ｙ＿ｄｉｖ８フィールド及び／又はｓｕｂ＿ｖｉｄｅｏ＿ａｆｄ＿ｂａｒ（）フィールドを含むことができる。
【０１６７】
ｓｕｂ＿ｖｉｄｅｏ＿ｗｉｄｔｈ＿ｄｉｖ８フィールド、ｓｕｂ＿ｖｉｄｅｏ＿ｈｅｉｇｈｔ＿ｄｉｖ８フィールド、及びｓｕｂ＿ｖｉｄｅｏ＿ａｓｐｅｃｔ＿ｒａｔｉｏフィールドは、分離又はクロップされるサブビデオ（ｓｕｂ  ｖｉｄｅｏ）別に解像度情報である幅及び高さ情報と画面比情報を示すことができる。
【０１６８】
ｓｕｂ＿ｖｉｄｅｏ＿ｖｉｅｗ＿ｉｄフィールドは、クロップされた映像を区分するためのｉｄを示すことができる。
【０１６９】
ｓｕｂ＿ｖｉｄｅｏ＿ｐｒｉｏｒｉｔｙフィールドは、クロップされる映像の優先順位を示すことができる。
【０１７０】
ｓｕｂ＿ｖｉｄｅｏ＿ｃｒｏｐｐｉｎｇ＿ｓｔａｒｔ＿ｘ＿ｄｉｖ８フィールド、ｓｕｂ＿ｖｉｄｅｏ＿ｃｒｏｐｐｉｎｇ＿ｓｔａｒｔ＿ｙ＿ｄｉｖ８フィールドは、全体のパノラマ映像からサブビデオを分離するための座標値の開始点（ｘ，ｙ）を示すことができる。実際の座標は、このフィールドが示す値に８を掛けた値であり得る。ここで、ｅｘｔｒａｃｔｉｏｎ＿ｉｎｆｏ＿ｍｅｔａｄａｔａ（）は、座標値の終点（ｘ，ｙ）を示すフィールドを含むことができる。
【０１７１】
ｓｕｂ＿ｖｉｄｅｏ＿ａｆｄ＿ｂａｒ（）フィールドは、上述したｐａｎｏｒａｍａ＿ｃｏｍｐｏｓｉｔｉｏｎ＿ｍｅｔａｄａｔａ（）に含まれたｓｕｂ＿ｖｉｄｅｏ＿ａｆｄ＿ｂａｒ（）フィールドと同一であり、これに対しては既に詳細に説明した。
【０１７２】
図２４は、本発明の一実施例に係るシナリオ２をベースにしたビデオストリームの構成を示した図である。
【０１７３】
全体のパノラマ映像に対するストリームは一つで構成されるが、クロップされる各領域に対する固定ＩＤ値を付与することによって、本発明の一実施例は映像を分離することができる。この場合、本発明の一実施例は、実際のクロッピングのための座標値に対する情報無しでｓｕｂ＿ｖｉｄｅｏ＿ｓｔｒｅａｍ＿ｉｄのみを用いて全体のパノラマ映像を分離及び／又は分割することができる。これによって、本発明の一実施例はビット数を減少させることができる。本発明の一実施例は、ｓｕｂ＿ｖｉｄｅｏ＿ｓｔｒｅａｍ＿ｉｄを用いることによって、実際のクロッピングのための座標値を用いてパノラマ映像を分割する方法よりもビット数を減少させることができる。
【０１７４】
図２５は、本発明の一実施例に係るＲＯＩ＿ｉｎｆｏ＿ｍｅｔａｄａｔａ（）の構成を示した図である。
【０１７５】
本発明の一実施例によれば、ＲＯＩ＿ｉｎｆｏ＿ｍｅｔａｄａｔａ（）を通じてＲＯＩに対する追加情報をシグナルすることができる。全体のパノラマ映像に対する基本情報は基本的に提供されるので、本発明の一実施例は、ＲＯＩに対する追加情報を既にデコードされた基本層ストリームに追加的に伝達することができる。ここで、ＲＯＩ（ｒｅｇｉｏｎ  ｏｆ  ｉｎｔｅｒｅｓｔ）は関心領域と命名することができる。追加情報は、エンハンスメントデータ及び／又は付加データ（ｒｅｓｉｄｕａｌ  ｄａｔａ）と命名することができる。
【０１７６】
本発明の一実施例に係るＲＯＩ＿ｉｎｆｏ＿ｍｅｔａｄａｔａ（）は、ＲＯＩ＿ｖｉｄｅｏ＿ｐｒｏｆｉｌｅフィールド、ＲＯＩ＿ｖｉｄｅｏ＿ｌｅｖｅｌフィールド、ＲＯＩ＿ｖｉｄｅｏ＿ｔｉｅｒフィールド、ＲＯＩ＿ｖｉｄｅｏ＿ｐｒｉｏｒｉｔｙフィールド、ＲＯＩ＿ｖｉｄｅｏ＿ｄｙｎａｍｉｃ＿ｒａｎｇｅフィールド、ＲＯＩ＿ｖｉｄｅｏ＿ｃｏｌｏｒ＿ｇａｍｕｔフィールド、ＲＯＩ＿ｖｉｄｅｏ＿ｗｉｄｔｈ＿ｄｉｖ８フィールド、ＲＯＩ＿ｖｉｄｅｏ＿ｈｅｉｇｈｔ＿ｄｉｖ８フィールド、ＲＯＩ＿ｓｔａｒｔ＿ｘ＿ｄｉｖ８フィールド、ＲＯＩ＿ｓｔａｒｔ＿ｙ＿ｄｉｖ８フィールド及び／又はＲＯＩ＿ｆｉｌｔｅｒｉｎｇ＿ｉｎｆｏ＿ｄｅｓｃｒｉｐｔｏｒ（）を含むことができる。
【０１７７】
ＲＯＩ＿ｖｉｄｅｏ＿ｐｒｏｆｉｌｅフィールド、ＲＯＩ＿ｖｉｄｅｏ＿ｌｅｖｅｌフィールド、及びＲＯＩ＿ｖｉｄｅｏ＿ｔｉｅｒフィールドは、ＲＯＩに対するプロファイル、レベル及びティア情報を示すことができる。
【０１７８】
ＲＯＩ＿ｖｉｄｅｏ＿ｐｒｉｏｒｉｔｙフィールドは、上述したＲＯＩ＿ｎｕｍが示す多数のＲＯＩに対する優先順位を示すことができる。本発明の一実施例は、優先順位の順序通りに高画質のサービスを提供することができ、ユーザがサービスを選択することもできる。
【０１７９】
ＲＯＩ＿ｖｉｄｅｏ＿ｄｙｎａｍｉｃ＿ｒａｎｇｅフィールド、ＲＯＩ＿ｖｉｄｅｏ＿ｃｏｌｏｒ＿ｇａｍｕｔフィールドは、ＲＯＩのダイナミックレンジ及びカラーガマットを示すことができる。本発明の一実施例によれば、高画質のＲＯＩサービスは、高いフレームレート（ｈｉｇｈｅｒ  ｆｒａｍｅ  ｒａｔｅ）、ハイダイナミックレンジ（ｈｉｇｈ  ｄｙｎａｍｉｃ  ｒａｎｇｅ）、広いカラーガマット（ｗｉｄｅ  ｃｏｌｏｒ  ｇａｍｕｔ）、クロマサブサンプリング（ｃｈｒｏｍａ  ｓｕｂｓａｍｐｌｉｎｇ）（４：２：２又は４：４：４）、高い解像度（ｈｉｇｈｅｒ  ｒｅｓｏｌｕｔｉｏｎ）などを通じて提供することができる。高いフレームレート、クロマサブサンプリング（４：２：２又は４：４：４）及び高い解像度は、レベル（高いフレームレート、高い解像度）とプロファイル（クロマサブサンプリング）に区分してシグナルすることができる。本発明の他の一実施例に係るＲＯＩ＿ｉｎｆｏ＿ｍｅｔａｄａｔａ（）は、高いフレームレート、クロマサブサンプリング（４：２：２又は４：４：４）及び／又は高い解像度をシグナルするフィールドを含むことができる。本発明の一実施例に係るプロファイルは、ビット深度（ｂｉｔ  ｄｅｐｔｈ）だけでなくクロマサブサンプリングに対しても区分することができる。
【０１８０】
ＲＯＩ＿ｖｉｄｅｏ＿ｗｉｄｔｈ＿ｄｉｖ８フィールド、ＲＯＩ＿ｖｉｄｅｏ＿ｈｅｉｇｈｔ＿ｄｉｖ８フィールドは、ＲＯＩ領域の解像度を示し、ここで、実際の解像度は、（ＲＯＩ＿ｖｉｄｅｏ＿ｗｉｄｔｈ＿ｄｉｖ８フィールド値＊８）＊（ＲＯＩ＿ｖｉｄｅｏ＿ｈｅｉｇｈｔ＿ｄｉｖ８フィールド値＊８）を示すことができる。本発明の一実施例に係るＲＯＩ＿ｉｎｆｏ＿ｍｅｔａｄａｔａ（）は、ＲＯＩ領域の画面比を示すフィールドを含むことができる。
【０１８１】
ＲＯＩ＿ｓｔａｒｔ＿ｘ＿ｄｉｖ８フィールド、ＲＯＩ＿ｓｔａｒｔ＿ｙ＿ｄｉｖ８フィールドは、ＲＯＩ領域が始まる座標値（ｘ，ｙ）を示すことができる。このフィールドが示す座標値（ｘ，ｙ）は、全体のパノラマ映像に対する値であって、実際の座標は、このフィールドに８を掛けた値であり得る。本発明の他の一実施例は、ＲＯＩ領域の開始点の代わりにＲＯＩ領域の終点をシグナルすることができる。本発明の一実施例に係るＲＯＩサービスは、ＲＯＩ＿ｓｔａｒｔ＿ｘ＿ｄｉｖ８フィールド、ＲＯＩ＿ｓｔａｒｔ＿ｙ＿ｄｉｖ８フィールド、ＲＯＩ＿ｖｉｄｅｏ＿ｗｉｄｔｈ＿ｄｉｖ８フィールド及び／又はＲＯＩ＿ｖｉｄｅｏ＿ｈｅｉｇｈｔ＿ｄｉｖ８フィールドを通じて提供することができる。
【０１８２】
ＲＯＩ＿ｆｉｌｔｅｒｉｎｇ＿ｉｎｆｏ＿ｄｅｓｃｒｉｐｔｏｒ（）は、ＲＯＩ領域の向上層信号を基本層信号とマージ（ｍｅｒｇｅ）するときに必要なフィルタリング過程に対する情報を含むことができる。本発明の一実施例によれば、ＲＯＩ領域の向上層信号を基本層信号とマージするとき、フィルタリングをさらに含ませることができる。このとき、ＲＯＩ＿ｆｉｌｔｅｒｉｎｇ＿ｉｎｆｏ＿ｄｅｓｃｒｉｐｔｏｒ（）は、上述したｐａｎｏｒａｍａ＿ｆｉｌｔｅｒｉｎｇ＿ｍｅｔａｄａｔａ（）に含まれた各フィールドをそのまま含むことができる。
【０１８３】
図２６は、本発明の一実施例に係るＳＤＴ（ｓｅｒｖｉｃｅ  ｄｅｓｃｒｉｐｔｉｏｎ  ｔａｂｌｅ）の構成を示した図である。
【０１８４】
本発明の一実施例に係るＳＤＴ（ｓｅｒｖｉｃｅ  ｄｅｓｃｒｉｐｔｉｏｎ  ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｓｅｃｔｉｏｎ＿ｌｅｎｇｔｈフィールド、ｔｒａｎｓｐｏｒｔ＿ｓｔｒｅａｍ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｏｒｉｇｉｎａｌ＿ｎｅｔｗｏｒｋ＿ｉｄフィールド、ｓｅｒｖｉｃｅ＿ｉｄフィールド、ＥＩＴ＿ｓｃｈｅｄｕｌｅ＿ｆｌａｇフィールド、ＥＩＴ＿ｐｒｅｓｅｎｔ＿ｆｏｌｌｏｗｉｎｇ＿ｆｌａｇフィールド、ｒｕｎｎｉｎｇ＿ｓｔａｔｕｓフィールド、ｆｒｅｅ＿ＣＡ＿ｍｏｄｅフィールド、ｄｅｓｃｒｉｐｔｏｒｓ＿ｌｏｏｐ＿ｌｅｎｇｔｈフィールド、ｄｅｓｃｒｉｐｔｏｒ（）及び／又はＣＲＣ＿３２フィールドを含む。
【０１８５】
ｔａｂｌｅ＿ｉｄフィールドは、テーブルのタイプを識別する。ｔａｂｌｅ＿ｉｄフィールドは、当該テーブルセクションがＳＤＴを構成するセクションであることを示す役割をすることができる。
【０１８６】
ｓｅｃｔｉｏｎ＿ｓｙｎｔａｘ＿ｉｎｄｉｃａｔｏｒフィールドは、当該フィールドの後に来るテーブルセクションのフォーマットを示す。当該フィールドの値が０であれば、当該テーブルセクションはショート（ｓｈｏｒｔ）フォーマットであることを示し、当該フィールドの値が１であれば、当該テーブルセクションは一般的なロング（ｌｏｎｇ）フォーマットであることを示す。（ｓｅｃｔｉｏｎ＿ｓｙｎｔａｘ＿ｉｎｄｉｃａｔｏｒ：Ｔｈｅ  ｓｅｃｔｉｏｎ＿ｓｙｎｔａｘ＿ｉｎｄｉｃａｔｏｒ  ｉｓ  ａ  １ｂｉｔ  ｆｉｅｌｄ  ｗｈｉｃｈ  ｓｈａｌｌ  ｂｅ  ｓｅｔ  ｔｏ  「１」．）
【０１８７】
ｓｅｃｔｉｏｎ＿ｌｅｎｇｔｈフィールドは、当該テーブルセクションの長さを示す。ｓｅｃｔｉｏｎ＿ｌｅｎｇｔｈフィールドは、当該フィールド以降から当該テーブルセクションの終わりまでの長さを示すことができる。（ｓｅｃｔｉｏｎ＿ｌｅｎｇｔｈ：Ｔｈｉｓ  ｉｓ  ａ  １２ｂｉｔ  ｆｉｅｌｄ，ｔｈｅ  ｆｉｒｓｔ  ｔｗｏ  ｂｉｔｓ  ｏｆ  ｗｈｉｃｈ  ｓｈａｌｌ  ｂｅ  「００」．Ｉｔ  ｓｐｅｃｉｆｉｅｓ  ｔｈｅ  ｎｕｍｂｅｒ  ｏｆ  ｂｙｔｅｓ  ｏｆ  ｔｈｅ  ｓｅｃｔｉｏｎ，ｓｔａｒｔｉｎｇ  ｉｍｍｅｄｉａｔｅｌｙ  ｆｏｌｌｏｗｉｎｇ  ｔｈｅ  ｓｅｃｔｉｏｎ＿ｌｅｎｇｔｈ  ｆｉｅｌｄ  ａｎｄ  ｉｎｃｌｕｄｉｎｇ  ｔｈｅ  ＣＲＣ．Ｔｈｅ  ｓｅｃｔｉｏｎ＿ｌｅｎｇｔｈ  ｓｈａｌｌ  ｎｏｔ  ｅｘｃｅｅｄ  １０２１  ｓｏ  ｔｈａｔ  ｔｈｅ  ｅｎｔｉｒｅ  ｓｅｃｔｉｏｎ  ｈａｓ  ａ  ｍａｘｉｍｕｍ  ｌｅｎｇｔｈ  ｏｆ  １０２４  ｂｙｔｅｓ．）
【０１８８】
ｔｒａｎｓｐｏｒｔ＿ｓｔｒｅａｍ＿ｉｄフィールドは、当該テーブルで説明しようとするトランスポートストリーム（ＴＳ）を識別する。（ｔｒａｎｓｐｏｒｔ＿ｓｔｒｅａｍ＿ｉｄ：Ｔｈｉｓ  ｉｓ  ａ  １６ｂｉｔ  ｆｉｅｌｄ  ｗｈｉｃｈ  ｓｅｒｖｅｓ  ａｓ  ａ  ｌａｂｅｌ  ｆｏｒ  ｉｄｅｎｔｉｆｉｃａｔｉｏｎ  ｏｆ  ｔｈｅ  ＴＳ，ａｂｏｕｔ  ｗｈｉｃｈ  ｔｈｅ  ＳＤＴ  ｉｎｆｏｒｍｓ，ｆｒｏｍ  ａｎｙ  ｏｔｈｅｒ  ｍｕｌｔｉｐｌｅｘ  ｗｉｔｈｉｎ  ｔｈｅ  ｄｅｌｉｖｅｒｙ  ｓｙｓｔｅｍ．）
【０１８９】
ｖｅｒｓｉｏｎ＿ｎｕｍｂｅｒフィールドは、プライベートテーブルセクション（ｐｒｉｖａｔｅ  ｔａｂｌｅ  ｓｅｃｔｉｏｎ）のバージョン番号を示す。受信機は、当該フィールドと後述するｃｕｒｒｅｎｔ＿ｎｅｘｔ＿ｉｎｄｉｃａｔｏｒフィールドを用いてメモリに格納されているテーブルセクションのうち最近のものを探すことができる。（ｖｅｒｓｉｏｎ＿ｎｕｍｂｅｒ：Ｔｈｉｓ  ５ｂｉｔ  ｆｉｅｌｄ  ｉｓ  ｔｈｅ  ｖｅｒｓｉｏｎ  ｎｕｍｂｅｒ  ｏｆ  ｔｈｅ  ｓｕｂ＿ｔａｂｌｅ．Ｔｈｅ  ｖｅｒｓｉｏｎ＿ｎｕｍｂｅｒ  ｓｈａｌｌ  ｂｅ  ｉｎｃｒｅｍｅｎｔｅｄ  ｂｙ  １  ｗｈｅｎ  ａ  ｃｈａｎｇｅ  ｉｎ  ｔｈｅ  ｉｎｆｏｒｍａｔｉｏｎ  ｃａｒｒｉｅｄ  ｗｉｔｈｉｎ  ｔｈｅ  ｓｕｂ＿ｔａｂｌｅ  ｏｃｃｕｒｓ．Ｗｈｅｎ  ｉｔ  ｒｅａｃｈｅｓ  ｖａｌｕｅ  「３１」，ｉｔ  ｗｒａｐｓ  ａｒｏｕｎｄ  ｔｏ  「０」．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  「１」，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｃｕｒｒｅｎｔｌｙ  ａｐｐｌｉｃａｂｌｅ  ｓｕｂ＿ｔａｂｌｅ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  「０」，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｎｅｘｔ  ａｐｐｌｉｃａｂｌｅ  ｓｕｂ＿ｔａｂｌｅ．）
【０１９０】
ｃｕｒｒｅｎｔ＿ｎｅｘｔ＿ｉｎｄｉｃａｔｏｒフィールドが示す値が１であれば、現在伝送されるテーブルが有効であることを示し、０であれば、現在伝送されるテーブルが現在は有効でないが、後で有効になることを示す。（ｃｕｒｒｅｎｔ＿ｎｅｘｔ＿ｉｎｄｉｃａｔｏｒ：Ｔｈｉｓ  １ｂｉｔ  ｉｎｄｉｃａｔｏｒ，ｗｈｅｎ  ｓｅｔ  ｔｏ  「１」  ｉｎｄｉｃａｔｅｓ  ｔｈａｔ  ｔｈｅ  ｓｕｂ＿ｔａｂｌｅ  ｉｓ  ｔｈｅ  ｃｕｒｒｅｎｔｌｙ  ａｐｐｌｉｃａｂｌｅ  ｓｕｂ＿ｔａｂｌｅ．Ｗｈｅｎ  ｔｈｅ  ｂｉｔ  ｉｓ  ｓｅｔ  ｔｏ  「０」，ｉｔ  ｉｎｄｉｃａｔｅｓ  ｔｈａｔ  ｔｈｅ  ｓｕｂ＿ｔａｂｌｅ  ｓｅｎｔ  ｉｓ  ｎｏｔ  ｙｅｔ  ａｐｐｌｉｃａｂｌｅ  ａｎｄ  ｓｈａｌｌ  ｂｅ  ｔｈｅ  ｎｅｘｔ  ｓｕｂ＿ｔａｂｌｅ  ｔｏ  ｂｅ  ｖａｌｉｄ．）
【０１９１】
ｓｅｃｔｉｏｎ＿ｎｕｍｂｅｒフィールドは、当該セクションが当該テーブルの何番目のセクションであるのかを示す。（ｓｅｃｔｉｏｎ＿ｎｕｍｂｅｒ：Ｔｈｉｓ  ８ｂｉｔ  ｆｉｅｌｄ  ｇｉｖｅｓ  ｔｈｅ  ｎｕｍｂｅｒ  ｏｆ  ｔｈｅ  ｓｅｃｔｉｏｎ．Ｔｈｅ  ｓｅｃｔｉｏｎ＿ｎｕｍｂｅｒ  ｏｆ  ｔｈｅ  ｆｉｒｓｔ  ｓｅｃｔｉｏｎ  ｉｎ  ｔｈｅ  ｓｕｂ＿ｔａｂｌｅ  ｓｈａｌｌ  ｂｅ  「０ｘ００」．Ｔｈｅ  ｓｅｃｔｉｏｎ＿ｎｕｍｂｅｒ  ｓｈａｌｌ  ｂｅ  ｉｎｃｒｅｍｅｎｔｅｄ  ｂｙ  １  ｗｉｔｈ  ｅａｃｈ  ａｄｄｉｔｉｏｎａｌ  ｓｅｃｔｉｏｎ  ｗｉｔｈ  ｔｈｅ  ｓａｍｅ  ｔａｂｌｅ＿ｉｄ，ｔｒａｎｓｐｏｒｔ＿ｓｔｒｅａｍ＿ｉｄ，ａｎｄ  ｏｒｉｇｉｎａｌ＿ｎｅｔｗｏｒｋ＿ｉｄ．）
【０１９２】
ｌａｓｔ＿ｓｅｃｔｉｏｎ＿ｎｕｍｂｅｒフィールドは、当該テーブルを構成しているセクションのうち最後のセクションの順番を示す。（ｌａｓｔ＿ｓｅｃｔｉｏｎ＿ｎｕｍｂｅｒ：Ｔｈｉｓ  ８ｂｉｔ  ｆｉｅｌｄ  ｓｐｅｃｉｆｉｅｓ  ｔｈｅ  ｎｕｍｂｅｒ  ｏｆ  ｔｈｅ  ｌａｓｔ  ｓｅｃｔｉｏｎ（ｔｈａｔ  ｉｓ，ｔｈｅ  ｓｅｃｔｉｏｎ  ｗｉｔｈ  ｔｈｅ  ｈｉｇｈｅｓｔ  ｓｅｃｔｉｏｎ＿ｎｕｍｂｅｒ）  ｏｆ  ｔｈｅ  ｓｕｂ＿ｔａｂｌｅ  ｏｆ  ｗｈｉｃｈ  ｔｈｉｓ  ｓｅｃｔｉｏｎ  ｉｓ  ｐａｒｔ．）
【０１９３】
ｏｒｉｇｉｎａｌ＿ｎｅｔｗｏｒｋ＿ｉｄフィールドは、当該テーブルで記述するサービスを伝送した最初の放送局を識別することができる。（ｏｒｉｇｉｎａｌ＿ｎｅｔｗｏｒｋ＿ｉｄ：Ｔｈｉｓ  １６ｂｉｔ  ｆｉｅｌｄ  ｇｉｖｅｓ  ｔｈｅ  ｌａｂｅｌ  ｉｄｅｎｔｉｆｙｉｎｇ  ｔｈｅ  ｎｅｔｗｏｒｋ＿ｉｄ  ｏｆ  ｔｈｅ  ｏｒｉｇｉｎａｔｉｎｇ  ｄｅｌｉｖｅｒｙ  ｓｙｓｔｅｍ．）
【０１９４】
ｓｅｒｖｉｃｅ＿ｉｄフィールドは、トランスポートストリーム内に存在する各サービスを識別する。ｓｅｒｖｉｃｅ＿ｉｄフィールドは、ＰＭＴでｐｒｏｇｒａｍ＿ｎｕｍｂｅｒフィールドとその機能が同一であり得る。（ｓｅｒｖｉｃｅ＿ｉｄ：Ｔｈｉｓ  ｉｓ  ａ  １６ｂｉｔ  ｆｉｅｌｄ  ｗｈｉｃｈ  ｓｅｒｖｅｓ  ａｓ  ａ  ｌａｂｅｌ  ｔｏ  ｉｄｅｎｔｉｆｙ  ｔｈｉｓ  ｓｅｒｖｉｃｅ  ｆｒｏｍ  ａｎｙ  ｏｔｈｅｒ  ｓｅｒｖｉｃｅ  ｗｉｔｈｉｎ  ｔｈｅ  ＴＳ．Ｔｈｅ  ｓｅｒｖｉｃｅ＿ｉｄ  ｉｓ  ｔｈｅ  ｓａｍｅ  ａｓ  ｔｈｅ  ｐｒｏｇｒａｍ＿ｎｕｍｂｅｒ  ｉｎ  ｔｈｅ  ｃｏｒｒｅｓｐｏｎｄｉｎｇ  ｐｒｏｇｒａｍ＿ｍａｐ＿ｓｅｃｔｉｏｎ．）
【０１９５】
ＥＩＴ＿ｓｃｈｅｄｕｌｅ＿ｆｌａｇフィールドが示す値が１であれば、現在ＴＳ内にサービスのためのＥＩＴスケジュール情報（ＥＩＴ  ｓｃｈｅｄｕｌｅ  ｆｌａｇ）が存在することを示し、０であればこれが存在しないことを示す。（ＥＩＴ＿ｓｃｈｅｄｕｌｅ＿ｆｌａｇ：Ｔｈｉｓ  ｉｓ  ａ  １ｂｉｔ  ｆｉｅｌｄ  ｗｈｉｃｈ  ｗｈｅｎ  ｓｅｔ  ｔｏ  「１」  ｉｎｄｉｃａｔｅｓ  ｔｈａｔ  ＥＩＴ  ｓｃｈｅｄｕｌｅ  ｉｎｆｏｒｍａｔｉｏｎ  ｆｏｒ  ｔｈｅ  ｓｅｒｖｉｃｅ  ｉｓ  ｐｒｅｓｅｎｔ  ｉｎ  ｔｈｅ  ｃｕｒｒｅｎｔ  ＴＳ，ｓｅｅ  ＴＲ  １０１  ２１１［ｉ．２］  ｆｏｒ  ｉｎｆｏｒｍａｔｉｏｎ  ｏｎ  ｍａｘｉｍｕｍ  ｔｉｍｅ  ｉｎｔｅｒｖａｌ  ｂｅｔｗｅｅｎ  ｏｃｃｕｒｒｅｎｃｅｓ  ｏｆ  ａｎ  ＥＩＴ  ｓｃｈｅｄｕｌｅ  ｓｕｂ＿ｔａｂｌｅ）．Ｉｆ  ｔｈｅ  ｆｌａｇ  ｉｓ  ｓｅｔ  ｔｏ  ０  ｔｈｅｎ  ｔｈｅ  ＥＩＴ  ｓｃｈｅｄｕｌｅ  ｉｎｆｏｒｍａｔｉｏｎ  ｆｏｒ  ｔｈｅ  ｓｅｒｖｉｃｅ  ｓｈｏｕｌｄ  ｎｏｔ  ｂｅ  ｐｒｅｓｅｎｔ  ｉｎ  ｔｈｅ  ＴＳ．）
【０１９６】
ＥＩＴ＿ｐｒｅｓｅｎｔ＿ｆｏｌｌｏｗｉｎｇ＿ｆｌａｇフィールドが示す値が１であれば、現在ＴＳ内にサービスのためのＥＩＴ＿ｐｒｅｓｅｎｔ＿ｆｏｌｌｏｗｉｎｇ情報が存在することを示し、０であればこれが存在しないことを示す。（ＥＩＴ＿ｐｒｅｓｅｎｔ＿ｆｏｌｌｏｗｉｎｇ＿ｆｌａｇ：Ｔｈｉｓ  ｉｓ  ａ  １ｂｉｔ  ｆｉｅｌｄ  ｗｈｉｃｈ  ｗｈｅｎ  ｓｅｔ  ｔｏ  「１」  ｉｎｄｉｃａｔｅｓ  ｔｈａｔ  ＥＩＴ＿ｐｒｅｓｅｎｔ＿ｆｏｌｌｏｗｉｎｇ  ｉｎｆｏｒｍａｔｉｏｎ  ｆｏｒ  ｔｈｅ  ｓｅｒｖｉｃｅ  ｉｓ  ｐｒｅｓｅｎｔ  ｉｎ  ｔｈｅ  ｃｕｒｒｅｎｔ  ＴＳ，ｓｅｅ  ＴＲ  １０１  ２１１［ｉ．２］ｆｏｒ  ｉｎｆｏｒｍａｔｉｏｎ  ｏｎ  ｍａｘｉｍｕｍ  ｔｉｍｅ  ｉｎｔｅｒｖａｌ  ｂｅｔｗｅｅｎ  ｏｃｃｕｒｒｅｎｃｅｓ  ｏｆ  ａｎ  ＥＩＴ  ｐｒｅｓｅｎｔ／ｆｏｌｌｏｗｉｎｇ  ｓｕｂ＿ｔａｂｌｅ．Ｉｆ  ｔｈｅ  ｆｌａｇ  ｉｓ  ｓｅｔ  ｔｏ  ０  ｔｈｅｎ  ｔｈｅ  ＥＩＴ  ｐｒｅｓｅｎｔ／ｆｏｌｌｏｗｉｎｇ  ｉｎｆｏｒｍａｔｉｏｎ  ｆｏｒ  ｔｈｅ  ｓｅｒｖｉｃｅ  ｓｈｏｕｌｄ  ｎｏｔ  ｂｅ  ｐｒｅｓｅｎｔ  ｉｎ  ｔｈｅ  ＴＳ．）
【０１９７】
ｒｕｎｎｉｎｇ＿ｓｔａｔｕｓフィールドは、サービスの状態を示す。例えば、ｒｕｎｎｉｎｇ＿ｓｔａｔｕｓフィールドの値が１であれば、サービスが「ｎｏｔ  ｒｕｎｎｉｎｇ」であることを示し、２であれば「ｓｔａｒｔｓ  ｉｎ  ａ  ｆｅｗ  ｓｅｃｏｎｄｓ」であることを示し、３であれば「ｐａｕｓｉｎｇ」であることを示し、４であれば「ｒｕｎｎｉｎｇ」であることを示し、５であれば「ｓｅｒｖｉｃｅ  ｏｆｆａｉｒ」であることを示すことができる。（ｒｕｎｎｉｎｇ＿ｓｔａｔｕｓ：Ｔｈｉｓ  ｉｓ  ａ  ３ｂｉｔ  ｆｉｅｌｄ  ｉｎｄｉｃａｔｉｎｇ  ｔｈｅ  ｓｔａｔｕｓ  ｏｆ  ｔｈｅ  ｓｅｒｖｉｃｅ  ａｓ  ｄｅｆｉｎｅｄ  ｉｎ  ｔａｂｌｅ  ６．Ｆｏｒ  ａｎ  ＮＶＯＤ  ｒｅｆｅｒｅｎｃｅ  ｓｅｒｖｉｃｅ  ｔｈｅ  ｖａｌｕｅ  ｏｆ  ｔｈｅ  ｒｕｎｎｉｎｇ＿ｓｔａｔｕｓ  ｓｈａｌｌ  ｂｅ  ｓｅｔ  ｔｏ  「０」．）
【０１９８】
ｆｒｅｅ＿ＣＡ＿ｍｏｄｅフィールドが示す値が０であれば、サービスを構成するコンポーネントストリームがスクランブルされていないことを示し、１であれば、一つ以上のストリームに対する接近がＣＡシステムによって調節されることを示す。ＣＡシステムは、Ｃｏｎｄｉｔｉｏｎａｌ  Ａｃｃｅｓｓ  Ｓｙｓｔｅｍの略語であって、放送の視聴を契約者に限定するために放送コンテンツの暗号化機能と契約者のみが暗号を解いて放送コンテンツを視聴できる機能を提供するシステムを意味する。（ｆｒｅｅ＿ＣＡ＿ｍｏｄｅ：Ｔｈｉｓ  １ｂｉｔ  ｆｉｅｌｄ，ｗｈｅｎ  ｓｅｔ  ｔｏ  「０」  ｉｎｄｉｃａｔｅｓ  ｔｈａｔ  ａｌｌ  ｔｈｅ  ｃｏｍｐｏｎｅｎｔ  ｓｔｒｅａｍｓ  ｏｆ  ｔｈｅ  ｓｅｒｖｉｃｅ  ａｒｅ  ｎｏｔ  ｓｃｒａｍｂｌｅｄ．Ｗｈｅｎ  ｓｅｔ  ｔｏ  「１」  ｉｔ  ｉｎｄｉｃａｔｅｓ  ｔｈａｔ  ａｃｃｅｓｓ  ｔｏ  ｏｎｅ  ｏｒ  ｍｏｒｅ  ｓｔｒｅａｍｓ  ｍａｙ  ｂｅ  ｃｏｎｔｒｏｌｌｅｄ  ｂｙ  ａ  ＣＡ  ｓｙｓｔｅｍ．）
【０１９９】
ｄｅｓｃｒｉｐｔｏｒｓ＿ｌｏｏｐ＿ｌｅｎｇｔｈフィールドは、当該フィールドの後に来る各ディスクリプタの長さを足した値を示す。（ｄｅｓｃｒｉｐｔｏｒｓ＿ｌｏｏｐ＿ｌｅｎｇｔｈ：Ｔｈｉｓ  １２ｂｉｔ  ｆｉｅｌｄ  ｇｉｖｅｓ  ｔｈｅ  ｔｏｔａｌ  ｌｅｎｇｔｈ  ｉｎ  ｂｙｔｅｓ  ｏｆ  ｔｈｅ  ｆｏｌｌｏｗｉｎｇ  ｄｅｓｃｒｉｐｔｏｒｓ．）
【０２００】
ｄｅｓｃｒｉｐｔｏｒ（）は、各サービスに対して記述するディスクリプタを意味する。本発明の一実施例によれば、パノラマ映像サービス及び／又はプログラムに対するガイド情報を提供するために、上述したｐａｎｏｒａｍａ＿ｃｏｍｐｏｓｉｔｉｏｎ＿ｉｎｆｏはこのディスクリプタに含ませることができる。
【０２０１】
ＣＲＣ＿３２フィールドは、当該テーブルセクションに含まれたデータに誤りがあるか否かを確認するために使用されるＣＲＣ値を示す。（ＣＲＣ＿３２：Ｔｈｉｓ  ｉｓ  ａ  ３２ｂｉｔ  ｆｉｅｌｄ  ｔｈａｔ  ｃｏｎｔａｉｎｓ  ｔｈｅ  ＣＲＣ  ｖａｌｕｅ  ｔｈａｔ  ｇｉｖｅｓ  ａ  ｚｅｒｏ  ｏｕｔｐｕｔ  ｏｆ  ｔｈｅ  ｒｅｇｉｓｔｅｒｓ  ｉｎ  ｔｈｅ  ｄｅｃｏｄｅｒ．）
【０２０２】
図２７は、本発明の一実施例に係るＥＩＴ（Ｅｖｅｎｔ  Ｉｎｆｏｒｍａｔｉｏｎ  Ｔａｂｌｅ）の構成を示した図面だ。
【０２０３】
本発明の一実施例に係るＥＩＴ（Ｅｖｅｎｔ  Ｉｎｆｏｒｍａｔｉｏｎ  Ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｓｅｃｔｉｏｎ＿ｌｅｎｇｔｈフィールド、ｓｅｒｖｉｃｅ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｔｒａｎｓｐｏｒｔ＿ｓｔｒｅａｍ＿ｉｄフィールド、ｏｒｉｇｉｎａｌ＿ｎｅｔｗｏｒｋ＿ｉｄフィールド、ｓｅｇｍｅｎｔ＿ｌａｓｔ＿ｓｅｃｔｉｏｎ＿ｎｕｍｂｅｒフィールド、ｌａｓｔ＿ｔａｂｌｅ＿ｉｄフィールド、ｅｖｅｎｔ＿ｉｄフィールド、ｓｔａｒｔ＿ｔｉｍｅフィールド、ｄｕｒａｔｉｏｎフィールド、ｒｕｎｎｉｎｇ＿ｓｔａｔｕｓフィールド、ｆｒｅｅ＿ＣＡ＿ｍｏｄｅフィールド、ｄｅｓｃｒｉｐｔｏｒｓ＿ｌｏｏｐ＿ｌｅｎｇｔｈフィールド、ｄｅｓｃｒｉｐｔｏｒ（）及び／又はＣＲＣ＿３２フィールドを含む。
【０２０４】
ｔａｂｌｅ＿ｉｄフィールドは、テーブルのタイプを識別する。ｔａｂｌｅ＿ｉｄフィールドは、当該テーブルセクションがＥＩＴを構成するセクションであることを示す役割をすることができる。
【０２０５】
ｓｅｃｔｉｏｎ＿ｓｙｎｔａｘ＿ｉｎｄｉｃａｔｏｒフィールドは、当該フィールドの後に来るテーブルセクションのフォーマットを示す。当該フィールドの値が０であれば、当該テーブルセクションはショートフォーマットであることを示し、当該フィールドの値が１であれば、当該テーブルセクションは一般的なロングフォーマットであることを示す。
【０２０６】
ｓｅｃｔｉｏｎ＿ｌｅｎｇｔｈフィールドは、当該テーブルセクションの長さを示す。ｓｅｃｔｉｏｎ＿ｌｅｎｇｔｈフィールドは、当該フィールド以降から当該テーブルセクションの終わりまでの長さを示すことができる。
【０２０７】
ｓｅｒｖｉｃｅ＿ｉｄフィールドは、トランスポートストリーム内に存在する各サービスを識別する。ｓｅｒｖｉｃｅ＿ｉｄフィールドは、ＰＭＴでｐｒｏｇｒａｍ＿ｎｕｍｂｅｒフィールドとその機能が同一であり得る。
【０２０８】
ｖｅｒｓｉｏｎ＿ｎｕｍｂｅｒフィールドは、プライベートテーブルセクションのバージョン番号を示す。受信機は、当該フィールドと後述するｃｕｒｒｅｎｔ＿ｎｅｘｔ＿ｉｎｄｉｃａｔｏｒフィールドを用いてメモリに格納されているテーブルセクションのうち最近のものを探すことができる。
【０２０９】
ｃｕｒｒｅｎｔ＿ｎｅｘｔ＿ｉｎｄｉｃａｔｏｒフィールドが示す値が１であれば、現在伝送されるテーブルが有効であることを示し、０であれば、現在伝送されるテーブルが現在は有効でないが、後で有効になることを示す。
【０２１０】
ｓｅｃｔｉｏｎ＿ｎｕｍｂｅｒフィールドは、当該セクションが当該テーブルの何番目のセクションであるのかを示す。
【０２１１】
ｌａｓｔ＿ｓｅｃｔｉｏｎ＿ｎｕｍｂｅｒフィールドは、当該テーブルを構成しているセクションのうち最後のセクションの順番を示す。
【０２１２】
ｔｒａｎｓｐｏｒｔ＿ｓｔｒｅａｍ＿ｉｄフィールドは、当該テーブルで説明しようとするトランスポートストリーム（ＴＳ）を識別する。
【０２１３】
ｏｒｉｇｉｎａｌ＿ｎｅｔｗｏｒｋ＿ｉｄフィールドは、当該テーブルで記述するサービス又はイベントを伝送した最初の放送局を識別することができる。
【０２１４】
ｓｅｇｍｅｎｔ＿ｌａｓｔ＿ｓｅｃｔｉｏｎ＿ｎｕｍｂｅｒフィールドは、サブタイトル（ｓｕｂ  ｔａｂｌｅ）が存在する場合、該当セグメントの最後のセクション番号を示す。サブタイトルが分節されていない場合、当該フィールドが示す値はｌａｓｔ＿ｓｅｃｔｉｏｎ＿ｎｕｍｂｅｒフィールドが示す値と同一の値を示すことができる。
【０２１５】
ｌａｓｔ＿ｔａｂｌｅ＿ｉｄフィールドは、使用された最後のｔａｂｌｅ＿ｉｄを示す。
【０２１６】
ｅｖｅｎｔ＿ｉｄフィールドは、それぞれのイベントを識別し、一つのサービス内で唯一の値を有する。
【０２１７】
ｓｔａｒｔ＿ｔｉｍｅフィールドは、該当イベントの開始時間を示す。
【０２１８】
ｄｕｒａｔｉｏｎフィールドは、該当イベントの持続時間を示す。例えば、１時間４５分３０秒間持続するプログラムであれば、ｄｕｒａｔｉｏｎフィールドは０ｘ０１４５３０値を示すことができる。
【０２１９】
ｒｕｎｎｉｎｇ＿ｓｔａｔｕｓフィールドは、該当イベントの状態を示す。
【０２２０】
ｆｒｅｅ＿ＣＡ＿ｍｏｄｅフィールドが示す値が０であれば、サービスを構成するコンポーネントストリームがスクランブルされていないことを示し、１であれば、一つ以上のストリームに対する接近がＣＡシステムによって調節されることを示す。ＣＡシステムは、Ｃｏｎｄｉｔｉｏｎａｌ  Ａｃｃｅｓｓ  Ｓｙｓｔｅｍの略語であって、放送の視聴を契約者に限定するために放送コンテンツの暗号化機能と契約者のみが暗号を解いて放送コンテンツを視聴できる機能を提供するシステムを意味する。
【０２２１】
ｄｅｓｃｒｉｐｔｏｒｓ＿ｌｏｏｐ＿ｌｅｎｇｔｈフィールドは、当該フィールドの後に来る各ディスクリプタの長さを足した値を示す。
【０２２２】
ｄｅｓｃｒｉｐｔｏｒ（）は、各イベントに対して記述するディスクリプタを意味する。本発明の一実施例によれば、パノラマ映像サービス及び／又はプログラムに対するガイド情報を提供するために、上述したｐａｎｏｒａｍａ＿ｃｏｍｐｏｓｉｔｉｏｎ＿ｉｎｆｏはこのディスクリプタに含ませることができる。
【０２２３】
ＣＲＣ＿３２フィールドは、当該テーブルセクションに含まれたデータに誤りがあるか否かを確認するために使用されるＣＲＣ値を示す。
【０２２４】
本発明の一実施例に係るＥＩＴは、ＴＳ内にテーブル（ｔａｂｌｅ）の形態で伝送することができ、ｘｍｌ形態でＩＰストリーミングによって伝送することができる。
【０２２５】
図２８は、本発明の一実施例に係るＥＩＴに含まれたｌｉｎｋａｇｅ＿ｄｅｓｃｒｉｐｔｏｒ（）の構成を示した図である。
【０２２６】
本発明の一実施例によれば、ｌｉｎｋａｇｅ＿ｄｅｓｃｒｉｐｔｏｒ（）は、ＥＩＴのイベントレベルディスクリプタに含ませることができる。
【０２２７】
本発明の一実施例に係るｌｉｎｋａｇｅ＿ｄｅｓｃｒｉｐｔｏｒ（）は、ｄｅｓｃｒｉｐｔｏｒ＿ｔａｇフィールド、ｄｅｓｃｒｉｐｔｏｒ＿ｌｅｎｇｔｈフィールド、ｔｒａｎｓｐｏｒｔ＿ｓｔｒｅａｍ＿ｉｄフィールド、ｏｒｉｇｉｎａｌ＿ｎｅｔｗｏｒｋ＿ｉｄフィールド、ｓｅｒｖｉｃｅ＿ｉｄフィールド、ｌｉｎｋａｇｅ＿ｔｙｐｅフィールド及び／又はａｄｖａｎｃｅｄ＿ｅｖｅｎｔ＿ｌｉｎｋａｇｅ＿ｉｎｆｏ（）を含むことができる。
【０２２８】
ｄｅｓｃｒｉｐｔｏｒ＿ｔａｇフィールドは、このディスクリプタがｌｉｎｋａｇｅ＿ｄｅｓｃｒｉｐｔｏｒであることを示すことができる。
【０２２９】
ｄｅｓｃｒｉｐｔｏｒ＿ｌｅｎｇｔｈフィールドは、このディスクリプタの長さを示すことができる。
【０２３０】
ｔｒａｎｓｐｏｒｔ＿ｓｔｒｅａｍ＿ｉｄフィールドは、情報サービス（ｉｎｆｏｒｍａｔｉｏｎ  ｓｅｒｖｉｃｅ）を含むＴＳを識別する識別子を示すことができる。（Ｔｈｉｓ  ｉｓ  ａ  １６ｂｉｔ  ｆｉｅｌｄ  ｗｈｉｃｈ  ｉｄｅｎｔｉｆｉｅｓ  ｔｈｅ  ＴＳ  ｃｏｎｔａｉｎｉｎｇ  ｔｈｅ  ｉｎｆｏｒｍａｔｉｏｎ  ｓｅｒｖｉｃｅ  ｉｎｄｉｃａｔｅｄ．）
【０２３１】
ｏｒｉｇｉｎａｌ＿ｎｅｔｗｏｒｋ＿ｉｄフィールドは、情報サービスの本来の伝送システムのネットワーク識別子を示すことができる。（Ｔｈｉｓ  １６ｂｉｔ  ｆｉｅｌｄ  ｇｉｖｅｓ  ｔｈｅ  ｌａｂｅｌ  ｉｄｅｎｔｉｆｙｉｎｇ  ｔｈｅ  ｎｅｔｗｏｒｋ＿ｉｄ  ｏｆ  ｔｈｅ  ｏｒｉｇｉｎａｔｉｎｇ  ｄｅｌｉｖｅｒｙ  ｓｙｓｔｅｍ  ｏｆ  ｔｈｅ  ｉｎｆｏｒｍａｔｉｏｎ  ｓｅｒｖｉｃｅ  ｉｎｄｉｃａｔｅｄ．）
【０２３２】
ｓｅｒｖｉｃｅ＿ｉｄフィールドは、ＴＳ内の情報サービスを識別することができる。（Ｔｈｉｓ  ｉｓ  ａ  １６ｂｉｔ  ｆｉｅｌｄ  ｗｈｉｃｈ  ｕｎｉｑｕｅｌｙ  ｉｄｅｎｔｉｆｉｅｓ  ａｎ  ｉｎｆｏｒｍａｔｉｏｎ  ｓｅｒｖｉｃｅ  ｗｉｔｈｉｎ  ａ  ＴＳ．Ｔｈｅ  ｓｅｒｖｉｃｅ＿ｉｄ  ｉｓ  ｔｈｅ  ｓａｍｅ  ａｓ  ｔｈｅ  ｐｒｏｇｒａｍ＿ｎｕｍｂｅｒ  ｉｎ  ｔｈｅ  ｃｏｒｒｅｓｐｏｎｄｉｎｇ  ｐｒｏｇｒａｍ＿ｍａｐ＿ｓｅｃｔｉｏｎ．Ｉｆ  ｔｈｅ  ｌｉｎｋａｇｅ＿ｔｙｐｅ  ｆｉｅｌｄ  ｈａｓ  ｔｈｅ  ｖａｌｕｅ  ０ｘ０４，ｔｈｅｎ  ｔｈｅ  ｓｅｒｖｉｃｅ＿ｉｄ  ｆｉｅｌｄ  ｉｓ  ｎｏｔ  ｒｅｌｅｖａｎｔ，ａｎｄ  ｓｈａｌｌ  ｂｅ  ｓｅｔ  ｔｏ  ０ｘ００００．）
【０２３３】
ｌｉｎｋａｇｅ＿ｔｙｐｅフィールドは、情報サービスなどを連結するリンケージ（ｌｉｎｋａｇｅ）タイプを示すことができる。（Ｔｈｉｓ  ｉｓ  ａｎ  ８ｂｉｔ  ｆｉｅｌｄ  ｓｐｅｃｉｆｙｉｎｇ  ｔｈｅ  ｔｙｐｅ  ｏｆ  ｌｉｎｋａｇｅ．）
【０２３４】
ａｄｖａｎｃｅｄ＿ｅｖｅｎｔ＿ｌｉｎｋａｇｅ＿ｉｎｆｏ（）に対しては後で詳細に説明する。
【０２３５】
本発明の一実施例によれば、現在ユーザが視聴する放送サービスに対応するパノラマイベント及び／又はサービスを知らせるとき、ｌｉｎｋａｇｅ＿ｔｙｐｅ値として０ｘ０Ｆを使用することができる。その一方で、現在ユーザが視聴するパノラマイベント及び／又はサービスに対応するＨＤ及び／又は３Ｄサービスを知らせるとき、ｌｉｎｋａｇｅ＿ｔｙｐｅ値として０ｘ０Ｅを使用することができる。また、現在ユーザが視聴するパノラマイベント及び／又はサービスに対応するＵＨＤサービスを知らせるとき、ｌｉｎｋａｇｅ＿ｔｙｐｅ値として０ｘ０Ｆを使用することができる。
【０２３６】
図２９は、本発明の一実施例に係るｌｉｎｋａｇｅ＿ｔｙｐｅが０ｘ０Ｅである場合、ｌｉｎｋ＿ｔｙｐｅによるターゲットサービス（ｔａｒｇｅｔ  ｓｅｒｖｉｃｅ）のタイプを示した図である。
【０２３７】
本発明の一実施例によれば、ｌｉｎｋ＿ｔｙｐｅが０であれば、ターゲットサービスがＳＤサービスであることを示すことができ、１であればＨＤサービスであることを示すことができ、２であればフレーム互換プラノステレオスコーピック（ｆｒａｍｅ  ｃｏｍｐａｔｉｂｌｅ  ｐｌａｎｏｓｔｅｒｅｏｓｃｏｐｉｃ）サービスであることを示すことができ、３であればサービス互換プラノステレオスコーピック（ｓｅｒｖｉｃｅ  ｃｏｍｐａｔｉｂｌｅ  ｐｌａｎｏｓｔｅｒｅｏｓｃｏｐｉｃ）サービスであることを示すことができる。
【０２３８】
この図面を見ると、ｌｉｎｋａｇｅ＿ｔｙｐｅが０ｘ０Ｅである場合、２ビットが割り当てられたｌｉｎｋ＿ｔｙｐｅには残ったビットがないので、本発明の一実施例は、ターゲットイベント及び／又はサービスがパノラマサービス及び／又はイベントであることをシグナルするために新しいｌｉｎｋａｇｅ＿ｔｙｐｅ値として０ｘ０Ｆを割り当て、ｌｉｎｋ＿ｔｙｐｅ及び／又はｌｉｎｋａｇｅ＿ｔｙｐｅ値の組み合わせでターゲットサービスがパノラマイベント及び／又はサービスであることをシグナルすることができる。このとき、ターゲットサービスがＳＤやＨＤである場合は、ｅｘｔｅｎｄｅｄ＿ｅｖｅｎｔ＿ｌｉｎｋａｇｅ＿ｉｎｆｏ（）もそのまま活用することができる。
【０２３９】
本発明の一実施例によれば、ｌｉｎｋａｇｅ＿ｔｙｐｅが０ｘ０Ｆであるとき、ａｄｖａｎｃｅｄ＿ｅｖｅｎｔ＿ｌｉｎｋａｇｅ＿ｉｎｆｏ（）は、ターゲットイベント及び／又はサービスがパノラマイベント及び／又はサービスであることを示すｌｉｎｋ＿ｔｙｐｅフィールドを含むことができる。これに対しては後で詳細に説明する。
【０２４０】
図３０は、本発明の一実施例に係るａｄｖａｎｃｅｄ＿ｅｖｅｎｔ＿ｌｉｎｋａｇｅ＿ｉｎｆｏ（）の構成を示した図である。
【０２４１】
本発明の一実施例によれば、ｌｉｎｋａｇｅ＿ｔｙｐｅフィールドが０ｘ０Ｆである場合、パノラマイベント及び／又はサービスをシグナルするａｄｖａｎｃｅｄ＿ｅｖｅｎｔ＿ｌｉｎｋａｇｅ＿ｉｎｆｏ（）をｌｉｎｋａｇｅ＿ｄｅｓｃｒｉｐｔｏｒに含ませることができる。
【０２４２】
本発明の一実施例に係るａｄｖａｎｃｅｄ＿ｅｖｅｎｔ＿ｌｉｎｋａｇｅ＿ｉｎｆｏ（）は、ｎｕｍ＿ｌｉｎｋ＿ｅｖｅｎｔフィールド、ｌｉｎｋ＿ｓｉｍｕｌｃａｓｔフィールド、ｌｉｎｋ＿ｄｅｌｉｖｅｒｙ＿ｔｙｐｅフィールド、ｄｅｔａｉｌ＿ｉｎｆｏ＿ｆｌａｇフィールド、ｌｉｎｋ＿ｔｙｐｅフィールド、ｌｉｎｋ＿ｅｖｅｎｔ＿ｉｄフィールド、ｌｉｎｋ＿ｏｒｉｇｉｎａｌ＿ｎｅｔｗｏｒｋ＿ｉｄフィールド、ｌｉｎｋ＿ｔｒａｎｓｐｏｒｔ＿ｓｔｒｅａｍ＿ｉｄフィールド、ｌｉｎｋ＿ｓｅｒｖｉｃｅ＿ｉｄフィールド、ｄｅｌｉｖｅｒｙ＿ｄｅｔａｉｌ＿ｉｎｆｏ（）及び／又はｔｉｍｅ＿ｓｈｉｆｔ＿ｄｅｔａｉｌ＿ｉｎｆｏ（）を含むことができる。
【０２４３】
ｎｕｍ＿ｌｉｎｋ＿ｅｖｅｎｔフィールドは、リンクの数を示すことができる。
【０２４４】
ｌｉｎｋ＿ｓｉｍｕｌｃａｓｔフィールドは、対応するイベント及び／又はサービスが現在のイベント及び／又はサービスと同時に放送されるか否かを示すことができる。例えば、この値が「１」である場合、時間差無しで同時に放送されることを示すことができる。
【０２４５】
ｌｉｎｋ＿ｄｅｌｉｖｅｒｙ＿ｔｙｐｅフィールドは、対応するイベント及び／又はサービスが放送される経路の種類を示すことができる（地上波、衛星、ケーブル、ＩＰなど）。対応するイベント及び／又はサービスが同一の経路又は同一の方式であれば、「００１」の値を指定することができる。一方、同一の経路であっても、伝送パラメータ（例えば、モジュレーション方式と関連するパラメータなど）が異なれば、経路に該当する情報を指定できるが（例えば、「０１０」と「１００」との間の値）、後述するｄｅｌｉｖｅｒｙ＿ｄｅｔａｉｌ＿ｉｎｆｏ（）を通じて詳細パラメータ情報をシグナルすることができる。ここで、ｌｉｎｋ＿ｄｅｌｉｖｅｒｙ＿ｔｙｐｅフィールドは、同一のイベントの同一の伝送経路、ケーブル、ＩＰ又は地上波などをシグナルすることができる。
【０２４６】
ｄｅｔａｉｌ＿ｉｎｆｏ＿ｆｌａｇフィールドは、リンクされるイベント及び／又はサービスに対する物理伝送パラメータに対する情報を含むか否かを示すことができる。
【０２４７】
ｌｉｎｋ＿ｔｙｐｅフィールドは、対応するイベント又はサービスのサービスタイプを示す。例えば、各値によって次のようなＵＨＤビデオの情報及び／又はパノラマサービスの情報を示すことができる。（「００１」  ４Ｋ  ＵＨＤ、８ビット、４：２：０、「０１０」  ４Ｋ  ＵＨＤ、１０ビット、４：２：０、「０１１」  ４Ｋ  ＵＨＤ、１０ビット、４：２：２、「０ｘ１０」  パノラマ、「０ｘ１１」  パノラマ、ＨＤＲ提供、ＷＣＧ提供）
【０２４８】
ｌｉｎｋ＿ｅｖｅｎｔ＿ｉｄフィールド、ｌｉｎｋ＿ｏｒｉｇｉｎａｌ＿ｎｅｔｗｏｒｋ＿ｉｄフィールド、ｌｉｎｋ＿ｔｒａｎｓｐｏｒｔ＿ｓｔｒｅａｍ＿ｉｄフィールド、ｌｉｎｋ＿ｓｅｒｖｉｃｅ＿ｉｄフィールドは、それぞれ対応するイベント及び／又はサービスに対するイベント識別子（ｅｖｅｎｔ＿ｉｄ）、ｏｒｉｇｉｎａｌ＿ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄをそれぞれ示すことができる。
【０２４９】
ｄｅｌｉｖｅｒｙ＿ｄｅｔａｉｌ＿ｉｎｆｏ（）は、リンクされるイベント及び／又はサービスに対する物理伝送パラメータを示すが、例えば、これを用いて伝送されるイベントデータのモジュレーション方式、周波数情報、ＦＥＣ方式などの情報をシグナルすることができる。
【０２５０】
ｔｉｍｅ＿ｓｈｉｆｔ＿ｄｅｔａｉｌ＿ｉｎｆｏ（）は、リンクされるイベント及び／又はサービスに対する現在のイベント及び／又はサービスに時間差が存在する場合、その時間情報に対する情報をシグナルすることができる。実施例を用いて、分単位で何日後に放送されるのかなどを知らせるフィールドを含ませることができる。この値をシグナルする他の例として、ｅｖｅｎｔ＿ｉｄとこのｅｖｅｎｔ＿ｉｄで識別されるイベントに対する時間情報を関連ＥＩＴから参照させることもできる。
【０２５１】
図３１は、本発明の一実施例に係るＰＭＴ（ｐｒｏｇｒａｍ  ｍａｐ  ｔａｂｌｅ）の構成及びＰＭＴに含まれるｐａｎｏｒａｍａ＿ｃｏｍｐｏｓｉｔｉｏｎ＿ｉｎｆｏ（）の位置を示した図である。
【０２５２】
本発明の一実施例によれば、ｐａｎｏｒａｍａ＿ｃｏｍｐｏｓｉｔｉｏｎ＿ｉｎｆｏ（）は、ＰＭＴ内でプログラムレベル及び／又はビデオ（ストリーム）レベルで分離し、それぞれのレベルでシグナルすることができる。
【０２５３】
本発明の一実施例に係るＰＭＴ（ｐｒｏｇｒａｍ  ｍａｐ  ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｓｅｃｔｉｏｎ＿ｌｅｎｇｔｈフィールド、ｐｒｏｇｒａｍ＿ｎｕｍｂｅｒフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ＰＣＲ＿ＰＩＤフィールド、ｐｒｏｇｒａｍ＿ｉｎｆｏ＿ｌｅｎｇｔｈフィールド、ｄｅｓｃｒｉｐｔｏｒ（）、ｓｔｒｅａｍ＿ｔｙｐｅフィールド、ｅｌｅｍｅｎｔａｒｙ＿ＰＩＤフィールド、ＥＳ＿ｉｎｆｏ＿ｌｅｎｇｔｈフィールド、ｄｅｓｃｒｉｐｔｏｒ（）及び／又はＣＲＣ＿３２フィールドを含む。
【０２５４】
ｔａｂｌｅ＿ｉｄフィールドは、テーブルのタイプを識別する。ｔａｂｌｅ＿ｉｄフィールドは、当該テーブルセクションがＰＭＴを構成するセクションであることを示す役割をすることができる。
【０２５５】
ｓｅｃｔｉｏｎ＿ｓｙｎｔａｘ＿ｉｎｄｉｃａｔｏｒフィールドは、当該フィールドの後に来るテーブルセクションのフォーマットを示す。当該フィールドの値が０であれば、当該テーブルセクションはショートフォーマットであることを示し、当該フィールドの値が１であれば、当該テーブルセクションは一般的なロングフォーマットであることを示す。
【０２５６】
ｓｅｃｔｉｏｎ＿ｌｅｎｇｔｈフィールドは、当該テーブルセクションの長さを示す。ｓｅｃｔｉｏｎ＿ｌｅｎｇｔｈフィールドは、当該フィールド以降から当該テーブルセクションの終わりまでの長さを示すので、当該テーブルセクションの実際の長さは、ｓｅｃｃｉｏｎ＿ｌｅｎｇｔｈフィールドが示す値に３バイトを足した値になり得る。
【０２５７】
ｐｒｏｇｒａｍ＿ｎｕｍｂｅｒフィールドは、トランスポートストリーム内に存在する各プログラムサービス又は仮想チャネル（ｖｉｒｔｕａｌ  ｃｈａｎｎｅｌ）を識別する。
【０２５８】
ｖｅｒｓｉｏｎ＿ｎｕｍｂｅｒフィールドは、プライベートテーブルセクションのバージョン番号を示す。受信機は、当該フィールドと後述するｃｕｒｒｅｎｔ＿ｎｅｘｔ＿ｉｎｄｉｃａｔｏｒフィールドを用いてメモリに格納されているテーブルセクションのうち最近のものを探すことができる。
【０２５９】
ｃｕｒｒｅｎｔ＿ｎｅｘｔ＿ｉｎｄｉｃａｔｏｒフィールドが示す値が１であれば、現在伝送されるテーブルが有効であることを示し、０であれば、現在伝送されるテーブルが現在は有効でないが、後で有効になることを示す。
【０２６０】
ｓｅｃｔｉｏｎ＿ｎｕｍｂｅｒフィールドは、当該セクションが当該テーブルの何番目のセクションであるのかを示す。
【０２６１】
ｌａｓｔ＿ｓｅｃｔｉｏｎ＿ｎｕｍｂｅｒフィールドは、当該テーブルを構成しているセクションのうち最後のセクションの順番を示す。
【０２６２】
ＰＣＲ＿ＰＩＤフィールドは、プログラムサービスのためのＰＣＲ（Ｐｒｏｇｒａｍ  Ｃｌｏｃｋ  Ｒｅｆｅｒｅｎｃｅ）が存在するパケットＩＤ（ｐａｃｋｅｔ  ＩＤ）を示す。
【０２６３】
ｐｒｏｇｒａｍ＿ｉｎｆｏ＿ｌｅｎｇｔｈフィールドは、後に来るプログラム情報（ｐｒｏｇｒａｍ＿ｉｎｆｏ）を示すディスクリプタの長さを示す。
【０２６４】
ｄｅｓｃｒｉｐｔｏｒ（）は、当該テーブルセクションに該当するプログラムに対する情報を示すディスクリプタを意味する。本発明の一実施例によれば、ｐａｎｏｒａｍａ＿ｃｏｍｐｏｓｉｔｉｏｎ＿ｉｎｆｏに含まれたフィールドのうちｐａｎｏｒａｍａ＿ｓｅｒｖｉｃｅ＿ｔｙｐｅフィールド、ｐａｎｏｒａｍａ＿ｃｏｍｐｏｓｉｔｉｏｎ＿ｉｎｆｏ＿ｖｅｒフィールド、ｐａｎｏｒａｍａ＿ｗｉｄｔｈ＿ｄｉｖ３２フィールド、ｐａｎｏｒａｍａ＿ｈｅｉｇｈｔ＿ｄｉｖ３２フィールド、ｐａｎｏｒａｍａ＿ｐｒｏｆｉｌｅフィールド、ｐａｎｏｒａｍａ＿ｌｅｖｅｌフィールド及び／又はｐａｎｏｒａｍａ＿ｔｉｅｒフィールドは、ＰＭＴのプログラムレベルでシグナルされるディスクリプタに含ませることができる。
【０２６５】
ｓｔｒｅａｍ＿ｔｙｐｅフィールドは、当該テーブルが説明しているプログラムを構成する各単位ストリームの種類を示す。
【０２６６】
ｅｌｅｍｅｎｔａｒｙ＿ＰＩＤフィールドは、当該テーブルが説明しているプログラムを構成する各単位ストリームのパケットＩＤ（ｐａｃｋｅｔ  ＩＤ）を示す。本発明の一実施例によれば、全体のパノラマ映像が多数の映像に分割され、分割された各映像を含む多数のストリームが存在する場合、このフィールドは、各ストリームごとに異なるｅｌｅｍｅｎｔａｒｙ＿ＰＩＤ値を有するように割り当てることができる。
【０２６７】
ＥＳ＿ｉｎｆｏ＿ｌｅｎｇｔｈフィールドは、後に来る各単位ストリームに対する情報（ＥＳ＿ｉｎｆｏ）を示すディスクリプタの長さを示す。
【０２６８】
ｄｅｓｃｒｉｐｔｏｒ（）は、当該テーブルが説明しているプログラムを構成する単位ストリームのうち一つの単位ストリームに対する情報を示すディスクリプタを意味する。本発明の一実施例によれば、ｐａｎｏｒａｍａ＿ｃｏｍｐｏｓｉｔｉｏｎ＿ｉｎｆｏに含まれたフィールドのうちｐａｎｏｒａｍａ＿ｓｔｒｅａｍ＿ｎｕｍフィールド、ｐａｎｏｒａｍａ＿ｖｉｅｗ＿ｎｕｍフィールド、ｐａｎｏｒａｍａ＿ｖｉｅｗ＿ｐｒｉｏｒｉｔｙフィールド、ｉｎｃｌｕｄｅｄ＿ｓｔｒｅａｍ＿ｉｄフィールド、ｐａｎｏｒａｍａ＿ｃｏｍｐｏｓｉｔｉｏｎ＿ｍｅｔａｄａｔａ（）フィールド、ｐａｎｏｒａｍａ＿ｆｉｌｔｅｒｉｎｇ＿ｍｅｔａｄａｔａ（）フィールド、ｃｒｏｐｐｉｎｇ＿ｒｅｇｉｏｎ＿ｎｕｍフィールド、ｅｘｔｒａｃｔｉｏｎ＿ｉｎｆｏ＿ｍｅｔａｄａｔａ（）フィールド、ＲＯＩ＿ｎｕｍフィールド、ＲＯＩ＿ｃｏｄｅｃ＿ｔｙｐｅフィールド及び／又はＲＯＩ＿ｉｎｆｏ＿ｍｅｔａｄａｔａ（）フィールドは、ＰＭＴのビデオ（ストリーム）レベルでシグナルされるディスクリプタに含ませることができる。
【０２６９】
ＣＲＣ＿３２フィールドは、当該テーブルセクションに含まれたデータに誤りがあるか否かを確認するために使用されるＣＲＣ値を示す。
【０２７０】
本発明の一実施例に係るＰＭＴは、ＭＰＥＧＴＳを通じてインバンド（Ｉｎ  ｂａｎｄ）で伝送することができ、ＰＭＴを含むＰＳＩ情報全体をｘｍｌ形態でＩＰを介して伝送することができる。
【０２７１】
図３２は、本発明の一実施例に係るＴＶＣＴ（ｔｅｒｒｅｓｔｒｉａｌ  ｖｉｒｔｕａｌ  ｃｈａｎｎｅｌ  ｔａｂｌｅ）の構成を示した図である。
【０２７２】
本発明の一実施例に係るｐａｎｏｒａｍａ＿ｃｏｍｐｏｓｉｔｉｏｎ＿ｉｎｆｏは、ＴＶＣＴのチャネルレベルディスクリプタ（ｃｈａｎｎｅｌ  ｌｅｖｅｌ  ｄｅｓｃｒｉｐｔｏｒ）に含ませることができる。
【０２７３】
本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｐｒｉｖａｔｅ＿ｉｎｄｉｃａｔｏｒフィールド、ｓｅｃｔｉｏｎ＿ｌｅｎｇｔｈフィールド、ｔｒａｎｓｐｏｒｔ＿ｓｔｒｅａｍ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｐｒｏｔｏｃｏｐ＿ｖｅｒｓｉｏｎフィールド、ｎｕｍ＿ｃｈａｎｎｅｌｓ＿ｉｎ＿ｓｅｃｔｉｏｎフィールド、ｓｈｏｒｔ＿ｎａｍｅフィールド、ｍａｊｏｒ＿ｃｈａｎｎｅｌ＿ｎｕｍｂｅｒフィールド、ｍｉｎｏｒ＿ｃｈａｎｎｅｌ＿ｎｕｍｂｅｒフィールド、ｍｏｄｕｌａｔｉｏｎ  ｍｏｄｅフィールド、ｃａｒｒｉｅｒ＿ｆｒｅｑｕｅｎｃｙフィールド、ｃｈａｎｎｅｌ＿ＴＳＩＤフィールド、ｐｒｏｇｒａｍ＿ｎｕｍｂｅｒフィールド、ＥＴＭ＿ｌｏｃａｔｉｏｎフィールド、ａｃｃｅｓｓ＿ｃｏｎｔｒｏｌｌｅｄフィールド、ｈｉｄｄｅｎフィールド、ｈｉｄｅ＿ｇｕｉｄｅフィールド、ｓｅｒｖｉｃｅ＿ｔｙｐｅフィールド、ｓｏｕｒｃｅ＿ｉｄフィールド、ｄｅｓｃｒｉｐｔｏｒｓ＿ｌｅｎｇｔｈフィールド及び／又はｄｅｓｃｒｉｐｔｏｒ（）を含むことができる。
【０２７４】
ｔａｂｌｅ＿ｉｄフィールドは、テーブルを識別する。
【０２７５】
ｓｅｃｔｉｏｎ＿ｓｙｎｔａｘ＿ｉｎｄｉｃａｔｏｒフィールドは、ＭＰＥＧ２  ｐｒｉｖａｔｅ＿ｓｅｃｔｉｏｎテーブルのロング形態を示すために１にセットされる１ビットフィールドである。（Ｔｈｉｓ  １ｂｉｔ  ｆｉｅｌｄ  ｓｈａｌｌ  ｂｅ  ｓｅｔ  ｔｏ  「１」  ｔｏ  ａｌｗａｙｓ  ｉｎｄｉｃａｔｅ  ｔｈｅ  「ｌｏｎｇ」  ｆｏｒｍ  ｏｆ  ｔｈｅ  ＭＰＥＧ２  ｐｒｉｖａｔｅ＿ｓｅｃｔｉｏｎ  ｔａｂｌｅ．）
【０２７６】
ｐｒｉｖａｔｅ＿ｉｎｄｉｃａｔｏｒフィールドは、１にセットされる１ビットフィールドである。（Ｔｈｉｓ  １ｂｉｔ  ｆｉｅｌｄ  ｓｈａｌｌ  ｂｅ  ｓｅｔ  ｔｏ  「１」．）
【０２７７】
ｓｅｃｔｉｏｎ＿ｌｅｎｇｔｈフィールドは、このフィールドの後に来るテーブルセクションの長さをバイト数で示す。（Ｔｈｉｓ  ｉｓ  ａ  １２ｂｉｔ  ｆｉｅｌｄ，ｔｈｅ  ｆｉｒｓｔ  ｔｗｏ  ｂｉｔｓ  ｏｆ  ｗｈｉｃｈ  ｓｈａｌｌ  ｂｅ  「００」．Ｉｔ  ｓｐｅｃｉｆｉｅｓ  ｔｈｅ  ｎｕｍｂｅｒ  ｏｆ  ｂｙｔｅｓ  ｏｆ  ｔｈｅ  ｓｅｃｔｉｏｎ，ｓｔａｒｔｉｎｇ  ｉｍｍｅｄｉａｔｅｌｙ  ｆｏｌｌｏｗｉｎｇ  ｔｈｅ  ｓｅｃｔｉｏｎ＿ｌｅｎｇｔｈ  ｆｉｅｌｄ  ａｎｄ  ｉｎｃｌｕｄｉｎｇ  ｔｈｅ  ＣＲＣ．Ｔｈｅ  ｓｅｃｔｉｏｎ＿ｌｅｎｇｔｈ  ｓｈａｌｌ  ｎｏｔ  ｅｘｃｅｅｄ  １０２１  ｓｏ  ｔｈａｔ  ｔｈｅ  ｅｎｔｉｒｅ  ｓｅｃｔｉｏｎ  ｈａｓ  ａ  ｍａｘｉｍｕｍ  ｌｅｎｇｔｈ  ｏｆ  １０２４  ｂｙｔｅｓ．）
【０２７８】
ｔｒａｎｓｐｏｒｔ＿ｓｔｒｅａｍ＿ｉｄフィールドは、テーブル内にあるＭＰＥＧ２伝送ストリーム（Ｔｒａｎｓｐｏｒｔ  Ｓｔｒｅｍａ：ＴＳ）の識別子を示す。（Ｔｏ  ｄｉｓｔｉｎｇｕｉｓｈ  ｅａｃｈ  ｔｒａｎｓｐｏｒｔ  ｓｔｒｅａｍ  ｗｉｔｈｉｎ  ａ  ｓｉｎｇｌｅ  ｎｅｔｗｏｒｋ（ｔｅｒｒｅｓｔｒｉａｌ、ｃａｂｌｅ  ｏｒ  ｓａｔｅｌｌｉｔｅ）  ｆｒｏｍ  ａｎｏｔｈｅｒ，ＭＰＥＧ２  ｅｓｔａｂｌｉｓｈｅｄ  ｔｈｅ  ｕｓｅ  ｏｆ  ａ  １６ｂｉｔ（ｒａｎｇｉｎｇ  ｆｒｏｍ  ０  ｔｏ  ６５５３５）  ｔｒａｎｓｐｏｒｔ＿ｓｔｒｅａｍ＿ｉｄｅｎｔｉｆｉｅｒ，ｗｈｉｃｈ  ｉｓ  ａｌｓｏ  ｃａｌｌｅｄ  ａ  ＴＳＩＤ．）
【０２７９】
ｖｅｒｓｉｏｎ＿ｎｕｍｂｅｒフィールドは、テーブルのバージョン番号を示す５ビットフィールドである。（Ｔｈｉｓ  ５ｂｉｔ  ｆｉｅｌｄ  ｉｓ  ｔｈｅ  ｖｅｒｓｉｏｎ  ｎｕｍｂｅｒ  ｏｆ  ｔｈｅ  ＰＳＩＰ＿ｓｅｃｔｉｏｎ．Ｔｈｅ  ｖｅｒｓｉｏｎ＿ｎｕｍｂｅｒ  ｓｈａｌｌ  ｂｅ  ｉｎｃｒｅｍｅｎｔｅｄ  ｂｙ  １  ｍｏｄｕｌｏ  ３２  ｗｈｅｎ  ａ  ｃｈａｎｇｅ  ｉｎ  ｔｈｅ  ｉｎｆｏｒｍａｔｉｏｎ  ｃａｒｒｉｅｄ  ｗｉｔｈｉｎ  ｔｈｅ  ＰＳＩＰ＿ｓｅｃｔｉｏｎ  ｏｃｃｕｒｓ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  「０」，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｎｅｘｔ  ａｐｐｌｉｃａｂｌｅ  ＰＳＩＰ＿ｓｅｃｔｉｏｎ  ｗｉｔｈ  ｔｈｅ  ｓａｍｅ  ｔａｂｌｅ＿ｉｄ，ｔａｂｌｅ＿ｉｄ＿ｅｘｔｅｎｓｉｏｎ，ａｎｄ  ｓｅｃｔｉｏｎ＿ｎｕｍｂｅｒ．）
【０２８０】
ｃｕｒｒｅｎｔ＿ｎｅｘｔ＿ｉｎｄｉｃａｔｏｒフィールドは、１ビットフィールドであって、このテーブルが現在適用可能であるのか、それとも次に適用可能であるのかを示す。（Ａ  １ｂｉｔ  ｆｉｅｌｄ，ｗｈｉｃｈ  ｗｈｅｎ  ｓｅｔ  ｔｏ  「１」  ｉｎｄｉｃａｔｅｓ  ｔｈａｔ  ｔｈｅ  ＰＳＩＰ＿ｓｅｃｔｉｏｎ  ｓｅｎｔ  ｉｓ  ｃｕｒｒｅｎｔｌｙ  ａｐｐｌｉｃａｂｌｅ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  「１」，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｃｕｒｒｅｎｔｌｙ  ａｐｐｌｉｃａｂｌｅ  ＰＳＩＰ＿ｓｅｃｔｉｏｎ．Ｗｈｅｎ  ｔｈｅ  ｂｉｔ  ｉｓ  ｓｅｔ  ｔｏ  「０」，ｉｔ  ｉｎｄｉｃａｔｅｓ  ｔｈａｔ  ｔｈｅ  ＰＳＩＰ＿ｓｅｃｔｉｏｎ  ｓｅｎｔ  ｉｓ  ｎｏｔ  ｙｅｔ  ａｐｐｌｉｃａｂｌｅ  ａｎｄ  ｓｈａｌｌ  ｂｅ  ｔｈｅ  ｎｅｘｔ  ＰＳＩＰ＿ｓｅｃｔｉｏｎ  ｗｉｔｈ  ｔｈｅ  ｓａｍｅ  ｓｅｃｔｉｏｎ＿ｎｕｍｂｅｒ，ｔａｂｌｅ＿ｉｄ＿ｅｘｔｅｎｓｉｏｎ，ａｎｄ  ｔａｂｌｅ＿ｉｄ  ｔｏ  ｂｅｃｏｍｅ  ｖａｌｉｄ．）
【０２８１】
ｓｅｃｔｉｏｎ＿ｎｕｍｂｅｒフィールドは、セクションの番号を示す。（Ｔｈｉｓ  ８ｂｉｔ  ｆｉｅｌｄ  ｇｉｖｅｓ  ｔｈｅ  ｎｕｍｂｅｒ  ｏｆ  ｔｈｅ  ＰＳＩＰ＿ｓｅｃｔｉｏｎ．Ｔｈｅ  ｓｅｃｔｉｏｎ＿ｎｕｍｂｅｒ  ｏｆ  ｔｈｅ  ｆｉｒｓｔ  ｓｅｃｔｉｏｎ  ｉｎ  ａ  ＰＳＩＰ  ｔａｂｌｅ  ｓｈａｌｌ  ｂｅ  ０ｘ００．Ｔｈｅ  ｓｅｃｔｉｏｎ＿ｎｕｍｂｅｒ  ｓｈａｌｌ  ｂｅ  ｉｎｃｒｅｍｅｎｔｅｄ  ｂｙ  １  ｗｉｔｈ  ｅａｃｈ  ａｄｄｉｔｉｏｎａｌ  ｓｅｃｔｉｏｎ  ｉｎ  ＰＳＩＰ  ｔａｂｌｅ．Ｔｈｅ  ｓｃｏｐｅ  ｏｆ  ｔｈｅ  ｓｅｃｔｉｏｎ＿ｎｕｍｂｅｒ  ｓｈａｌｌ  ｂｅ  ｄｅｆｉｎｅｄ  ｂｙ  ｔｈｅ  ｔａｂｌe＿ｉｄ  ａｎｄ  ｔａｂｌｅ＿ｉｄ＿ｅｘｔｅｎｓｉｏｎ．Ｔｈａｔ  ｉｓ，ｆｏｒ  ｅａｃｈ  ＰＳＩＰ  ｔａｂｌｅ  ａｎｄ  ｖａｌｕｅ  ｏｆ  ｔｈｅ  ｔａｂｌｅ＿ｉｄ＿ｅｘｔｅｎｓｉｏｎ  ｆｉｅｌｄ，ｔｈｅｒｅ  ｉｓ  ｔｈｅ  ｐｏｔｅｎｔｉａｌ  ｆｏｒ  ｔｈｅ  ｆｕｌｌ  ｒａｎｇｅ  ｏｆ  ｓｅｃｔｉｏｎ＿ｎｕｍｂｅｒ  ｖａｌｕｅｓ．）
【０２８２】
ｌａｓｔ＿ｓｅｃｔｉｏｎ＿ｎｕｍｂｅｒフィールドは、最後のセクションの番号を識別する。（Ｔｈｉｓ  ８ｂｉｔ  ｆｉｅｌｄ  ｓｐｅｃｉｆｉｅｓ  ｔｈｅ  ｎｕｍｂｅｒ  ｏｆ  ｔｈｅ  ｌａｓｔ  ｓｅｃｔｉｏｎ（ｔｈａｔ  ｉｓ，ｔｈｅ  ｓｅｃｔｉｏｎ  ｗｉｔｈ  ｔｈｅ  ｈｉｇｈｅｓｔ  ｓｅｃｔｉｏｎ＿ｎｕｍｂｅｒ）  ｏｆ  ｔｈｅ  ＰＳＩＰ  ｔａｂｌｅ  ｏｆ  ｗｈｉｃｈ  ｔｈｉｓ  ｓｅｃｔｉｏｎ  ｉｓ  ａ  ｐａｒｔ．Ｉｔｓ  ｓｃｏｐｅ  ｉｓ  ｔｈｅ  ｓａｍｅ  ａｓ  ｆｏｒ  ｔｈｅ  ｓｅｃｔｉｏｎ＿ｎｕｍｂｅｒ  ｆｉｅｌｄ．）
【０２８３】
ｐｒｏｔｏｃｏｐ＿ｖｅｒｓｉｏｎフィールドは、現在のプロトコルで定義されたパラメータと異なるパラメータを伝送する現在のテーブルタイプを後で許容するための機能を有するフィールドである。（Ａｎ  ８ｂｉｔ  ｕｎｓｉｇｎｅｄ  ｉｎｔｅｇｅｒ  ｆｉｅｌｄ  ｗｈｏｓｅ  ｆｕｎｃｔｉｏｎ  ｉｓ  ｔｏ  ａｌｌｏｗ，ｉｎ  ｔｈｅ  ｆｕｔｕｒｅ，ｔｈｉｓ  ｔａｂｌｅ  ｔｙｐｅ  ｔｏ  ｃａｒｒｙ  ｐａｒａｍｅｔｅｒｓ  ｔｈａｔ  ｍａｙ  ｂｅ  ｓｔｒｕｃｔｕｒｅｄ  ｄｉｆｆｅｒｅｎｔｌｙ  ｔｈａｎ  ｔｈｏｓｅ  ｄｅｆｉｎｅｄ  ｉｎ  ｔｈｅ  ｃｕｒｒｅｎｔ  ｐｒｏｔｏｃｏｌ．Ａｔ  ｐｒｅｓｅｎｔ，ｔｈｅ  ｏｎｌｙ  ｖａｌｉｄ  ｖａｌｕｅ  ｆｏｒ  ｐｒｏｔｏｃｏｌ＿ｖｅｒｓｉｏｎ  ｉｓ  ｚｅｒｏ．Ｎｏｎｚｅｒｏ  ｖａｌｕｅｓ  ｏｆ  ｐｒｏｔｏｃｏｌ＿ｖｅｒｓｉｏｎ  ｍａｙ  ｂｅ  ｕｓｅｄ  ｂｙ  ａ  ｆｕｔｕｒｅ  ｖｅｒｓｉｏｎ  ｏｆ  ｔｈｉｓ  ｓｔａｎｄａｒｄ  ｔｏ  ｉｎｄｉｃａｔｅ  ｓｔｒｕｃｔｕｒａｌｌｙ  ｄｉｆｆｅｒｅｎｔ  ｔａｂｌｅｓ．）
【０２８４】
ｎｕｍ＿ｃｈａｎｎｅｌｓ＿ｉｎ＿ｓｅｃｔｉｏｎフィールドは、仮想チャネル解像度の個数を示す。（Ｔｈｅ  ｎｕｍ＿ｃｈａｎｎｅｌｓ＿ｉｎ＿ｓｅｃｔｉｏｎ  ｆｉｅｌｄ  ｉｎ  ＡＴＳＣ  Ｃａｂｌｅ  Ｖｉｒｔｕａｌ  Ｃｈａｎｎｅｌ  ｔａｂｌｅ  ＣＶＣＴ  ｔａｂｌｅ  ｓｅｃｔｉｏｎｓ  ｉｓ  ａｎ  ｅｉｇｈｔｂｉｔ  ｆｉｅｌｄ  ｔｈａｔ  ｉｎｄｉｃａｔｅｓ  ｔｈｅ  ｎｕｍｂｅｒ  ｏｆ  ｖｉｒｔｕａｌ  ｃｈａｎｎｅｌ  ｄｅｆｉｎｉｔｉｏｎｓ  ｔｏ  ｆｏｌｌｏｗ  ｉｎ  ｔｈｅ  ｔａｂｌｅ  ｓｅｃｔｉｏｎ．）
【０２８５】
ｓｈｏｒｔ＿ｎａｍｅフィールドは、仮想チャネルのためのショートネーム（ｓｈｏｒｔ  ｎａｍｅ）を示す１１２ビットフィールドである。（Ｔｈｅ  ｓｈｏｒｔ＿ｎａｍｅ  ｆｉｅｌｄ  ｉｓ  ａ  １１２ｂｉｔ  ｆｉｅｌｄ  ｉｎ  ＡＴＳＣ  ＣＶＣＴ  ｔａｂｌｅ  ｓｅｃｔｉｏｎｓ  ｔｈａｔ  ｇｉｖｅｓ  ｔｈｅ  ｓｈｏｒｔ＿ｎａｍｅ  ｆｏｒ  ｔｈｅ  ｖｉｒｔｕａｌ  ｃｈａｎｎｅｌ．Ｅａｃｈ  ｌｅｔｔｅｒ  ｏｆ  ｔｈｅ  ｓｈｏｒｔ＿ｎａｍｅ  ｉｓ  ｆｏｒｍａｔｔｅｄ  ａｓ  ａ  １６ｂｉｔ  Ｕｎｉｃｏｄｅ  ｃｈａｒａｃｔｅｒ，ｗｉｔｈ  ｔｈｅ  ｈｉｇｈ  ｏｒｄｅｒ  ｂｙｔｅ  ｔｒａｎｓｍｉｔｔｅｄ  ｆｉｒｓｔ．Ｓｏ，ｓｈｏｒｔ＿ｎａｍｅ  ｆｏｒ  ＴＶＣＴ  ａｎｄ  ＣＶＣＴ  ｅｎｔｒｉｅｓ  ｉｓ  ｓｅｖｅｎ  Ｕｎｉｃｏｄｅ  ｃｈａｒａｃｔｅｒｓ，ｗｈｉｃｈ  ｓｈｏｒｔ＿ｎａｍｅ  ｆｏｒ  ＳＶＣＴ  ｅｎｔｒｉｅｓ  ｉｓ  ｅｉｇｈｔ  Ｕｎｉｃｏｄｅ  ｃｈａｒａｃｔｅｒｓ．Ｉｆ  ｔｈｅ  ｄｉｓｐｌａｙ  ｎａｍｅ  ｉｓ  ｌｅｓｓ  ｔｈａｎ  ｔｈｅ  ｎｕｍｂｅｒ  ｏｆ  ｐｅｒｍｉｔｔｅｄ  ｃｈａｒａｃｔｅｒｓ，０／０ｘ００  ｉｓ  ａｐｐｅｎｄｅｄ  ｔｏ  ｔｈｅ  ｅｎｄ  ｕｎｔｉｌ  ｔｈｅ  ａｌｌｏｔｅｄ  ｎｕｍｂｅｒ  ｏｆ  ｂｉｔｓ  ｈａｓ  ｂｅｅｎ  ｒｅａｃｈｅｄ．）
【０２８６】
ｍａｊｏｒ＿ｃｈａｎｎｅｌ＿ｎｕｍｂｅｒフィールドは、仮想チャネルと関連するメジャーチャネルの数を示す。（Ａ  １０ｂｉｔ  ｎｕｍｂｅｒ  ｔｈａｔ  ｒｅｐｒｅｓｅｎｔｓ  ｔｈｅ  「ｍａｊｏｒ」  ｃｈａｎｎｅｌ  ｎｕｍｂｅｒ  ａｓｓｏｃｉａｔｅｄ  ｗｉｔｈ  ｔｈｅ  ｖｉｒｔｕａｌ  ｃｈａｎｎｅｌ  ｂｅｉｎｇ  ｄｅｆｉｎｅｄ  ｉｎ  ｔｈｉｓ  ｉｔｅｒａｔｉｏｎ  ｏｆ  ｔｈｅ  「ｆｏｒ」  ｌｏｏｐ．Ｅａｃｈ  ｖｉｒｔｕａｌ  ｃｈａｎｎｅｌ  ｓｈａｌｌ  ｂｅ  ａｓｓｏｃｉａｔｅｄ  ｗｉｔｈ  ａ  ｍａｊｏｒ  ａｎｄ  ａ  ｍｉｎｏｒ  ｃｈａｎｎｅｌ  ｎｕｍｂｅｒ．Ｔｈｅ  ｍａｊｏｒ  ｃｈａｎｎｅｌ  ｎｕｍｂｅｒ，ａｌｏｎｇ  ｗｉｔｈ  ｔｈｅ  ｍｉｎｏｒ  ｃｈａｎｎｅｌ  ｎｕｍｂｅｒ，ａｃｔ  ａｓ  ｔｈｅ  ｕｓｅｒ’ｓ  ｒｅｆｅｒｅｎｃｅ  ｎｕｍｂｅｒ  ｆｏｒ  ｔｈｅ  ｖｉｒｔｕａｌ  ｃｈａｎｎｅｌ．Ｔｈｅ  ｍａｊｏｒ＿ｃｈａｎｎｅｌ＿ｎｕｍｂｅｒ  ｓｈａｌｌ  ｂｅ  ｂｅｔｗｅｅｎ  １  ａｎｄ  ９９．Ｔｈｅ  ｖａｌｕｅ  ｏｆ  ｍａｊｏｒ＿ｃｈａｎｎｅｌ＿ｎｕｍｂｅｒ  ｓｈａｌｌ  ｂｅ  ｓｅｔ  ｓｕｃｈ  ｔｈａｔ  ｉｎ  ｎｏ  ｃａｓｅ  ｉｓ  ａ  ｍａｊｏｒ＿ｃｈａｎｎｅｌ＿ｎｕｍｂｅｒ／ｍｉｎｏｒ＿ｃｈａｎｎｅｌ＿ｎｕｍｂｅｒ  ｐａｉｒ  ｄｕｐｌｉｃａｔｅｄ  ｗｉｔｈｉｎ  ｔｈｅ  ＴＶＣＴ．）
【０２８７】
ｍｉｎｏｒ＿ｃｈａｎｎｅｌ＿ｎｕｍｂｅｒフィールドは、仮想チャネルと関連するマイナーチャネルの数を示す。（Ａ  １０ｂｉｔ  ｎｕｍｂｅｒ  ｉｎ  ｔｈｅ  ｒａｎｇｅ  ０  ｔｏ  ９９９  ｔｈａｔ  ｒｅｐｒｅｓｅｎｔｓ  ｔｈｅ  「ｍｉｎｏｒ」  ｏｒ  「ｓｕｂ」  ｃｈａｎｎｅｌ  ｎｕｍｂｅｒ．Ｔｈｉｓ  ｆｉｅｌｄ，ｔｏｇｅｔｈｅｒ  ｗｉｔｈ  ｍａｊｏｒ＿ｃｈａｎｎｅｌ＿ｎｕｍｂｅｒ，ｐｅｒｆｏｒｍｓ  ａｓ  ａ  ｔｗｏｐａｒｔ  ｃｈａｎｎｅｌ  ｎｕｍｂｅｒ，ｗｈｅｒｅ  ｍｉｎｏｒ＿ｃｈａｎｎｅｌ＿ｎｕｍｂｅｒ  ｒｅｐｒｅｓｅｎｔｓ  ｔｈｅ  ｓｅｃｏｎｄ  ｏｒ  ｒｉｇｈｔｈａｎｄ  ｐａｒｔ  ｏｆ  ｔｈｅ  ｎｕｍｂｅｒ．Ｗｈｅｎ  ｔｈｅ  ｓｅｒｖｉｃｅ＿ｔｙｐｅ  ｉｓ  ａｎａｌｏｇ  ｔｅｌｅｖｉｓｉｏｎ，ｍｉｎｏｒ＿ｃｈａｎｎｅｌ＿ｎｕｍｂｅｒ  ｓｈａｌｌ  ｂｅ  ｓｅｔ  ｔｏ  ０．）
【０２８８】
ｍｏｄｕｌａｔｉｏｎ  ｍｏｄｅフィールドは、仮想チャネルの伝送キャリアに対する変調方式を示す。（Ｔｈｅ  ｍｏｄｕｌａｔｉｏｎ＿ｍｏｄｅ  ｉｓ  ａｎ  ｅｉｇｈｔｂｉｔ  ｆｉｅｌｄ  ｉｎ  ａ  ｖｉｒｔｕａｌ  ｃｈａｎｎｅｌ  ｅｎｔｒｙ  ｔｅｌｌｓ  ｒｅｃｅｉｖｅｒｓ  ｔｈｅ  ｍｏｄｕｌａｔｉｏｎ  ｕｓｅｄ  ｔｏ  ｔｒａｎｓｍｉｔ  ｉｎｄｉｖｉｄｕａｌ  ｃｈａｎｎｅｌｓ．）
【０２８９】
ｃａｒｒｉｅｒ＿ｆｒｅｑｕｅｎｃｙフィールドは、伝送仮想チャネルによって使用されるキャリア周波数情報を伝送する。（Ｔｈｅ  ｃａｒｒｉｅｒ  ｆｒｅｑｕｅｎｃｙ  ｉｓ  ａ  ３２ｂｉｔ  ｆｉｅｌｄ  ｔｈａｔ  ｔｒａｎｓｍｉｔｓ  ｔｈｅ  ｃａｒｒｉｅｒ  ｆｒｅｑｕｅｎｃｙ  ｕｓｅｄ  ｂｙ  ｔｈｅ  ｔｒａｎｓｐｏｒｔ  ｃａｒｒｙｉｎｇ  ｔｈｅ  ｖｉｒｔｕａｌ  ｃｈａｎｎｅｌ．）
【０２９０】
ｃｈａｎｎｅｌ＿ＴＳＩＤフィールドは、仮想チャネルと関連するＭＰＥＧ２プログラムを伝送する伝送ストリーム（Ｔｒａｎｓｐｏｒｔ  Ｓｔｒｅａｍ：ＴＳ）に対するＭＰＥＧ２伝送ストリームＩＤを示す。（Ｔｈｅ  ｃｈａｎｎｅｌ＿ＴＳＩＤ  ｉｓ  ａ  １６ｂｉｔ  ｕｎｓｉｇｎｅｄ  ｉｎｔｅｇｅｒ  ｆｉｅｌｄ  ｔｈａｔ  ｇｉｖｅｓ  ｔｈｅ  ｔｒａｎｓｐｏｒｔ＿ｓｔｒｅａｍ＿ｉｄ  ｏｆ  ｔｈｅ  ｃｈａｎｎｅｌ  ｔｈａｔ  ｃａｒｒｉｅｓ（ｏｒ  ｆｏｒ  ｉｎａｃｔｉｖｅ  ｃｈａｎｎｅｌｓ，ｗｉｌｌ  ｃａｒｒｙ）  ｔｈｅ  ｖｉｒｔｕａｌ  ｃｈａｎｎｅｌ．）
【０２９１】
ｐｒｏｇｒａｍ＿ｎｕｍｂｅｒフィールドは、ＴＳ内の各プログラムサービス又は仮想チャネルを識別する。（Ｔｈｅ  ｐｒｏｇｒａｍ＿ｎｕｍｂｅｒ  ｉｓ  ａ  １６ｂｉｔ  ｕｎｓｉｇｎｅｄ  ｉｎｔｅｇｅｒ  ｔｈａｔ  ｕｎｉｑｕｅｌｙ  ｉｄｅｎｔｉｆｉｅｓ  ｅａｃｈ  ｐｒｏｇｒａｍ  ｓｅｒｖｉｃｅ（ｏｒ  ｖｉｒｔｕａｌ  ｃｈａｎｎｅｌ）  ｐｒｅｓｅｎｔ  ｉｎ  ａ  ｔｒａｎｓｐｏｒｔ  ｓｔｒｅａｍ．）
【０２９２】
ＥＴＭ＿ｌｏｃａｔｉｏｎフィールドは、チャネル、イベント又はデータイベントのための拡張されたテキストメッセージの存在有無を示す。（Ｔｈｅ  ＥＴＭ＿ｌｏｃａｔｉｏｎ  ｆｉｅｌｄ  ｄｅｎｏｔｅｓ  ｗｈｅｔｈｅｒ  ｔｈｅｒｅ  ｉｓ  ａｎ  ｅｘｔｅｎｄｅｄ  ｔｅｘｔ  ｍｅｓｓａｇｅ  ｆｏｒ  ｔｈｅ  ｃｈａｎｎｅｌ（Ｃｈａｎｎｅｌ  Ｅｘｔｅｎｄｅｄ  Ｔｅｘｔ  ｔａｂｌｅ  ｏｒ  ＣＥＴＴ），ｅｖｅｎｔ（Ｅｖｅｎｔ  Ｅｘｔｅｎｄｅｄ  Ｔｅｘｔ  ｔａｂｌｅ）  ｏｒ  ｄａｔａ  ｅｖｅｎｔ（Ｄａｔａ  Ｅｘｔｅｎｄｅｄ  Ｔｅｘｔ  ｔａｂｌｅ）．）
【０２９３】
ａｃｃｅｓｓ＿ｃｏｎｔｒｏｌｌｅｄフィールドは、該当の仮想チャネルと連関したイベントを制御できるか否かを示す。（Ｗｈｅｎ  ａｃｃｅｓｓ＿ｃｏｎｔｒｏｌｌｅｄ  ｉｓ  ｓｅｔ  ｔｏ  「１」，ｍｅａｎｓ  ｔｈａｔ  ｅｖｅｎｔｓ  ａｓｓｏｃｉａｔｅｄ  ｗｉｔｈ  ｔｈｉｓ  ｖｉｒｔｕａｌ  ｃｈａｎｎｅｌ  ｍａｙ  ｂｅ  ａｃｃｅｓｓ  ｃｏｎｔｒｏｌｌｅｄ．Ｗｈｅｎ  ｓｅｔ  ｔｏ  「０」，ａｃｃｅｓｓ  ｔｏ  ｅｖｅｎｔ  ｉｓ  ｎｏｔ  ｃｏｎｔｒｏｌｌｅｄ．）
【０２９４】
ｈｉｄｄｅｎフィールドは、該当チャネルが仮想チャネル数字のダイレクトエントリ（ｄｉｒｅｃｔ  ｅｎｔｒｙ）（又はフィールド、属性、個体）によって接近できるか否かを意味する。（Ｗｈｅｎ  ｈｉｄｄｅｎ  ｉｓ  ｓｅｔ  ｔｏ  「１」，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  「０」，ｖｉｒｔｕａｌ  ｃａｎ  ｂｅ  ａｃｃｅｓｓｅｄ  ｂｙ  ｄｉｒｅｃｔ  ｅｎｔｒｙ．）
【０２９５】
ｈｉｄｅ＿ｇｕｉｄｅフィールドは、該当チャネルが仮想チャネル数字のダイレクトエントリ（又はフィールド、属性、個体）によって接近できるか否かを意味する。（Ｗｈｅｎ  ｈｉｄｅ＿ｇｕｉｄｅ  ｉｓ  ｓｅｔ  ｔｏ  「１」，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  「０」，ｖｉｒｔｕａｌ  ｃａｎ  ｂｅ  ａｃｃｅｓｓｅｄ  ｂｙ  ｄｉｒｅｃｔ  ｅｎｔｒｙ．）
【０２９６】
ｓｅｒｖｉｃｅ＿ｔｙｐｅフィールドは、仮想チャネルでセットされたサービスタイプを識別する。（Ｔｈｅ  ｓｅｒｖｉｃｅ＿ｔｙｐｅ  ｉｓ  ａ  ６ｂｉｔ  ｅｎｕｍｅｒａｔｅｄ  ｆｉｅｌｄ  ｔｈａｔ  ｉｄｅｎｔｉｆｉｅｓ  ｔｈｅ  ｔｙｐｅ  ｏｆ  ｓｅｒｖｉｃｅ  ｓｅｔ  ｉｎ  ｔｈｅ  ｖｉｒｔｕａｌ  ｃｈａｎｎｅｌ．）本発明の一実施例に係るパノラマサービスのｓｅｒｖｉｃｅ＿ｔｙｐｅは、パラメータ化サービス（ｐａｒａｍｅｔｅｒｉｚｅｄ  ｓｅｒｖｉｃｅ）（０ｘ０７）、拡張されたパラメータ化サービス（ｅｘｔｅｎｄｅｄ  ｐａｒａｍｅｔｅｒｉｚｅｄ  ｓｅｒｖｉｃｅ）（０ｘ０９）及び／又は新しいＤＴＶサービスパノラマサービス（ｓｅｒｖｉｃｅ  ｐａｎｏｒａｍａ  ｓｅｒｖｉｃｅ）（０ｘ１０）と指定することができる。上述したサービスの名称及び値は一実施例であり、他の名称又は値に設定することもできる。
【０２９７】
ｓｏｕｒｃｅ＿ｉｄフィールドは、１６ビットの符号が定められていない整数であって、仮想チャネルと連関したプログラミングソースを示す。（Ａ  １６ｂｉｔ  ｕｎｓｉｇｎｅｄ  ｉｎｔｅｇｅｒ  ｎｕｍｂｅｒ  ｔｈａｔ  ｉｄｅｎｔｉｆｉｅｓ  ｔｈｅ  ｐｒｏｇｒａｍｍｉｎｇ  ｓｏｕｒｃｅ  ａｓｓｏｃｉａｔｅｄ  ｗｉｔｈ  ｔｈｅ  ｖｉｒｔｕａｌ  ｃｈａｎｎｅｌ．Ｉｎ  ｔｈｉｓ  ｃｏｎｔｅｘｔ，ａ  ｓｏｕｒｃｅ  ｉｓ  ｏｎｅ  ｓｐｅｃｉｆｉｃ  ｓｏｕｒｃｅ  ｏｆ  ｖｉｄｅｏ，ｔｅｘｔ，ｄａｔａ，ｏｒ  ａｕｄｉｏ  ｐｒｏｇｒａｍｍｉｎｇ．Ｓｏｕｒｃｅ  ＩＤ  ｖａｌｕｅ  ｚｅｒｏ  ｉｓ  ｒｅｓｅｒｖｅｄ．Ｓｏｕｒｃｅ  ＩＤ  ｖａｌｕｅｓ  ｉｎ  ｔｈｅ  ｒａｎｇｅ  ０ｘ０００１  ｔｏ  ０ｘ０ＦＦＦ  ｓｈａｌｌ  ｂｅ  ｕｎｉｑｕｅ  ｗｉｔｈｉｎ  ｔｈｅ  Ｔｒａｎｓｐｏｒｔ  Ｓｔｒｅａｍ  ｔｈａｔ  ｃａｒｒｉｅｓ  ｔｈｅ  ＶＣＴ，ｗｈｉｌｅ  ｖａｌｕｅｓ  ０ｘ１０００  ｔｏ  ０ｘＦＦＦＦ  ｓｈａｌｌ  ｂｅ  ｕｎｉｑｕｅ  ａｔ  ｔｈｅ  ｒｅｇｉｏｎａｌ  ｌｅｖｅｌ．Ｖａｌｕｅｓ  ｆｏｒ  ｓｏｕｒｃｅ＿ｉｄｓ  ０ｘ１０００  ａｎｄ  ａｂｏｖｅ  ｓｈａｌｌ  ｂｅ  ｉｓｓｕｅｄ  ａｎｄ  ａｄｍｉｎｉｓｔｅｒｅｄ  ｂｙ  ａ  Ｒｅｇｉｓｔｒａｔｉｏｎ  Ａｕｔｈｏｒｉｔｙ  ｄｅｓｉｇｎａｔｅｄ  ｂｙ  ｔｈｅ  ＡＴＳＣ．）
【０２９８】
ｄｅｓｃｒｉｐｔｏｒｓ＿ｌｅｎｇｔｈフィールドは、次のディスクリプタフィールドのバイトの長さを伝送する。（Ｔｈｅ  ｄｅｓｃｒｉｐｔｏｒｓ＿ｌｅｎｇｔｈ  ｉｓ  ａ  １０ｂｉｔ  ｕｎｓｉｇｎｅｄ  ｉｎｔｅｇｅｒ  ｆｉｅｌｄ  ｔｈａｔ  ｓｉｇｎａｌｓ  ｔｈｅ  ｌｅｎｇｔｈ  ｉｎ  ｂｙｔｅｓ  ｏｆ  ｔｈｅ  ｄｅｓｃｒｉｐｔｏｒ  ｆｉｅｌｄ  ｔｏ  ｆｏｌｌｏｗ．Ｉｆ  ｔｈｅｒｅ  ａｒｅ  ｎｏ  ｄｅｓｃｒｉｐｔｏｒｓ  ｐｒｅｓｅｎｔ，ｚｅｒｏ  ｗｏｕｌｄ  ｂｅ  ａｐｐｒｏｐｒｉａｔｅ．）
【０２９９】
ｄｅｓｃｒｉｐｔｏｒ（）フィールドは、テーブル内に位置するディスクリプタループ（ｄｅｓｃｒｉｐｔｏｒ  ｌｏｏｐ）である。ディスクリプタループは、追加的なディスクリプタを含むことができる。本発明の一実施例に係るｐａｎｏｒａｍａ＿ｃｏｍｐｏｓｉｔｉｏｎ＿ｉｎｆｏは、このｄｅｓｃｒｉｐｔｏｒ（）に含ませることができる。
【０３００】
図３３は、本発明の一実施例に係るＣＶＣＴ（ｃａｂｌｅ  ｖｉｒｔｕａｌ  ｃｈａｎｎｅｌ  ｔａｂｌｅ）の構成を示した図である。
【０３０１】
本発明の一実施例に係るｐａｎｏｒａｍａ＿ｃｏｍｐｏｓｉｔｉｏｎ＿ｉｎｆｏは、ＣＶＣＴのチャネルレベルディスクリプタに含ませることができる。
【０３０２】
本発明の一実施例に係るＣＶＣＴ（Ｔｅｒｒｅｓｔｒｉａｌ  Ｖｉｒｔｕａｌ  Ｃｈａｎｎｅｌ  Ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｐｒｉｖａｔｅ＿ｉｎｄｉｃａｔｏｒフィールド、ｓｅｃｔｉｏｎ＿ｌｅｎｇｔｈフィールド、ｔｒａｎｓｐｏｒｔ＿ｓｔｒｅａｍ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｐｒｏｔｏｃｏｐ＿ｖｅｒｓｉｏｎフィールド、ｎｕｍ＿ｃｈａｎｎｅｌｓ＿ｉｎ＿ｓｅｃｔｉｏｎフィールド、ｓｈｏｒｔ＿ｎａｍｅフィールド、ｍａｊｏｒ＿ｃｈａｎｎｅｌ＿ｎｕｍｂｅｒフィールド、ｍｉｎｏｒ＿ｃｈａｎｎｅｌ＿ｎｕｍｂｅｒフィールド、ｍｏｄｕｌａｔｉｏｎ  ｍｏｄｅフィールド、ｃａｒｒｉｅｒ＿ｆｒｅｑｕｅｎｃｙフィールド、ｃｈａｎｎｅｌ＿ＴＳＩＤフィールド、ｐｒｏｇｒａｍ＿ｎｕｍｂｅｒフィールド、ＥＴＭ＿ｌｏｃａｔｉｏｎフィールド、ａｃｃｅｓｓ＿ｃｏｎｔｒｏｌｌｅｄフィールド、ｈｉｄｄｅｎフィールド、ｐａｔｈ＿ｓｅｌｅｃｔフィールド、ｏｕｔ＿ｏｆ＿ｂａｎｄフィールド、ｈｉｄｅ＿ｇｕｉｄｅフィールド、ｓｅｒｖｉｃｅ＿ｔｙｐｅフィールド、ｓｏｕｒｃｅ＿ｉｄフィールド、ｄｅｓｃｒｉｐｔｏｒｓ＿ｌｅｎｇｔｈフィールド及び／又はｄｅｓｃｒｉｐｔｏｒ（）を含むことができる。
【０３０３】
ｔａｂｌｅ＿ｉｄフィールドは、テーブルを識別する。
【０３０４】
ｓｅｃｔｉｏｎ＿ｓｙｎｔａｘ＿ｉｎｄｉｃａｔｏｒフィールドは、ＭＰＥＧ２  ｐｒｉｖａｔｅ＿ｓｅｃｔｉｏｎテーブルのロング形態を示すために１にセットされる１ビットフィールドである。（Ｔｈｉｓ  １ｂｉｔ  ｆｉｅｌｄ  ｓｈａｌｌ  ｂｅ  ｓｅｔ  ｔｏ  「１」  ｔｏ  ａｌｗａｙｓ  ｉｎｄｉｃａｔｅ  ｔｈｅ  「ｌｏｎｇ」  ｆｏｒｍ  ｏｆ  ｔｈｅ  ＭＰＥＧ２  ｐｒｉｖａｔｅ＿ｓｅｃｔｉｏｎ  ｔａｂｌｅ．）
【０３０５】
ｐｒｉｖａｔｅ＿ｉｎｄｉｃａｔｏｒフィールドは、１にセットされる１ビットフィールドである。（Ｔｈｉｓ  １ｂｉｔ  ｆｉｅｌｄ  ｓｈａｌｌ  ｂｅ  ｓｅｔ  ｔｏ  「１」．）
【０３０６】
ｓｅｃｔｉｏｎ＿ｌｅｎｇｔｈフィールドは、このフィールドの後に来るテーブルセクションの長さをバイト数で示す。（Ｔｈｉｓ  ｉｓ  ａ  １２ｂｉｔ  ｆｉｅｌｄ，ｔｈｅ  ｆｉｒｓｔ  ｔｗｏ  ｂｉｔｓ  ｏｆ  ｗｈｉｃｈ  ｓｈａｌｌ  ｂｅ  「００」．Ｉｔ  ｓｐｅｃｉｆｉｅｓ  ｔｈｅ  ｎｕｍｂｅｒ  ｏｆ  ｂｙｔｅｓ  ｏｆ  ｔｈｅ  ｓｅｃｔｉｏｎ，ｓｔａｒｔｉｎｇ  ｉｍｍｅｄｉａｔｅｌｙ  ｆｏｌｌｏｗｉｎｇ  ｔｈｅ  ｓｅｃｔｉｏｎ＿ｌｅｎｇｔｈ  ｆｉｅｌｄ  ａｎｄ  ｉｎｃｌｕｄｉｎｇ  ｔｈｅ  ＣＲＣ．Ｔｈｅ  ｓｅｃｔｉｏｎ＿ｌｅｎｇｔｈ  ｓｈａｌｌ  ｎｏｔ  ｅｘｃｅｅｄ  １０２１  ｓｏ  ｔｈａｔ  ｔｈｅ  ｅｎｔｉｒｅ  ｓｅｃｔｉｏｎ  ｈａｓ  ａ  ｍａｘｉｍｕｍ  ｌｅｎｇｔｈ  ｏｆ  １０２４  ｂｙｔｅｓ．）
【０３０７】
ｔｒａｎｓｐｏｒｔ＿ｓｔｒｅａｍ＿ｉｄフィールドは、テーブル内にあるＭＰＥＧ２伝送ストリーム（Ｔｒａｎｓｐｏｒｔ  Ｓｔｒｅｍ：ＴＳ）の識別子を示す。（Ｔｏ  ｄｉｓｔｉｎｇｕｉｓｈ  ｅａｃｈ  ｔｒａｎｓｐｏｒｔ  ｓｔｒｅａｍ  ｗｉｔｈｉｎ  ａ  ｓｉｎｇｌｅ  ｎｅｔｗｏｒｋ（ｔｅｒｒｅｓｔｒｉａｌ，ｃａｂｌｅ  ｏｒ  ｓａｔｅｌｌｉｔｅ）  ｆｒｏｍ  ａｎｏｔｈｅｒ，ＭＰＥＧ２  ｅｓｔａｂｌｉｓｈｅｄ  ｔｈｅ  ｕｓｅ  ｏｆ  ａ  １６ｂｉｔ（ｒａｎｇｉｎｇ  ｆｒｏｍ  ０  ｔｏ  ６５５３５）  ｔｒａｎｓｐｏｒｔ＿ｓｔｒｅａｍ＿ｉｄｅｎｔｉｆｉｅｒ，ｗｈｉｃｈ  ｉｓ  ａｌｓｏ  ｃａｌｌｅｄ  ａ  ＴＳＩＤ．）
【０３０８】
ｖｅｒｓｉｏｎ＿ｎｕｍｂｅｒフィールドは、テーブルのバージョン番号を示す５ビットフィールドである。（Ｔｈｉｓ  ５ｂｉｔ  ｆｉｅｌｄ  ｉｓ  ｔｈｅ  ｖｅｒｓｉｏｎ  ｎｕｍｂｅｒ  ｏｆ  ｔｈｅ  ＰＳＩＰ＿ｓｅｃｔｉｏｎ．Ｔｈｅ  ｖｅｒｓｉｏｎ＿ｎｕｍｂｅｒ  ｓｈａｌｌ  ｂｅ  ｉｎｃｒｅｍｅｎｔｅｄ  ｂｙ  １  ｍｏｄｕｌｏ  ３２  ｗｈｅｎ  ａ  ｃｈａｎｇｅ  ｉｎ  ｔｈｅ  ｉｎｆｏｒｍａｔｉｏｎ  ｃａｒｒｉｅｄ  ｗｉｔｈｉｎ  ｔｈｅ  ＰＳＩＰ＿ｓｅｃｔｉｏｎ  ｏｃｃｕｒｓ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  「０」，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｎｅｘｔ  ａｐｐｌｉｃａｂｌｅ  ＰＳＩＰ＿ｓｅｃｔｉｏｎ  ｗｉｔｈ  ｔｈｅ  ｓａｍｅ  ｔａｂｌｅ＿ｉｄ，ｔａｂｌｅ＿ｉｄ＿ｅｘｔｅｎｓｉｏｎ，ａｎｄ  ｓｅｃｔｉｏｎ＿ｎｕｍｂｅｒ．）
【０３０９】
ｃｕｒｒｅｎｔ＿ｎｅｘｔ＿ｉｎｄｉｃａｔｏｒフィールドは、１ビットフィールドであって、このテーブルが現在適用可能であるのか、それとも次に適用可能であるのかを示す。（Ａ  １ｂｉｔ  ｆｉｅｌｄ，ｗｈｉｃｈ  ｗｈｅｎ  ｓｅｔ  ｔｏ  「１」  ｉｎｄｉｃａｔｅｓ  ｔｈａｔ  ｔｈｅ  ＰＳＩＰ＿ｓｅｃｔｉｏｎ  ｓｅｎｔ  ｉｓ  ｃｕｒｒｅｎｔｌｙ  ａｐｐｌｉｃａｂｌｅ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  「１」，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｃｕｒｒｅｎｔｌｙ  ａｐｐｌｉｃａｂｌｅ  ＰＳＩＰ＿ｓｅｃｔｉｏｎ．Ｗｈｅｎ  ｔｈｅ  ｂｉｔ  ｉｓ  ｓｅｔ  ｔｏ  「０」，ｉｔ  ｉｎｄｉｃａｔｅｓ  ｔｈａｔ  ｔｈｅ  ＰＳＩＰ＿ｓｅｃｔｉｏｎ  ｓｅｎｔ  ｉｓ  ｎｏｔ  ｙｅｔ  ａｐｐｌｉｃａｂｌｅ  ａｎｄ  ｓｈａｌｌ  ｂｅ  ｔｈｅ  ｎｅｘｔ  ＰＳＩＰ＿ｓｅｃｔｉｏｎ  ｗｉｔｈ  ｔｈｅ  ｓａｍｅ  ｓｅｃｔｉｏｎ＿ｎｕｍｂｅｒ，ｔａｂｌｅ＿ｉｄ＿ｅｘｔｅｎｓｉｏｎ，ａｎｄ  ｔａｂｌｅ＿ｉｄ  ｔｏ  ｂｅｃｏｍｅ  ｖａｌｉｄ．）
【０３１０】
ｓｅｃｔｉｏｎ＿ｎｕｍｂｅｒフィールドは、セクションの番号を示す。（Ｔｈｉｓ  ８ｂｉｔ  ｆｉｅｌｄ  ｇｉｖｅｓ  ｔｈｅ  ｎｕｍｂｅｒ  ｏｆ  ｔｈｅ  ＰＳＩＰ＿ｓｅｃｔｉｏｎ．Ｔｈｅ  ｓｅｃｔｉｏｎ＿ｎｕｍｂｅｒ  ｏｆ  ｔｈｅ  ｆｉｒｓｔ  ｓｅｃｔｉｏｎ  ｉｎ  ａ  ＰＳＩＰ  ｔａｂｌｅ  ｓｈａｌｌ  ｂｅ  ０ｘ００．Ｔｈｅ  ｓｅｃｔｉｏｎ＿ｎｕｍｂｅｒ  ｓｈａｌｌ  ｂｅ  ｉｎｃｒｅｍｅｎｔｅｄ  ｂｙ  １  ｗｉｔｈ  ｅａｃｈ  ａｄｄｉｔｉｏｎａｌ  ｓｅｃｔｉｏｎ  ｉｎ  ＰＳＩＰ  ｔａｂｌｅ．Ｔｈｅ  ｓｃｏｐｅ  ｏｆ  ｔｈｅ  ｓｅｃｔｉｏｎ＿ｎｕｍｂｅｒ  ｓｈａｌｌ  ｂｅ  ｄｅｆｉｎｅｄ  ｂｙ  ｔｈｅ  ｔａｂｌｅ＿ｉｄ  ａｎｄ  ｔａｂｌｅ＿ｉｄ＿ｅｘｔｅｎｓｉｏｎ．Ｔｈａｔ  ｉｓ，ｆｏｒ  ｅａｃｈ  ＰＳＩＰ  ｔａｂｌｅ  ａｎｄ  ｖａｌｕｅ  ｏｆ  ｔｈｅ  ｔａｂｌｅ＿ｉｄ＿ｅｘｔｅｎｓｉｏｎ  ｆｉｅｌｄ，ｔｈｅｒｅ  ｉｓ  ｔｈｅ  ｐｏｔｅｎｔｉａｌ  ｆｏｒ  ｔｈｅ  ｆｕｌｌ  ｒａｎｇｅ  ｏｆ  ｓｅｃｔｉｏｎ＿ｎｕｍｂｅｒ  ｖａｌｕｅｓ．）
【０３１１】
ｌａｓｔ＿ｓｅｃｔｉｏｎ＿ｎｕｍｂｅｒフィールドは、最後のセクションの番号を識別する。（Ｔｈｉｓ  ８ｂｉｔ  ｆｉｅｌｄ  ｓｐｅｃｉｆｉｅｓ  ｔｈｅ  ｎｕｍｂｅｒ  ｏｆ  ｔｈｅ  ｌａｓｔ  ｓｅｃｔｉｏｎ（ｔｈａｔ  ｉｓ，ｔｈｅ  ｓｅｃｔｉｏｎ  ｗｉｔｈ  ｔｈｅ  ｈｉｇｈｅｓｔ  ｓｅｃｔｉｏｎ＿ｎｕｍｂｅｒ）  ｏｆ  ｔｈｅ  ＰＳＩＰ  ｔａｂｌｅ  ｏｆ  ｗｈｉｃｈ  ｔｈｉｓ  ｓｅｃｔｉｏｎ  ｉｓ  ａ  ｐａｒｔ．Ｉｔｓ  ｓｃｏｐｅ  ｉｓ  ｔｈｅ  ｓａｍｅ  ａｓ  ｆｏｒ  ｔｈｅ  ｓｅｃｔｉｏｎ＿ｎｕｍｂｅｒ  ｆｉｅｌｄ．）
【０３１２】
ｐｒｏｔｏｃｏｐ＿ｖｅｒｓｉｏｎフィールドは、現在のプロトコルで定義されたパラメータと異なるパラメータを伝送する現在のテーブルタイプを後で許容するための機能を有するフィールドである。（Ａｎ  ８ｂｉｔ  ｕｎｓｉｇｎｅｄ  ｉｎｔｅｇｅｒ  ｆｉｅｌｄ  ｗｈｏｓｅ  ｆｕｎｃｔｉｏｎ  ｉｓ  ｔｏ  ａｌｌｏｗ，ｉｎ  ｔｈｅ  ｆｕｔｕｒｅ，ｔｈｉｓ  ｔａｂｌｅ  ｔｙｐｅ  ｔｏ  ｃａｒｒｙ  ｐａｒａｍｅｔｅｒｓ  ｔｈａｔ  ｍａｙ  ｂｅ  ｓｔｒｕｃｔｕｒｅｄ  ｄｉｆｆｅｒｅｎｔｌｙ  ｔｈａｎ  ｔｈｏｓｅ  ｄｅｆｉｎｅｄ  ｉｎ  ｔｈｅ  ｃｕｒｒｅｎｔ  ｐｒｏｔｏｃｏｌ．Ａｔ  ｐｒｅｓｅｎｔ，ｔｈｅ  ｏｎｌｙ  ｖａｌｉｄ  ｖａｌｕｅ  ｆｏｒ  ｐｒｏｔｏｃｏｌ＿ｖｅｒｓｉｏｎ  ｉｓ  ｚｅｒｏ．Ｎｏｎｚｅｒｏ  ｖａｌｕｅｓ  ｏｆ  ｐｒｏｔｏｃｏｌ＿ｖｅｒｓｉｏｎ  ｍａｙ  ｂｅ  ｕｓｅｄ  ｂｙ  ａ  ｆｕｔｕｒｅ  ｖｅｒｓｉｏｎ  ｏｆ  ｔｈｉｓ  ｓｔａｎｄａｒｄ  ｔｏ  ｉｎｄｉｃａｔｅ  ｓｔｒｕｃｔｕｒａｌｌｙ  ｄｉｆｆｅｒｅｎｔ  ｔａｂｌｅｓ．）
【０３１３】
ｎｕｍ＿ｃｈａｎｎｅｌｓ＿ｉｎ＿ｓｅｃｔｉｏｎフィールドは、仮想チャネル解像度の個数を示す。（Ｔｈｅ  ｎｕｍ＿ｃｈａｎｎｅｌｓ＿ｉｎ＿ｓｅｃｔｉｏｎ  ｆｉｅｌｄ  ｉｎ  ＡＴＳＣ  Ｃａｂｌｅ  Ｖｉｒｔｕａｌ  Ｃｈａｎｎｅｌ  ｔａｂｌｅ  ＣＶＣＴ  ｔａｂｌｅ  ｓｅｃｔｉｏｎｓ  ｉｓ  ａｎ  ｅｉｇｈｔｂｉｔ  ｆｉｅｌｄ  ｔｈａｔ  ｉｎｄｉｃａｔｅｓ  ｔｈｅ  ｎｕｍｂｅｒ  ｏｆ  ｖｉｒｔｕａｌ  ｃｈａｎｎｅｌ  ｄｅｆｉｎｉｔｉｏｎｓ  ｔｏ  ｆｏｌｌｏｗ  ｉｎ  ｔｈｅ  ｔａｂｌｅ  ｓｅｃｔｉｏｎ．）
【０３１４】
ｓｈｏｒｔ＿ｎａｍｅフィールドは、仮想チャネルのためのショートネームを示す１１２ビットフィールドである。（Ｔｈｅ  ｓｈｏｒｔ＿ｎａｍｅ  ｆｉｅｌｄ  ｉｓ  ａ  １１２ｂｉｔ  ｆｉｅｌｄ  ｉｎ  ＡＴＳＣ  ＣＶＣＴ  ｔａｂｌｅ  ｓｅｃｔｉｏｎｓ  ｔｈａｔ  ｇｉｖｅｓ  ｔｈｅ  ｓｈｏｒｔ＿ｎａｍｅ  ｆｏｒ  ｔｈｅ  ｖｉｒｔｕａｌ  ｃｈａｎｎｅｌ．Ｅａｃｈ  ｌｅｔｔｅｒ  ｏｆ  ｔｈｅ  ｓｈｏｒｔ＿ｎａｍｅ  ｉｓ  ｆｏｒｍａｔｔｅｄ  ａｓ  ａ  １６ｂｉｔ  Ｕｎｉｃｏｄｅ  ｃｈａｒａｃｔｅｒ，ｗｉｔｈ  ｔｈｅ  ｈｉｇｈ  ｏｒｄｅｒ  ｂｙｔｅ  ｔｒａｎｓｍｉｔｔｅｄ  ｆｉｒｓｔ．Ｓo，ｓｈｏｒｔ＿ｎａｍｅ  ｆｏｒ  ＴＶＣＴ  ａｎｄ  ＣＶＣＴ  ｅｎｔｒｉｅｓ  ｉｓ  ｓｅｖｅｎ  Ｕｎｉｃｏｄｅ  ｃｈａｒａｃｔｅｒｓ，ｗｈｉｃｈ  ｓｈｏｒｔ＿ｎａｍｅ  ｆｏｒ  ＳＶＣＴ  ｅｎｔｒｉｅｓ  ｉｓ  ｅｉｇｈｔ  Ｕｎｉｃｏｄｅ  ｃｈａｒａｃｔｅｒｓ．Ｉｆ  ｔｈｅ  ｄｉｓｐｌａｙ  ｎａｍｅ  ｉｓ  ｌｅｓｓ  ｔｈａｎ  ｔｈｅ  ｎｕｍｂｅｒ  ｏｆ  ｐｅｒｍｉｔｔｅｄ  ｃｈａｒａｃｔｅｒｓ，０／０ｘ００  ｉｓ  ａｐｐｅｎｄｅｄ  ｔｏ  ｔｈｅ  ｅｎｄ  ｕｎｔｉｌ  ｔｈｅ  ａｌｌｏｔｅｄ  ｎｕｍｂｅｒ  ｏｆ  ｂｉｔｓ  ｈａｓ  ｂｅｅｎ  ｒｅａｃｈｅｄ．）
【０３１５】
ｍａｊｏｒ＿ｃｈａｎｎｅｌ＿ｎｕｍｂｅｒフィールドは、仮想チャネルと関連するメジャーチャネルの数を示す。（Ａ  １０ｂｉｔ  ｎｕｍｂｅｒ  ｔｈａｔ  ｒｅｐｒｅｓｅｎｔｓ  ｔｈｅ  「ｍａｊｏｒ」  ｃｈａｎｎｅｌ  ｎｕｍｂｅｒ  ａｓｓｏｃｉａｔｅｄ  ｗｉｔｈ  ｔｈｅ  ｖｉｒｔｕａｌ  ｃｈａｎｎｅｌ  ｂｅｉｎｇ  ｄｅｆｉｎｅｄ  ｉｎ  ｔｈｉｓ  ｉｔｅｒａｔｉｏｎ  ｏｆ  ｔｈｅ  「ｆｏｒ」  ｌｏｏｐ．Ｅａｃｈ  ｖｉｒｔｕａｌ  ｃｈａｎｎｅｌ  ｓｈａｌｌ  ｂｅ  ａｓｓｏｃｉａｔｅｄ  ｗｉｔｈ  ａ  ｍａｊｏｒ  ａｎｄ  ａ  ｍｉｎｏｒ  ｃｈａｎｎｅｌ  ｎｕｍｂｅｒ．Ｔｈｅ  ｍａｊｏｒ  ｃｈａｎｎｅｌ  ｎｕｍｂｅｒ，ａｌｏｎｇ  ｗｉｔｈ  ｔｈｅ  ｍｉｎｏｒ  ｃｈａｎｎｅｌ  ｎｕｍｂｅｒ，ａｃｔ  ａｓ  ｔｈｅ  ｕｓｅｒ’ｓ  ｒｅｆｅｒｅｎｃｅ  ｎｕｍｂｅｒ  ｆｏｒ  ｔｈｅ  ｖｉｒｔｕａｌ  ｃｈａｎｎｅｌ．Ｔｈｅ  ｍａｊｏｒ＿ｃｈａｎｎｅｌ＿ｎｕｍｂｅｒ  ｓｈａｌｌ  ｂｅ  ｂｅｔｗｅｅｎ  １  ａｎｄ  ９９．Ｔｈｅ  ｖａｌｕｅ  ｏｆ  ｍａｊｏｒ＿ｃｈａｎｎｅｌ＿ｎｕｍｂｅｒ  ｓｈａｌｌ  ｂｅ  ｓｅｔ  ｓｕｃｈ  ｔｈａｔ  ｉｎ  ｎｏ  ｃａｓｅ  ｉｓ  ａ  ｍａｊｏｒ＿ｃｈａｎｎｅｌ＿ｎｕｍｂｅｒ／ｍｉｎｏｒ＿ｃｈａｎｎｅｌ＿ｎｕｍｂｅｒ  ｐａｉｒ  ｄｕｐｌｉｃａｔｅｄ  ｗｉｔｈｉｎ  ｔｈｅ  ＴＶＣＴ．）
【０３１６】
ｍｉｎｏｒ＿ｃｈａｎｎｅｌ＿ｎｕｍｂｅｒフィールドは、仮想チャネルと関連するマイナーチャネルの数を示す。（Ａ  １０ｂｉｔ  ｎｕｍｂｅｒ  ｉｎ  ｔｈｅ  ｒａｎｇｅ  ０  ｔｏ  ９９９  ｔｈａｔ  ｒｅｐｒｅｓｅｎｔｓ  ｔｈｅ  「ｍｉｎｏｒ」  ｏｒ  「ｓｕｂ」  ｃｈａｎｎｅｌ  ｎｕｍｂｅｒ．Ｔｈｉｓ  ｆｉｅｌｄ，ｔｏｇｅｔｈｅｒ  ｗｉｔｈ  ｍａｊｏｒ＿ｃｈａｎｎｅｌ＿ｎｕｍｂｅｒ，ｐｅｒｆｏｒｍｓ  ａｓ  ａ  ｔｗｏｐａｒｔ  ｃｈａｎｎｅｌ  ｎｕｍｂｅｒ，ｗｈｅｒｅ  ｍｉｎｏｒ＿ｃｈａｎｎｅｌ＿ｎｕｍｂｅｒ  ｒｅｐｒｅｓｅｎｔｓ  ｔｈｅ  ｓｅｃｏｎｄ  ｏｒ  ｒｉｇｈｔｈａｎｄ  ｐａｒｔ  ｏｆ  ｔｈｅ  ｎｕｍｂｅｒ．Ｗｈｅｎ  ｔｈｅ  ｓｅｒｖｉｃｅ＿ｔｙｐｅ  ｉｓ  ａｎａｌｏｇ  ｔｅｌｅｖｉｓｉｏｎ，ｍｉｎｏｒ＿ｃｈａｎｎｅｌ＿ｎｕｍｂｅｒ  ｓｈａｌｌ  ｂｅ  ｓｅｔ  ｔｏ  ０．）
【０３１７】
ｍｏｄｕｌａｔｉｏｎ  ｍｏｄｅフィールドは、仮想チャネルの伝送キャリアに対する変調方式を示す。（Ｔｈｅ  ｍｏｄｕｌａｔｉｏｎ＿ｍｏｄｅ  ｉｓ  ａｎ  ｅｉｇｈｔｂｉｔ  ｆｉｅｌｄ  ｉｎ  ａ  ｖｉｒｔｕａｌ  ｃｈａｎｎｅｌ  ｅｎｔｒｙ  ｔｅｌｌｓ  ｒｅｃｅｉｖｅｒｓ  ｔｈｅ  ｍｏｄｕｌａｔｉｏｎ  ｕｓｅｄ  ｔｏ  ｔｒａｎｓｍｉｔ  ｉｎｄｉｖｉｄｕａｌ  ｃｈａｎｎｅｌｓ．）
【０３１８】
ｃａｒｒｉｅｒ＿ｆｒｅｑｕｅｎｃｙフィールドは、伝送仮想チャネルによって使用されるキャリア周波数情報を伝送する。（Ｔｈｅ  ｃａｒｒｉｅｒ  ｆｒｅｑｕｅｎｃｙ  ｉｓ  ａ  ３２ｂｉｔ  ｆｉｅｌｄ  ｔｈａｔ  ｔｒａｎｓｍｉｔｓ  ｔｈｅ  ｃａｒｒｉｅｒ  ｆｒｅｑｕｅｎｃｙ  ｕｓｅｄ  ｂｙ  ｔｈｅ  ｔｒａｎｓｐｏｒｔ  ｃａｒｒｙｉｎｇ  ｔｈｅ  ｖｉｒｔｕａｌ  ｃｈａｎｎｅｌ．）
【０３１９】
ｃｈａｎｎｅｌ＿ＴＳＩＤフィールドは、仮想チャネルと関連するＭＰＥＧ２プログラムを伝送する伝送ストリーム（Ｔｒａｎｓｐｏｒｔ  Ｓｔｒｅａｍ：ＴＳ）に対するＭＰＥＧ２伝送ストリームＩＤを示す。（Ｔｈｅ  ｃｈａｎｎｅｌ＿ＴＳＩＤ  ｉｓ  ａ  １６ｂｉｔ  ｕｎｓｉｇｎｅｄ  ｉｎｔｅｇｅｒ  ｆｉｅｌｄ  ｔｈａｔ  ｇｉｖｅｓ  ｔｈｅ  ｔｒａｎｓｐｏｒｔ＿ｓｔｒｅａｍ＿ｉｄ  ｏｆ  ｔｈｅ  ｃｈａｎｎｅｌ  ｔｈａｔ  ｃａｒｒｉｅｓ（ｏｒ  ｆｏｒ  ｉｎａｃｔｉｖｅ  ｃｈａｎｎｅｌｓ，ｗｉｌｌ  ｃａｒｒｙ）  ｔｈｅ  ｖｉｒｔｕａｌ  ｃｈａｎｎｅｌ．）
【０３２０】
ｐｒｏｇｒａｍ＿ｎｕｍｂｅｒフィールドは、ＴＳ内の各プログラムサービス又は仮想チャネルを識別する。（Ｔｈｅ  ｐｒｏｇｒａｍ＿ｎｕｍｂｅｒ  ｉｓ  ａ  １６ｂｉｔ  ｕｎｓｉｇｎｅｄ  ｉｎｔｅｇｅｒ  ｔｈａｔ  ｕｎｉｑｕｅｌｙ  ｉｄｅｎｔｉｆｉｅｓ  ｅａｃｈ  ｐｒｏｇｒａｍ  ｓｅｒｖｉｃｅ（ｏｒ  ｖｉｒｔｕａｌ  ｃｈａｎｎｅｌ）  ｐｒｅｓｅｎｔ  ｉｎ  ａ  ｔｒａｎｓｐｏｒｔ  ｓｔｒｅａｍ．）
【０３２１】
ＥＴＭ＿ｌｏｃａｔｉｏｎフィールドは、チャネル、イベント又はデータイベントのための拡張されたテキストメッセージの存在有無を示す。（Ｔｈｅ  ＥＴＭ＿ｌｏｃａｔｉｏｎ  ｆｉｅｌｄ  ｄｅｎｏｔｅｓ  ｗｈｅｔｈｅｒ  ｔｈｅｒｅ  ｉｓ  ａｎ  ｅｘｔｅｎｄｅｄ  ｔｅｘｔ  ｍｅｓｓａｇｅ  ｆｏｒ  ｔｈｅ  ｃｈａｎｎｅｌ（Ｃｈａｎｎｅｌ  Ｅｘｔｅｎｄｅｄ  Ｔｅｘｔ  ｔａｂｌｅ  ｏｒ  ＣＥＴＴ），ｅｖｅｎｔ（Ｅｖｅｎｔ  Ｅｘｔｅｎｄｅｄ  Ｔｅｘｔ  ｔａｂｌｅ）  ｏｒ  ｄａｔａ  ｅｖｅｎｔ（Ｄａｔａ  Ｅｘｔｅｎｄｅｄ  Ｔｅｘｔ  ｔａｂｌｅ）．）
【０３２２】
ａｃｃｅｓｓ＿ｃｏｎｔｒｏｌｌｅｄフィールドは、該当の仮想チャネルと連関したイベントを制御できるか否かを示す。（Ｗｈｅｎ  ａｃｃｅｓｓ＿ｃｏｎｔｒｏｌｌｅｄ  ｉｓ  ｓｅｔ  ｔｏ  「１」，ｍｅａｎｓ  ｔｈａｔ  ｅｖｅｎｔｓ  ａｓｓｏｃｉａｔｅｄ  ｗｉｔｈ  ｔｈｉｓ  ｖｉｒｔｕａｌ  ｃｈａｎｎｅｌ  ｍａｙ  ｂｅ  ａｃｃｅｓｓ  ｃｏｎｔｒｏｌｌｅｄ．Ｗｈｅｎ  ｓｅｔ  ｔｏ  「０」，ａｃｃｅｓｓ  ｔｏ  ｅｖｅｎｔ  ｉｓ  ｎｏｔ  ｃｏｎｔｒｏｌｌｅｄ．）
【０３２３】
ｈｉｄｄｅｎフィールドは、該当チャネルが仮想チャネル数字のダイレクトエントリ（又はフィールド、属性、個体）によって接近できるか否かを意味する。（Ｗｈｅｎ  ｈｉｄｄｅｎ  ｉｓ  ｓｅｔ  ｔｏ  「１」，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  「０」，ｖｉｒｔｕａｌ  ｃａｎ  ｂｅ  ａｃｃｅｓｓｅｄ  ｂｙ  ｄｉｒｅｃｔ  ｅｎｔｒｙ．）
【０３２４】
ｐａｔｈ＿ｓｅｌｅｃｔフィールドは、仮想チャネルを活性化チャネルの伝送パスと連関させるＣＶＣＴ内のフィールドである。（Ｔｈｅ  ｐａｔｈ＿ｓｅｌｅｃｔ  ｉｓ  ａ  １ｂｉｔ  ｆｉｅｌｄ  ｉｎ  ａ  Ｃａｂｌｅ  Ｖｉｒｔｕａｌ  Ｃｈａｎｎｅｌ  ｔａｂｌｅ（ＣＶＣＴ）  ｅｎｔｒｙ  ｔｈａｔ  ａｓｓｏｃｉａｔｅｓ  ａ  ｖｉｒｔｕａｌ  ｃｈａｎｎｅｌ  ｗｉｔｈ  ａ  ｔｒａｎｓｍｉｓｓｉｏｎ  ｐａｔｈ  ｏｆ  ａｎ  ａｃｔｉｖｅ  ｃｈａｎｎｅｌ  ｏｒ  ｗｈｅｎ  ｔｈｅ  ｃｈａｎｎｅｌ  ｗｉｌｌ  ｂｅ  ａｃｔｉｖｅ．）
【０３２５】
ｏｕｔ＿ｏｆ＿ｂａｎｄフィールドは、仮想チャネルがＯＯＢ（Ｏｕｔ  Ｏｆ  Ｂａｎｄ）物理的伝送チャネルで伝送されるか否かを示す。（Ｔｈｅ  ｏｕｔ＿ｏｆ＿ｂａｎｄ  ｉｓ  ａ  １ｂｉｔ  Ｂｏｏｌｅａｎ  ｆｉｅｌｄ  ｉｎ  ａ  Ｃａｂｌｅ  Ｖｉｒｔｕａｌ  Ｃｈａｎｎｅｌ  ｔａｂｌｅ  ｅｎｔｒｙ  ｔｈａｔ  ｗｈｅｎ  ｓｅｔ  ｔｏ  「１」  ｉｓ  ｃａｒｒｉｅｄ  ｏｎ  ｔｈｅ  ｏｕｔｏｆｂａｎｄ  ｐｈｙｓｉｃａｌ  ｔｒａｎｓｍｉｓｓｉｏｎ  ｃｈａｎｎｅｌ．Ｗｈｅｎ  ｃｌｅａｒ  ｏｒ  「０」，ｔｈｅ  ｖｉｒｔｕａｌ  ｃｈａｎｎｅｌ  ｉｓ  ｃａｒｒｉｅｄ  ｗｉｔｈｉｎ  ａ  ｔｕｎｅｄ  ｍｕｌｔｉｐｌｅｘ．Ｗｈｅｎ  ｔｈｅ  ｃｈａｎｎｅｌ  ｉｓ  ｉｎａｃｔｉｖｅ，ｏｕｔ＿ｏｆ＿ｂａｎｄ  ｒｅｆｌｅｃｔｓ  ｔｈｅ  ｃｈａｎｎｅｌ  ｔｈａｔ  ｗｉｌｌ  ｂｅ  ｖａｌｉｄ  ｗｈｅｎ  ｔｈｅ  ｃｈａｎｎｅｌ  ｉｓ  ａｇａｉｎ  ａｃｔｉｖｅ．）
【０３２６】
ｈｉｄｅ＿ｇｕｉｄｅフィールドは、該当チャネルが仮想チャネル数字のダイレクトエントリ（又はフィールド、属性、個体）によって接近できるか否かを意味する。（Ｗｈｅｎ  ｈｉｄｅ＿ｇｕｉｄｅ  ｉｓ  ｓｅｔ  ｔｏ  「１」，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  「０」，ｖｉｒｔｕａｌ  ｃａｎ  ｂｅ  ａｃｃｅｓｓｅｄ  ｂｙ  ｄｉｒｅｃｔ  ｅｎｔｒｙ．）
【０３２７】
ｓｅｒｖｉｃｅ＿ｔｙｐｅフィールドは、仮想チャネルでセットされたサービスタイプを識別する。（Ｔｈｅ  ｓｅｒｖｉｃｅ＿ｔｙｐｅ  ｉｓ  ａ  ６ｂｉｔ  ｅｎｕｍｅｒａｔｅｄ  ｆｉｅｌｄ  ｔｈａｔ  ｉｄｅｎｔｉｆｉｅｓ  ｔｈｅ  ｔｙｐｅ  ｏｆ  ｓｅｒｖｉｃｅ  ｓｅｔ  ｉｎ  ｔｈｅ  ｖｉｒｔｕａｌ  ｃｈａｎｎｅｌ．）本発明の一実施例に係るパノラマサービスのｓｅｒｖｉｃｅ＿ｔｙｐｅは、パラメータ化サービス（０ｘ０７）、拡張されたパラメータ化サービス（０ｘ０９）及び／又は新しいＤＴＶサービスパノラマサービス（０ｘ１０）と指定することができる。上述したサービスの名称及び値は一実施例であり、他の名称又は値に設定することもできる。
【０３２８】
ｓｏｕｒｃｅ＿ｉｄフィールドは、１６ビットの符号が定められていない整数であって、仮想チャネルと連関したプログラミングソースを示す。（Ａ  １６ｂｉｔ  ｕｎｓｉｇｎｅｄ  ｉｎｔｅｇｅｒ  ｎｕｍｂｅｒ  ｔｈａｔ  ｉｄｅｎｔｉｆｉｅｓ  ｔｈｅ  ｐｒｏｇｒａｍｍｉｎｇ  ｓｏｕｒｃｅ  ａｓｓｏｃｉａｔｅｄ  ｗｉｔｈ  ｔｈｅ  ｖｉｒｔｕａｌ  ｃｈａｎｎｅｌ．Ｉｎ  ｔｈｉｓ  ｃｏｎｔｅｘｔ，ａ  ｓｏｕｒｃｅ  ｉｓ  ｏｎｅ  ｓｐｅｃｉｆｉｃ  ｓｏｕｒｃｅ  ｏｆ  ｖｉｄｅｏ，ｔｅｘｔ，ｄａｔａ，ｏｒ  ａｕｄｉｏ  ｐｒｏｇｒａｍｍｉｎｇ．Ｓｏｕｒｃｅ  ＩＤ  ｖａｌｕｅ  ｚｅｒｏ  ｉｓ  ｒｅｓｅｒｖｅｄ．Ｓｏｕｒｃｅ  ＩＤ  ｖａｌｕｅｓ  ｉｎ  ｔｈｅ  ｒａｎｇｅ  ０ｘ０００１  ｔｏ  ０ｘ０ＦＦＦ  ｓｈａｌｌ  ｂｅ  ｕｎｉｑｕｅ  ｗｉｔｈｉｎ  ｔｈｅ  Ｔｒａｎｓｐｏｒｔ  Ｓｔｒｅａｍ  ｔｈａｔ  ｃａｒｒｉｅｓ  ｔｈｅ  ＶＣＴ，ｗｈｉｌｅ  ｖａｌｕｅｓ  ０ｘ１０００  ｔｏ  ０ｘＦＦＦＦ  ｓｈａｌｌ  ｂｅ  ｕｎｉｑｕｅ  ａｔ  ｔｈｅ  ｒｅｇｉｏｎａｌ  ｌｅｖｅｌ．Ｖａｌｕｅｓ  ｆｏｒ  ｓｏｕｒｃｅ＿ｉｄｓ  ０ｘ１０００  ａｎｄ  ａｂｏｖｅ  ｓｈａｌｌ  ｂｅ  ｉｓｓｕｅｄ  ａｎｄ  ａｄｍｉｎｉｓｔｅｒｅｄ  ｂｙ  ａ  Ｒｅｇｉｓｔｒａｔｉｏｎ  Ａｕｔｈｏｒｉｔｙ  ｄｅｓｉｇｎａｔｅｄ  ｂｙ  ｔｈｅ  ＡＴＳＣ．）
【０３２９】
ｄｅｓｃｒｉｐｔｏｒｓ＿ｌｅｎｇｔｈフィールドは、次のディスクリプタフィールドのバイトの長さを伝送する。（Ｔｈｅ  ｄｅｓｃｒｉｐｔｏｒｓ＿ｌｅｎｇｔｈ  ｉｓ  ａ  １０ｂｉｔ  ｕｎｓｉｇｎｅｄ  ｉｎｔｅｇｅｒ  ｆｉｅｌｄ  ｔｈａｔ  ｓｉｇｎａｌｓ  ｔｈｅ  ｌｅｎｇｔｈ  ｉｎ  ｂｙｔｅｓ  ｏｆ  ｔｈｅ  ｄｅｓｃｒｉｐｔｏｒ  ｆｉｅｌｄ  ｔｏ  ｆｏｌｌｏｗ．Ｉｆ  ｔｈｅｒｅ  ａｒｅ  ｎｏ  ｄｅｓｃｒｉｐｔｏｒｓ  ｐｒｅｓｅｎｔ，ｚｅｒｏ  ｗｏｕｌｄ  ｂｅ  ａｐｐｒｏｐｒｉａｔｅ．）
【０３３０】
ｄｅｓｃｒｉｐｔｏｒ（）フィールドは、テーブル内に位置するディスクリプタループである。ディスクリプタループは追加的なディスクリプタを含むことができる。本発明の一実施例に係るｐａｎｏｒａｍａ＿ｃｏｍｐｏｓｉｔｉｏｎ＿ｉｎｆｏは、このｄｅｓｃｒｉｐｔｏｒ（）に含ませることができる。
【０３３１】
図３４は、本発明の一実施例に係るパノラマサービスのためのｓｅｒｖｉｃｅ＿ｔｙｐｅの構成を示した図である。
【０３３２】
本発明の一実施例に係るパノラマサービスのｓｅｒｖｉｃｅ＿ｔｙｐｅは、パラメータ化サービス（０ｘ０７）、拡張されたパラメータ化サービス（０ｘ０９）及び／又は新しいＤＴＶサービスパノラマサービス（０ｘ１０）と指定することができる。上述したサービスの名称及び値は一実施例であり、他の名称又は値に設定することもできる。
【０３３３】
パラメータ化サービス（０ｘ０７）を通じて本発明の一実施例に係るパノラマサービスをシグナルする場合、パノラマサービスに対する情報は、コンポーネントリストディスクリプタ（ｃｏｍｐｏｎｅｎｔ  ｌｉｓｔ  ｄｅｓｃｒｉｐｔｏｒ）及び／又はｐａｎｏｒａｍａ＿ｃｏｍｐｏｓｉｔｉｏｎ＿ｉｎｆｏ（）を通じて敍述することができる。
【０３３４】
拡張されたパラメータ化サービス（０ｘ０９）を通じて本発明の一実施例に係るパノラマサービスをシグナルする場合、パノラマサービスに対する情報は、コンポーネントリストディスクリプタ、パラメータ化サービスディスクリプタ及び／又はｐａｎｏｒａｍａ＿ｃｏｍｐｏｓｉｔｉｏｎ＿ｉｎｆｏ（）を通じて敍述することができる。
【０３３５】
新しいＤＴＶサービスパノラマサービス（０ｘ１０）を通じて本発明の一実施例に係るパノラマサービスをシグナルする場合、パノラマサービスに対する情報はｐａｎｏｒａｍａ＿ｃｏｍｐｏｓｉｔｉｏｎ＿ｉｎｆｏ（）を通じて敍述することができる。
【０３３６】
図３５は、本発明の一実施例に係るｃｏｍｐｏｎｅｎｔ＿ｌｉｓｔ＿ｄｅｓｃｒｉｐｔｏｒ（）の構成を示した図である。
【０３３７】
本発明の一実施例によれば、パノラマ映像に対するストリームはｃｏｍｐｏｎｅｎｔ＿ｌｉｓｔ＿ｄｅｓｃｒｉｐｔｏｒ（）を用いてシグナルすることができ、本発明の一実施例に係るｃｏｍｐｏｎｅｎｔ＿ｌｉｓｔ＿ｄｅｓｃｒｉｐｔｏｒ（）は、ＶＣＴ（ＴＶＣＴ、ＣＶＣＴを含む）のチャネルレベルに位置することができる。本発明の一実施例によれば、サービス内に含まれた各映像に対するエレメンタリストリーム（Ｅｌｅｍｅｎｔａｒｙ  Ｓｔｒｅａｍ）ごとにｓｔｒｅａｍ＿ｉｎｆｏ＿ｄｅｔａｉｌｓ（）を含ませることができ、ｓｔｒｅａｍ＿ｉｎｆｏ＿ｄｅｔａｉｌｓ（）は、パノラマ映像に対するストリームに対する情報をシグナルすることができる。本発明の一実施例に係るパノラマサービスの場合、ｓｔｒｅａｍ＿ｔｙｐｅがＭＰＥＧ２、ＡＶＣ、ＨＥＶＣなどである場合にも、本発明の一実施例に係るｓｔｒｅａｍ＿ｉｎｆｏ＿ｄｅｔａｉｌｓ（）を用いて各映像に対する情報をシグナルすることができる。
【０３３８】
本発明の一実施例に係るｃｏｍｐｏｎｅｎｔ＿ｌｉｓｔ＿ｄｅｓｃｒｉｐｔｏｒ（）は、ｄｅｓｃｒｉｐｔｏｒ＿ｔａｇフィールド、ｄｅｓｃｒｉｐｔｏｒ＿ｌｅｎｇｔｈフィールド、ａｌｔｅｒｎａｔｅフィールド、ｃｏｍｐｏｎｅｎｔ＿ｃｏｕｎｔフィールド、ｓｔｒｅａｍ＿ｔｙｐｅフィールド、ｆｏｒｍａｔ＿ｉｄｅｎｔｉｆｉｅｒフィールド、ｌｅｎｇｔｈ＿ｏｆ＿ｄｅｔａｉｌｓフィールド及び／又はｓｔｒｅａｍ＿ｉｎｆｏ＿ｄｅｔａｉｌｓ（）を含むことができる。
【０３３９】
ｄｅｓｃｒｉｐｔｏｒ＿ｔａｇフィールドは、このディスクリプタがｃｏｍｐｏｎｅｎｔ＿ｌｉｓｔ＿ｄｅｓｃｒｉｐｔｏｒ（）であることを識別する識別子を示すことができる。
【０３４０】
ｄｅｓｃｒｉｐｔｏｒ＿ｌｅｎｇｔｈフィールドは、このディスクリプタの長さを示すことができる。
【０３４１】
ａｌｔｅｒｎａｔｅフィールドは、ｃｏｍｐｏｎｅｎｔ＿ｌｉｓｔ＿ｄｅｓｃｒｉｐｔｏｒの該当インスタンス（ｉｎｓｔａｎｃｅ）が最優先の情報であるか否かを示すことができる。（Ａ  ｆｌａｇ  ｔｈａｔ  ｉｎｄｉｃａｔｅｓ，ｗｈｅｎ  ｓｅｔ  ｔｏ  「１」，ｔｈａｔ  ｔｈｉｓ  ｉｎｓｔａｎｃｅ  ｏｆ  ｔｈｅ  ｃｏｍｐｏｎｅｎｔ＿ｌｉｓｔ＿ｄｅｓｃｒｉｐｔｏｒ（）ｉｓ  ａ  ｓｅｃｏｎｄ，「ａｌｔｅｒｎａｔｅ」  ｄｅｓｃｒｉｐｔｉｏｎ  ｏｆ  ｓｔｒｅａｍｓ  ａｓｓｏｃｉａｔｅｄ  ｗｉｔｈ  ｔｈｅ  ｖｉｒｔｕａｌ  ｃｈａｎｎｅｌ．Ｗｈｅｎ  ｔｈｅ  ｆｌａｇ  ｉｓ  ｓｅｔ  ｔｏ  「０」，ｔｈｅ  ｓｅｔ  ｏｆ  ｓｔｒｅａｍ  ｔｙｐｅｓ  ｉｎ  ｔｈｅ  ｉｎｓｔａｎｃｅ  ｏｆ  ｔｈｅ  ｄｅｓｃｒｉｐｔｏｒ  ｉｓ  ｔｈｅ  「ｐｒｉｍａｒｙ」  ｏｒ  「ｐｒｅｆｅｒｒｅｄ」  ｓｅｔ．Ｉｆ  ｏｎｌｙ  ｏｎｅ  ｃｏｍｐｏｎｅｎｔ＿ｌｉｓｔ＿ｄｅｓｃｒｉｐｔｏｒ（）  ａｐｐｅａｒｓ  ｉｎ  ｔｈｅ  ｄｅｓｃｒｉｐｔｏｒ  ｌｏｏｐ，ｔｈｅ  ｖａｌｕｅ  ｏｆ  ｔｈｅ  ａｌｔｅｒｎａｔｅ  ｆｌａｇ  ｓｈａｌｌ  ｂｅ  ｓｅｔ  ｔｏ  「０」．）
【０３４２】
ｃｏｍｐｏｎｅｎｔ＿ｃｏｕｎｔフィールドは、該当チャネル（サービス）に含まれたコンポーネント（ストリーム）の個数を示すことができる。（Ｔｈｉｓ  ７ｂｉｔ  ｕｎｓｉｇｎｅｄ  ｉｎｔｅｇｅｒ  ｓｈａｌｌ  ｓｐｅｃｉｆｙ  ｔｈｅ  ｎｕｍｂｅｒ  ｏｆ  ｃｏｍｐｏｎｅｎｔｓ  ｓｐｅｃｉｆｉｅｄ  ｉｎ  ｔｈｅ  「ｆｏｒ」  ｌｏｏｐ  ｔｏ  ｆｏｌｌｏｗ．Ｔｈｅ  ｖａｌｕｅ  ｓｈａｌｌ  ｂｅ  ｉｎ  ｔｈｅ  ｒａｎｇｅ  ｏｆ  １  ｔｏ  ３６．）
【０３４３】
ｓｔｒｅａｍ＿ｔｙｐｅフィールドは、該当コンポーネントのストリームタイプを示すことができる。（Ｔｈｉｓ  ８ｂｉｔ  ｕｎｓｉｇｎｅｄ  ｉｎｔｅｇｅｒ  ｆｉｅｌｄ  ｓｈａｌｌ  ｉｎｄｉｃａｔｅ  ｔｈｅ  ｓｔｒｅａｍ＿ｔｙｐｅ  ａｓｓｏｃｉａｔｅｄ  ｗｉｔｈ  ｔｈｅ  ｃｏｍｐｏｎｅｎｔ  ｄｅｓｃｒｉｂｅｄ  ｉｎ  ｔｈｉｓ  ｉｔｅｒａｔｉｏｎ  ｏｆ  ｔｈｅ  「ｆｏｒ」  ｌｏｏｐ．Ｓｔｒｅａｍ  ｔｙｐｅｓ  ｉｎ  ｔｈｅ  ｒａｎｇｅ  ０ｘＣ４  ｔｏ  ０ｘＦＦ  ｉｄｅｎｔｉｆｙ  ｓｔｒｅａｍ  ｔｙｐｅｓ  ｄｅｆｉｎｅｄ  ｐｒｉｖａｔｅｌｙ（ｎｏｔ  ｄｅｓｃｒｉｂｅｄ  ｂｙ  ＡＴＳＣ  Ｓｔａｎｄａｒｄｓ）．）
【０３４４】
ｆｏｒｍａｔ＿ｉｄｅｎｔｉｆｉｅｒフィールドは、ｓｔｒｅａｍ＿ｔｙｐｅ値を提供するエンティティ（ｅｎｔｉｔｙ）を識別することができる。（Ｔｈｉｓ  ３２ｂｉｔ  ｕｎｓｉｇｎｅｄ  ｉｎｔｅｇｅｒ  ｓｈａｌｌ  ｃｏｒｒｅｓｐｏｎｄ  ｔｏ  ｔｈｅ  ｆｏｒｍａｔ＿ｉｄｅｎｔｉｆｉｅｒ  ｉｎ  ｔｈｅ  ＭＰＥＧ２  Ｒｅｇｉｓｔｒａｔｉｏｎ  Ｄｅｓｃｒｉｐｔｏｒ  ｄｅｆｉｎｅｄ  ｉｎ  ＩＳＯ／ＩＥＣ  １３８１８１［７］  Ｓｅｃｔｉｏｎ  ２．６．９  ａｎｄ  ｓｈａｌｌ  ｉｄｅｎｔｉｆｙ  ｔｈｅ  ｅｎｔｉｔｙ  ｐｒｏｖｉｄｉｎｇ  ｔｈｅ  ｓｔｒｅａｍ＿ｔｙｐｅ  ｖａｌｕｅ．Ｔｈｅ  ｖａｌｕｅ  ｏｆ  ｆｏｒｍａｔ＿ｉｄｅｎｔｉｆｉｅｒ  ｓｈａｌｌ  ｂｅ  ０ｘ４７４１  ３９３４（「ＧＡ９４」  ｉｎ  ＡＳＣＩＩ）  ｕｎｌｅｓｓ  ｔｈｅ  ａｐｐｌｉｃａｂｌｅ  ＡＴＳＣ  ｓｔａｎｄａｒｄ  ｓｐｅｃｉｆｉｅｓ  ａ  ｄｉｆｆｅｒｅｎｔ  ｖａｌｕｅ，ｉｎ  ｗｈｉｃｈ  ｃａｓｅ  ｔｈａｔ  ｖａｌｕｅ  ｓｈａｌｌ  ｂｅ  ｕｓｅｄ．Ｔｈｅ  ｓｔｒｅａｍ＿ｔｙｐｅ  ｖａｌｕｅｓ  ｄｅｆｉｎｅｄ  ｉｎ  ＩＳＯ／ＩＥＣ  １３８１８１［７］  ａｎｄ  ｗｈｏｓｅ  ｕｓｅ  ｉｓ  ｎｏｔ  ｓｔａｎｄａｒｄｉｚｅｄ  ｂｙ  ＡＴＳＣ  Ｓｔａｎｄａｒｄｓ  ｓｈａｌｌ  ｕｓｅ  ｖａｌｕｅ  ０ｘ００００００００  ｆｏｒ  ｆｏｒｍａｔ＿ｉｄｅｎｔｉｆｉｅｒ．）
【０３４５】
ｌｅｎｇｔｈ＿ｏｆ＿ｄｅｔａｉｌｓフィールドは、後に来るフィールドであるｓｔｒｅａｍ＿ｉｎｆｏ＿ｄｅｔａｉｌｓ（）の長さを示すことができる。（Ｔｈｉｓ  ８ｂｉｔ  ｕｎｓｉｇｎｅｄ  ｉｎｔｅｇｅｒ  ｓｈａｌｌ  ｓｐｅｃｉｆｙ  ｔｈｅ  ｌｅｎｇｔｈ，ｉｎ  ｂｙｔｅｓ，ｏｆ  ｔｈｅ  ｄｅｆｉｎｅｄ  ｌｅｎｇｔｈ  ｏｆ  ｔｈｅ  ｓｔｒｅａｍ＿ｉｎｆｏ＿ｄｅｔａｉｌｓ（）  ｆｉｅｌｄ  ｔｏ  ｆｏｌｌｏｗ．Ｔｈｅ  ｖａｌｕｅ  ｏｆ  ｌｅｎｇｔｈ＿ｏｆ＿ｄｅｔａｉｌｓ  ｓｈａｌｌ  ｂｅ  ｓｅｔ  ｔｏ  ｔｈｅ  ｌｅｎｇｔｈ  ｏｆ  ｔｈｅ  ｓｔｒｅａｍ＿ｉｎｆｏ＿ｄｅｔａｉｌｓ（）  ｆｉｅｌｄ  ｔｈａｔ  ｈａｓ  ｂｅｅｎ  ｄｅｆｉｎｅｄ  ｆｏｒ  ｔｈｅ  ａｓｓｏｃｉａｔｅｄ  ｓｔｒｅａｍ＿ｔｙｐｅ  ｖａｌｕｅ．Ｔｈｅ  ｖａｌｕｅ  ｓｈａｌｌ  ｂｅ  ｉｎ  ｔｈｅ  ｒａｎｇｅ  ｏｆ  ０  ｔｏ  ２４６  ｉｎｃｌｕｓｉｖｅ．）
【０３４６】
ｓｔｒｅａｍ＿ｉｎｆｏ＿ｄｅｔａｉｌｓ（）フィールドは、該当のコンポーネントに対する詳細情報を示すことができる。（Ｔｈｉｓ  ｆｉｅｌｄ  ｓｈａｌｌ  ｐｒｏｖｉｄｅ  ｆｕｒｔｈｅｒ  ｉｎｆｏｒｍａｔｉｏｎ  ｐｅｒｔａｉｎｉｎｇ  ｔｏ  ｔｈｅ  ｃｏｍｐｏｎｅｎｔ  ｉｄｅｎｔｉｆｉｅｄ  ｂｙ  ｔｈｅ  ｖａｌｕｅ  ｉｎ  ｔｈｅ  ｐｒｅｃｅｄｉｎｇ  ｓｔｒｅａｍ＿ｔｙｐｅ  ｆｉｅｌｄ．Ｔｈｅ  ｍｅａｎｉｎｇ  ａｎｄ  ｓｔｒｕｃｔｕｒｅ  ｏｆ  ｔｈｅ  ｂｉｔｓ  ｃｏｎｔａｉｎｅｄ  ｉｎ  ｓｔｒｅａｍ＿ｉｎｆｏ＿ｄｅｔａｉｌｓ（）  ｓｈａｌｌ  ｂｅ  ａｓ  ｓｐｅｃｉｆｉｅｄ  ｉｎ  ｔｈｅ  ｓｔａｎｄａｒｄ  ｄｅｆｉｎｉｎｇ  ｔｈｅ  ｍｅａｎｉｎｇ  ｏｆ  ｔｈｅ  ｖａｌｕｅ  ｉｎ  ｔｈｅ  ｓｔｒｅａｍ＿ｔｙｐｅ  ｆｉｅｌｄ  ｗｈｅｎ  ｕｓｅｄ  ｉｎ  ａｎ  ＡＴＳＣ  ｔｒａｎｓｐｏｒｔ  ｓｔｒｅａｍ．Ｉｆ  ＡＴＳＣ  ｓｔａｎｄａｒｄｓ  ｄｅｆｉｎｅ  ａ  ｓｔｒｅａｍ＿ｉｎｆｏ＿ｄｅｔａｉｌｓ（）  ｓｔｒｕｃｔｕｒｅ  ｆｏｒ  ａ  ｇｉｖｅｎ  ｖａｌｕｅ  ｏｆ  ｓｔｒｅａｍ＿ｔｙｐｅ，ｔｈｅ  ＡＴＳＣ  ｄｅｆｉｎｉｔｉｏｎ  ｓｈａｌｌ  ｔａｋｅ  ｐｒｅｃｅｄｅｎｃｅ  ｏｖｅｒ  ａｎｙ  ｄｅｆｉｎｉｔｉｏｎ  ｏｒｉｇｉｎａｔｉｎｇ  ｆｒｏｍ  ａｎｙ  ｏｔｈｅｒ  ｓｔａｎｄａｒｄｓ  ｄｅｖｅｌｏｐｉｎｇ  ｏｒｇａｎｉｚａｔｉｏｎ．）これに対しては後で詳細に説明する。
【０３４７】
図３６は、本発明の一実施例に係るｓｔｒｅａｍ＿ｔｙｐｅがベースストリーム（ｂａｓｅ  ｓｔｒｅａｍ）を示す場合、ｓｔｒｅａｍ＿ｉｎｆｏ＿ｄｅｔａｉｌｓ（）の構成を示した図である。
【０３４８】
本発明の一実施例によれば、全体のパノラマ映像は、多数のＥＳ（Ｅｌｅｍｅｎｔａｔｙ  Ｓｔｒｅａｍ）に分離して伝送することができる。この図面は、この場合に多数のＥＳのうちベースストリームに対するｓｔｒｅａｍ＿ｉｎｆｏ＿ｄｅｔａｉｌｓ（）の構成を示した図である。
【０３４９】
本発明の一実施例に係るｓｔｒｅａｍ＿ｉｎｆｏ＿ｄｅｔａｉｌｓ（）は、ｐａｎｏｒａｍａ＿ｂａｓｅ＿ｖｉｅｗ＿ｐｒｏｆｉｌｅフィールド、ｐａｎｏｒａｍａ＿ｂａｓｅ＿ｖｉｅｗ＿ｔｉｅｒフィールド及び／又はｐａｎｏｒａｍａ＿ｂａｓｅ＿ｖｉｅｗ＿ｌｅｖｅｌフィールドを含むことができる。
【０３５０】
ｐａｎｏｒａｍａ＿ｂａｓｅ＿ｖｉｅｗ＿ｐｒｏｆｉｌｅフィールド、ｐａｎｏｒａｍａ＿ｂａｓｅ＿ｖｉｅｗ＿ｔｉｅｒフィールド、及びｐａｎｏｒａｍａ＿ｂａｓｅ＿ｖｉｅｗ＿ｌｅｖｅｌフィールドは、ベースストリームに該当する映像のプロファイル、ティア及びレベル情報を示すことができる。
【０３５１】
図３７は、本発明の一実施例に係るｓｔｒｅａｍ＿ｔｙｐｅがベースストリームでないストリームを示す場合、ｓｔｒｅａｍ＿ｉｎｆｏ＿ｄｅｔａｉｌｓ（）の構成を示した図である。
【０３５２】
本発明の一実施例によれば、全体のパノラマ映像は多数のＥＳ（Ｅｌｅｍｅｎｔａｔｙ  Ｓｔｒｅａｍ）に分離して伝送することができる。この図面は、この場合に多数のＥＳのうちベースストリームでないストリームに対するｓｔｒｅａｍ＿ｉｎｆｏ＿ｄｅｔａｉｌｓ（）の構成を示した図である。
【０３５３】
本発明の一実施例に係るｓｔｒｅａｍ＿ｉｎｆｏ＿ｄｅｔａｉｌｓ（）は、ｐａｎｏｒａｍａ＿ｖｉｅｗ＿ｐｒｏｆｉｌｅフィールド、ｐａｎｏｒａｍａ＿ｖｉｅｗ＿ｔｉｅｒフィールド及び／又はｐａｎｏｒａｍａ＿ｖｉｅｗ＿ｌｅｖｅｌフィールドを含むことができる。
【０３５４】
ｐａｎｏｒａｍａ＿ｖｉｅｗ＿ｐｒｏｆｉｌｅフィールド、ｐａｎｏｒａｍａ＿ｖｉｅｗ＿ｔｉｅｒフィールド、ｐａｎｏｒａｍａ＿ｖｉｅｗ＿ｌｅｖｅｌフィールドは、ベースストリームでないストリームに該当する映像のプロファイル、ティア及びレベル情報を示すことができる。
【０３５５】
本発明の他の一実施例によれば、全体のパノラマ映像は一つのＥＳに伝送することができる。この場合、上述したｃｏｍｐｏｎｅｎｔ＿ｌｉｓｔ＿ｄｅｓｃｒｉｐｔｏｒ（）のｃｏｍｐｏｎｅｎｔ＿ｃｏｕｎｔフィールドは１を示すことができ、これによって、一つのｓｔｒｅａｍ＿ｉｎｆｏ＿ｄｅｔａｉｌｓ（）のみを使用することができる。この場合、この図面のｓｔｒｅａｍ＿ｉｎｆｏ＿ｄｅｔａｉｌｓ（）において、全体のパノラマ映像に対するＥＳをシグナルすることができ、このとき、ｐａｎｏｒａｍａ＿ｖｉｅｗ＿ｐｒｏｆｉｌｅフィールド、ｐａｎｏｒａｍａ＿ｖｉｅｗ＿ｔｉｅｒフィールド及び／又はｐａｎｏｒａｍａ＿ｖｉｅｗ＿ｌｅｖｅｌフィールドが示す情報は、全体のパノラマのプロファイル、ティア及び／又はレベル情報と同一であり得る。
【０３５６】
図３８は、本発明の一実施例に係るシナリオ１のうち、メイン受信機で全てのストリームをデコードし、サブ受信機にデコードされたストリームを伝達する場合の受信機の動作を示した図である。
【０３５７】
本発明の一実施例に係るシナリオ１は、全体のパノラマ映像を構成する多数のストリームを受信端に伝送することができる。
【０３５８】
本発明の一実施例に係る受信機は、逆多重化部（ｄｅｍｕｌｔｉｐｌｅｘｅｒ）３８０１０、第１デコーダ（ｄｅｃｏｄｅｒ  １）３８０２０、第２デコーダ（ｄｅｃｏｄｅｒ  ２）３８０３０、シグナリング情報処理部３８０４０、バウンダリフィルタリング部（ｂｏｕｎｄａｒｙ  ｆｉｌｔｅｒｉｎｇ）３８０５０及び／又はクロッピング部（ｃｒｏｐｐｉｎｇ）３８０６０を含むことができる。
【０３５９】
逆多重化部は、全体のパノラマ映像を構成する多数のストリーム及び／又はシグナリング情報を全て受信し、それぞれのストリーム及び／又はシグナリング情報を抽出し、各デコーダ及び／又はシグナリング情報処理器３８０４０に抽出されたストリーム及び／又はシグナリング情報を伝達することができる。
【０３６０】
デコーダ（第１デコーダ及び／又は第２デコーダ）は、逆多重化部から伝達された各ストリームをデコードし、分割された映像（ｖｉｄｅｏ  １及び／又はｖｉｄｅｏ  ２）を生成することができる。このとき、デコーダは、ｐａｎｏｒａｍａ＿ｃｏｍｐｏｓｉｔｉｏｎ＿ｉｎｆｏｒｍａｔｉｏｎ及び／又はシグナリング情報処理器で処理されたシグナリング情報を用いて各ストリームをデコードすることができる。
【０３６１】
シグナリング情報処理部は、逆多重化部から抽出されたシグナリング情報を処理してデコーダに伝達することができる。ここで、シグナリング情報は、上述したＰＭＴ、ＶＣＴ、ＥＩＴ及び／又はＳＤＴを含むことができる。
【０３６２】
バウンダリフィルタリング部は、全体のパノラマ映像を構成する分離された各映像をｐａｎｏｒａｍａ＿ｆｉｌｔｅｒｉｎｇ＿ｍｅｔａｄａｔａを用いて全体のパノラマ映像に復元することができる。
【０３６３】
クロッピング部は、バウンダリフィルタリング部によって復元された全体のパノラマ映像をｅｘｔｒａｃｔｉｏｎ＿ｉｎｆｏ＿ｍｅｔａｄａｔａを用いてクロップした後、クロップされた各映像をＵＰｎＰ、ＨＤＭＩ及び／又はＩＰを通じて他の受信機に伝達することができる。
【０３６４】
本発明の一実施例によれば、全体のパノラマ映像を構成する多数のストリームを受信してデコードする受信機はメイン受信機に該当し、メイン受信機からクロップされた各映像を受け取る受信機はサブ受信機に該当し得る。
【０３６５】
本発明の一実施例に係る受信機の具体的な動作は次の通りである。
【０３６６】
本発明の一実施例に係るｐａｎｏｒａｍａ＿ｃｏｍｐｏｓｉｔｉｏｎ＿ｉｎｆｏ（）は、ビデオエレメントストリーム（ｖｉｄｅｏ  ｅｌｅｍｅｎｔ  ｓｔｒｅａｍ）に含まれたＳＥＩ  ＲＢＳＰ（ｒａｗ  ｂｙｔｅ  ｓｅｑｕｅｎｃｅ  ｐａｙｌｏａｄ）を通じて受信することができる。このとき、上述した同一の情報をＥＩＴ、ＳＤＴ、ＰＭＴを介しても提供することができる。
【０３６７】
本発明の一実施例に係る受信機は、ＨＥＶＣ  ＮＡＬユニットをパースし、ｎａｌ＿ｕｎｉｔ＿ｔｙｐｅ値がＳＥＩデータに該当する値で、ｐａｙｌｏａｄＴｙｐｅが５２であるｐａｎｏｒａｍａ＿ｃｏｍｐｏｓｉｔｉｏｎ＿ｉｎｆｏ  ＳＥＩメッセージを読み取ることができる。そして、受信機は、ｐａｎｏｒａｍａ＿ｓｅｒｖｉｃｅ＿ｔｙｐｅとパノラマ映像に対する全般的な情報であるｐａｎｏｒａｍａ＿ｒｅｓｏｌｕｔｉｏｎ、ｐａｎｏｒａｍａ＿ｐｒｏｆｉｌｅ、ｐａｎｏｒａｍａ＿ｌｅｖｅl、ｐａｎｏｒａｍａ＿ｔｉｅｒ情報をパースし、ｐａｎｏｒａｍａ＿ｓｅｒｖｉｃｅ＿ｔｙｐｅによって各シナリオ別追加情報をパースすることができる。
【０３６８】
本発明の一実施例に係るシナリオ１によれば、送信端は、パノラマ映像を既存の受信機に互換される映像を含むようにｐａｎｏｒａｍａ＿ｓｔｒｅａｍ＿ｎｕｍの数だけ分離してエンコードすることができる。本発明の一実施例に係る受信機は、それぞれの分離されたエレメンタリストリームに対してｐａｎｏｒａｍａ＿ｃｏｍｐｏｓｉｔｉｏｎ＿ｍｅｔａｄａｔａ（）をパースすることができる。本発明の一実施例は、ｓｕｂ＿ｖｉｄｅｏ＿ｂａｓｅ＿ｖｉｅｗにおいてベースビューとしてシグナルされた映像を既存の１６：９ＤＴＶ受信機でデコード及び出力させることができる。複数台の既存のＤＴＶ受信機を用いてパノラマ映像を分離して出力する場合、本発明の一実施例は、ｓｕｂ＿ｖｉｄｅｏ＿ｓｔｒｅａｍ＿ｉｄをベースにして各受信機から出力する映像を選択してデコード及び出力させることができる。本発明の一実施例は、ｓｕｂ＿ｖｉｄｅｏ＿ｐｒｉｏｒｉｔｙフィールドが示す優先順位を用いて映像を出力させることができる。
【０３６９】
本発明の一実施例に係るシナリオ２によれば、受信機は、パノラマの全体映像をデコードし、ｅｘｔｒａｃｔｉｏｎ＿ｉｎｆｏ＿ｍｅｔａｄａｔａ（）に含まれたクロッピングのための座標値（ｓｕｂ＿ｖｉｄｅｏ＿ｃｒｏｐｐｉｎｇ＿ｓｔａｒｔ＿ｘ、ｓｕｂ＿ｖｉｄｅｏ＿ｃｒｏｐｐｉｎｇ＿ｓｔａｒｔ＿ｙ）を通じて映像を分離することができる。既存の１６：９ＤＴＶでリサイズ無しでパノラマ映像の一部映像をクロップして出力すれば、本発明の一実施例は、ｓｕｂ＿ｖｉｄｅｏ＿ｂａｓｅ＿ｖｉｅｗフィールドを通じてベースビューの映像を分離することができる。複数台のＤＴＶ受信機を用いてパノラマ映像を出力する場合であれば、本発明の一実施例に係る各受信機は、全体のパノラマ映像をデコードし、ｓｕｂ＿ｖｉｄｅｏ＿ｓｔｒｅａｍ＿ｉｄによって映像をクロップし、クロップされた領域を出力することができる。
【０３７０】
本発明の一実施例に係るシナリオ４によれば、送信端は、関心領域（ＲＯＩ）の追加ストリームを向上層の信号として伝送することができる。受信機は、ＲＯＩ＿ｉｎｆｏ＿ｍｅｔａｄａｔａ（）をパースし、各ＲＯＩに対する解像度である幅／高さ情報及び／又は座標情報を取得することができる。受信機は、取得された情報を用いて向上層の信号を全体のパノラマ映像及び／又は一部のパノラマ映像の基本層の信号と結合させ、映像をデコードすることができる。本発明の一実施例によれば、高画質のＲＯＩ領域をセカンドデバイス（２ｎｄ  ｄｅｖｉｃｅ）に伝達したり、既存のＤＴＶ受信機の一部或いは全体の画面にディスプレイすることができる。
【０３７１】
本発明の一実施例に係るシナリオ５によれば、パノラマ映像から分離された１６：９イベントを視聴する場合、本発明の一実施例に係る受信機は、該当イベントに対するリンケージディスクリプタが存在すれば、これをパースすることができる。受信機は、リンケージディスクリプタ内のｌｉｎｋａｇｅ＿ｔｙｐｅフィールド値が０ｘ０Ｆである場合、ａｄｖａｎｃｅｄ＿ｅｖｅｎｔ＿ｌｉｎｋａｇｅ＿ｉｎｆｏ（）を読み取ることができる。本発明の一実施例に係る受信機は、ａｄｖａｎｃｅｄ＿ｅｖｅｎｔ＿ｌｉｎｋａｇｅ＿ｉｎｆｏ（）を用いてリンクされたパノラマ放送イベントに対する具体的な情報を取得することができる。取得された情報を用いて、受信機は、ユーザに今視聴している１６：９イベントに対応するパノラマ放送サービスを提供できることを知らせることができる。ユーザがパノラマ放送サービスを受信する意思がある場合、受信機は、ａｄｖａｎｃｅｄ＿ｅｖｅｎｔ＿ｌｉｎｋａｇｅ＿ｉｎｆｏ（）で把握した情報を用いてパノラマ放送サービスを受信することができる。
【０３７２】
図３９は、本発明の一実施例に係るシナリオ１のうち、各受信機で分離されて割り当てられた各ストリームをデコードする場合の受信機の動作を示した図である。
【０３７３】
本発明の一実施例に係るシナリオ１は、全体のパノラマ映像を構成する多数のストリームを受信端に伝送することができる。
【０３７４】
本発明の一実施例に係る受信機は、逆多重化部３９０１０、デコーダ３９０２０及び／又はシグナリング情報処理部（ｓｅｃｔｉｏｎ  ｄａｔａ  ｐｒｏｃｅｓｓｏｒ）３９０３０を含むことができる。
【０３７５】
逆多重化部は、全体のパノラマ映像を構成する多数のストリームのうち一つのストリーム及び／又はシグナリング情報を受信することができ、受信されたストリーム及び／又はシグナリング情報を抽出してデコーダ３９０２０及び／又はシグナリング情報処理部３９０３０に伝達することができる。
【０３７６】
デコーダは、逆多重化部から伝達されたストリームをデコードし、全体のパノラマ映像を構成する多数の映像のうち一つを生成することができる。このとき、デコーダは、ｐａｎｏｒａｍａ＿ｃｏｍｐｏｓｉｔｉｏｎ＿ｉｎｆｏｒｍａｔｉｏｎ及び／又はシグナリング情報処理器で処理されたシグナリング情報を用いて各ストリームをデコードすることができる。
【０３７７】
シグナリング情報処理部は、逆多重化部から抽出されたシグナリング情報を処理してデコーダに伝達することができる。ここで、シグナリング情報は、上述したＰＭＴ、ＶＣＴ、ＥＩＴ及び／又はＳＤＴを含むことができる。
【０３７８】
本発明の一実施例によれば、分離されたストリームを受信した各受信機は、該当ストリームをデコードしてディスプレイすることができる。このとき、全ての受信機がメイン受信機及び／又はサブ受信機になり得る。
【０３７９】
図４０は、本発明の一実施例に係るシナリオ２をベースにした受信機の動作を示した図である。
【０３８０】
本発明の一実施例に係るシナリオ２は、全体のパノラマ映像を一つのストリームにエンコードして受信端に伝送することができる。
【０３８１】
本発明の一実施例に係る受信機は、逆多重化部４００１０、デコーダ４００２０及び／又はシグナリング情報処理部４００３０を含むことができる。
【０３８２】
逆多重化部は、全体のパノラマ映像を構成する一つのストリーム及び／又はシグナリング情報を受信することができ、受信されたストリーム及び／又はシグナリング情報を抽出してデコーダ４００２０及び／又はシグナリング情報処理部４００３０に伝達することができる。このとき、逆多重化部は、全体のパノラマ映像をクロップするために必要なｅｘｔｒａｃｔｉｏｎ＿ｉｎｆｏ＿ｍｅｔａｄａｔａを受信することができる。
【０３８３】
デコーダは、逆多重化部から伝達されたストリームをデコードし、全体のパノラマ映像を生成することができる。このとき、デコーダは、シグナリング情報処理器で処理されたシグナリング情報を用いてストリームをデコードすることができる。また、デコーダは、受信したｅｘｔｒａｃｔｉｏｎ＿ｉｎｆｏ＿ｍｅｔａｄａｔａを用いて全体のパノラマ映像をクロップすることができる。
【０３８４】
シグナリング情報処理部は、逆多重化部から抽出されたシグナリング情報を処理してデコーダに伝達することができる。ここで、シグナリング情報は、上述したＰＭＴ、ＶＣＴ、ＥＩＴ及び／又はＳＤＴを含むことができる。
【０３８５】
本発明の一実施例によれば、クロップされた映像（ｃｒｏｐｐｅｄ  ｖｉｄｅｏ  １、ｃｒｏｐｐｅｄ  ｖｉｄｅｏ  ２）は、メイン受信機及び／又はサブ受信機にＵＰｎＰ、ＨＤＭＩ及び／又はＩＰを介して伝達することができる。
【０３８６】
本発明の一実施例によれば、全体のパノラマ映像を構成するストリームを受信する受信機がメイン受信機に該当し、それ以外の他の受信機はサブ受信機に該当し得る。
【０３８７】
図４１は、本発明の一実施例に係るシナリオ４のうち、メイン受信機で全てのストリームをデコードし、サブ受信機にデコードされたストリームを伝達する場合の受信機の動作を示した図である。
【０３８８】
本発明の一実施例に係るシナリオ４は、ＲＯＩ領域に対する高画質のサービスを提供するためにＳＨＶＣ（ｓｃａｌａｂｌｅ  ＨＥＶＣ）を用いて向上層で一部領域のエンハンスメントデータを提供することができ、これに対するシグナリング情報を提供することができる。
【０３８９】
本発明の一実施例に係る受信機は、逆多重化部４１０１０、第１デコーダ（ｄｅｃｏｄｅｒ  １）４１０２０、第２デコーダ（ｓｃａｌａｂｌｅ  ｖｉｄｅｏ  ｄｅｃｏｄｅｒ  ２）４１０３０、シグナリング情報処理部（ｓｅｃｔｉｏｎ  ｄａｔａ  ｐｒｏｃｅｓｓｏｒ）４１０４０及び／又はＲＯＩフィルタリング部（ＲＯＩ  ｆｉｌｔｅｒｉｎｇ）４１０５０を含むことができる。
【０３９０】
多重化部は、全体のパノラマ映像を構成する全てのストリーム及び／又はシグナリング情報を受信し、それぞれのストリーム及び／又はシグナリング情報を抽出し、各デコーダ及び／又はシグナリング情報処理器３８０４０に抽出されたストリーム及び／又はシグナリング情報を伝達することができる。
【０３９１】
第１デコーダは、逆多重化部から伝達された基本層ストリームをデコードし、ベースビデオ映像（ベースビデオ）を生成することができる。このとき、第１デコーダは、ＲＯＩ＿ｉｎｆｏ＿ｍｅｔａｄａｔａ及び／又はシグナリング情報処理器で処理されたシグナリング情報を用いて基本層ストリームをデコードすることができる。
【０３９２】
第２デコーダは、逆多重化部から伝達された向上層ストリームをデコードし、高画質ビデオを生成することができる。このとき、第２デコーダは、第１デコーダからベースビデオ映像信号を受信することができ、受信されたベースビデオ映像信号及び／又はシグナリング情報処理器で処理されたシグナリング情報を用いて向上層ストリームをデコードすることができる。
【０３９３】
シグナリング情報処理部は、逆多重化部から抽出されたシグナリング情報を処理してデコーダに伝達することができる。ここで、シグナリング情報は、上述したＰＭＴ、ＶＣＴ、ＥＩＴ及び／又はＳＤＴを含むことができる。
【０３９４】
ＲＯＩフィルタリング部は、ＲＯＩ領域の向上層信号を基本層信号とマージするためにＲＯＩ領域をフィルタすることができる。このとき、ＲＯＩフィルタリング部は、ＲＯＩ＿ｆｉｌｔｅｒｉｎｇ＿ｉｎｆｏ＿ｄｅｓｃｒｉｐｔｏｒを用いてフィルタすることができる。
【０３９５】
本発明の一実施例によれば、生成された高画質ビデオ映像は、メイン受信機及び／又はサブ受信機にＵＰｎＰ、ＨＤＭＩ及び／又はＩＰを介して伝達することができる。また、メイン受信機からＰＩＰ形式で高画質サービスを提供することができる。
【０３９６】
本発明の一実施例によれば、全体のパノラマ映像を構成する基本層及び／又は向上層ストリームを受信してデコードする受信機はメイン受信機に該当し、メイン受信機から高画質ビデオ映像を受け取る受信機はサブ受信機に該当し得る。
【０３９７】
本発明の一実施例によれば、メイン受信機で基本層信号を出力し、サブ受信機で高画質のサービスを提供することもできるが、その一方で、メイン受信機で高画質のビデオサービスを提供し、サブ受信機で基本層信号を提供することもできる。
【０３９８】
メイン受信機で全体のパノラマ映像を構成する全てのストリームをデコードする本発明の一実施例と異なり、本発明の他の一実施例によれば、サブ受信機で基本層信号を受信してデコードし、サブ受信機のスケーラブルビデオデコーダ（ｓｃａｌａｂｌｅ  ｖｉｄｅｏ  ｄｅｃｏｄｅｒ）を用いてＲＯＩ領域の映像をデコード及び／又はディスプレイすることができる。
【０３９９】
まず、本発明の一実施例に係る受信部は、映像に対するストリーム及び映像に関するシグナリング情報を含む放送ストリームを受信することができる（Ｓ４２０１０）。ここで、シグナリング情報は、パノラマ映像に関するシグナリング情報を含むことができる。本発明の一実施例に係る逆多重化部は、受信した放送ストリームから映像に対するストリーム及び映像に関するシグナリング情報を抽出することができる（Ｓ４２０２０）。本発明の一実施例に係るデコーダは、抽出されたシグナリング情報を用いて抽出された映像に対するストリームをデコードすることができる（Ｓ４２０３０）。
【０４００】
本発明の他の一実施例によれば、映像に関するシグナリング情報は、現在視聴中の放送サービスに対応するパノラマ放送サービスに対する情報を示すイベント連結情報を含み、パノラマ映像に関するシグナリング情報は、パノラマ映像の構成を示すパノラマ構成情報を含むことができる。これに対しては、図１７及び図３０の説明部分で詳細に説明した。
【０４０１】
本発明の他の一実施例によれば、映像は、一つ以上の映像に分割され、映像に対するストリームは、一つ以上の分割された映像に対するストリームを含むことができ、デコーダは、抽出されたシグナリング情報を用いて分割された映像に対するストリームのそれぞれをデコードすることができる。これに対しては、図２、図６、図７、図３８及び図３９の説明部分で詳細に説明する。
【０４０２】
本発明の他の一実施例によれば、放送ストリームは、映像のうちユーザの関心領域（Ｒｅｇｉｏｎ  ｏｆ  Ｉｎｔｅｒｅｓｔ、ＲＯＩ）に対する高画質映像を提供するためのＲＯＩ（Ｒｅｇｉｏｎ  ｏｆ  Ｉｎｔｅｒｅｓｔ）追加情報に対するストリームを含むことができ、逆多重化部は、受信した放送ストリームから映像に対するストリーム、ＲＯＩ追加情報に対するストリーム及び映像に関するシグナリング情報を抽出することができ、デコーダは、抽出されたシグナリング情報を用いて抽出された映像に対するストリーム及び／又は抽出されたＲＯＩ追加情報に対するストリームをデコードすることができる。これに対しては、図５、図１６及び図４１の説明部分で詳細に説明する。
【０４０３】
本発明の他の一実施例によれば、パノラマ構成情報は、分割された映像に対する情報を含むことができる。これに対しては、図１７、図１９及び図２０の説明部分で詳細に説明する。
【０４０４】
本発明の他の一実施例によれば、パノラマ構成情報は、分割された映像の区画化現象を除去するためのフィルタリング情報を含むことができる。これに対しては、図１７及び図２２の説明部分で詳細に説明する。
【０４０５】
本発明の他の一実施例によれば、パノラマ構成情報は、パノラマ映像を一つ以上の映像にクロップするための情報を含むことができる。これに対しては、図３、図８、図１７、図２３、図３８及び図４０の説明部分で詳細に説明する。
【０４０６】
本発明の他の一実施例によれば、パノラマ構成情報は、関心領域の映像に対する情報を含むことができる。これに対しては、図１７、図２５及び図４１の説明部分で詳細に説明する。
【０４０７】
本発明の他の一実施例によれば、放送信号受信方法は、デコードされた映像に対するストリームをディスプレイするステップを含むことができ、ディスプレイするステップは、ユーザからスクローリング要求を受信する場合、スクローリング要求によって移動した領域をディスプレイすることができる。これに対しては、図４、図９、図１０〜図１５の説明部分で詳細に説明する。
【０４０８】
図４３は、本発明の一実施例に係る放送信号送信装置の構成を示した図である。
【０４０９】
本発明の一実施例に係る放送信号送信装置４３０５０は、映像をエンコードするエンコーダ４３０１０、エンコードされた映像及び映像に関するシグナリング情報を一つの放送ストリームに多重化する多重化部４３０２０、多重化された放送ストリームを含む放送信号を生成する放送信号生成部４３０３０及び／又は生成された放送信号を伝送する伝送部４３０４０を含むことができる。ここで、シグナリング情報は、パノラマ映像に関するシグナリング情報を含むことができる。
【０４１０】
本発明の一実施例に係るエンコーダ４３０１０は、映像をエンコードすることができる。本発明の一実施例に係る多重化部４３０２０は、エンコードされた映像及び／又は映像に関するシグナリング情報を一つの放送ストリームに多重化することができる。このとき、シグナリング情報は、パノラマ映像に関するシグナリング情報を含むことができる。本発明の一実施例に係る放送信号生成部４３０３０は、多重化された放送ストリームを含む放送信号を生成することができる。本発明の一実施例に係る伝送部４３０４０は、生成された放送信号を伝送することができる。このとき、伝送部は、地上波放送網、インターネット網及び／又はケーブル網を介して放送信号を伝送することができる。
【０４１１】
本発明の一実施例に係るエンコーダ、多重化部、放送信号生成部及び／又は伝送部は、それぞれ上述した動作をするハードウェアに該当し得る。すなわち、本発明の一実施例に係るエンコーダ、多重化部、放送信号生成部及び／又は伝送部は、メモリに格納されている一連の指示を実行するプロセッサに該当し得る。
【０４１２】
図４４は、本発明の一実施例に係る放送信号受信装置の構成を示した図である。
【０４１３】
本発明の一実施例に係る放送信号受信装置４４０４０は、映像に対するストリーム及び映像に関するシグナリング情報を含む放送ストリームを受信する受信部４３０１０、受信した放送ストリームから映像に対するストリーム及び映像に関するシグナリング情報を抽出する逆多重化部４３０２０及び／又は抽出されたシグナリング情報を用いて抽出された映像に対するストリームをデコードするデコーダ４３０３０を含むことができる。
【０４１４】
本発明の一実施例に係る受信部４３０１０は、映像に対するストリーム及び映像に関するシグナリング情報を含む放送ストリームを受信することができる。ここで、シグナリング情報は、パノラマ映像に関するシグナリング情報を含むことができる。本発明の一実施例に係る逆多重化部４３０２０は、受信した放送ストリームから映像に対するストリーム及び映像に関するシグナリング情報を抽出することができる。本発明の一実施例に係るデコーダ４３０３０は、抽出されたシグナリング情報を用いて抽出された映像に対するストリームをデコードすることができる。
【０４１５】
本発明の一実施例に係る受信部、逆多重化部及び／又はデコーダは、それぞれ上述した動作をするハードウェアに該当し得る。すなわち、本発明の一実施例に係る受信部、逆多重化部及び／又はデコーダは、メモリに格納されている一連の指示を実行するプロセッサに該当し得る。
【０４１６】
説明の便宜上、各図面を分けて説明したが、各図面に敍述されている各実施例を併合して新しい実施例を具現するように設計することも可能である。そして、当業者の必要に応じて、以前に説明した実施例を実行するためのプログラムが記録されているコンピュータで判読可能な記録媒体を設計することも本発明の権利範囲に属する。
【０４１７】
本発明に係る装置及び方法は、上述した各実施例の構成と方法を限定的に適用するものではなく、上述した各実施例は、多様に変形できるように各実施例の全部又は一部を選択的に組み合わせて構成することもできる。
【０４１８】
一方、本発明の映像処理方法は、ネットワークデバイスに備えられたプロセッサが読み取り可能な記録媒体にプロセッサが読み取り可能なコードとして具現することが可能である。プロセッサが読める記録媒体は、プロセッサによって読まれるデータが格納される全ての種類の記録装置を含む。プロセッサが読み取り可能な記録媒体の例としては、ＲＯＭ、ＲＡＭ、ＣＤＲＯＭ、磁気テープ、フロッピーディスク、光データ格納装置などがあり、また、インターネットを介した伝送などのキャリアウェーブの形態に具現されることも含む。また、プロセッサが読み取り可能な記録媒体は、ネットワークで連結されたコンピュータシステムに分散し、分散方式でプロセッサが読み取り可能なコードを格納して実行することができる。
【０４１９】
また、以上では、本発明の好ましい実施例に対して図示して説明したが、本発明は、上述した特定の実施例に限定されるものでなく、特許請求の範囲で請求する本発明の要旨から逸脱することなく、当該発明の属する技術分野で通常の知識を有する者によって多様な変形実施が可能であることは当然であり、このような変形実施は、本発明の技術的思想や展望から個別的に理解してはならない。
【０４２０】
そして、当該明細書では、物の発明と方法の発明を全て説明しており、必要に応じて両発明の説明を補充的に適用することができる。
【０４２１】
発明を実施するための形態は、上述したように、発明を実施するための最善の形態で説明した。
【産業上の利用可能性】
【０４２２】
本発明は、放送産業全般で利用可能である。
【図１】
0006382329.tif 000002
【図２】
0006382329.tif 000003
【図３】
0006382329.tif 000004
【図４】
0006382329.tif 000005
【図５】
0006382329.tif 000006
【図６】
0006382329.tif 000007
【図７】
0006382329.tif 000008
【図８】
0006382329.tif 000009
【図９】
0006382329.tif 000010
【図１０】
0006382329.tif 000011
【図１１】
0006382329.tif 000012
【図１２】
0006382329.tif 000013
【図１３】
0006382329.tif 000014
【図１４】
0006382329.tif 000015
【図１５】
0006382329.tif 000016
【図１６】
0006382329.tif 000017
【図１７】
0006382329.tif 000018
【図１８】
0006382329.tif 000019
【図１９】
0006382329.tif 000020
【図２０】
0006382329.tif 000021
【図２１】
0006382329.tif 000022
【図２２】
0006382329.tif 000023
【図２３】
0006382329.tif 000024
【図２４】
0006382329.tif 000025
【図２５】
0006382329.tif 000026
【図２６】
0006382329.tif 000027
【図２７】
0006382329.tif 000028
【図２８】
0006382329.tif 000029
【図２９】
0006382329.tif 000030
【図３０】
0006382329.tif 000031
【図３１】
0006382329.tif 000032
【図３２】
0006382329.tif 000033
【図３３】
0006382329.tif 000034
【図３４】
0006382329.tif 000035
【図３５】
0006382329.tif 000036
【図３６】
0006382329.tif 000037
【図３７】
0006382329.tif 000038
【図３８】
0006382329.tif 000039
【図３９】
0006382329.tif 000040
【図４０】
0006382329.tif 000041
【図４１】
0006382329.tif 000042
【図４２】
0006382329.tif 000043
【図４３】
0006382329.tif 000044
【図４４】
0006382329.tif 000045